(57)【要約】  本発明は、人体の健康の養護による生存の維持を目標として、例えば感染症特にインフルエンザの感染拡大や感染原点を可能な限り抑制・根絶すべき一手段の開発を目標とする各養護体と、人体の生存の維持に長期的に多大の影響を及ぼす極めて貴重な有限の材料資源であり歴史的な重要性が益々大きくなると推定される石油資源の枯渇や、その石油資源の大量焼却で益々悪化し将来の時代の進行と共に深刻化が増すと推定される地球温暖化の長期の危機的な課題に対して化石燃料の温存を図る一手段の開発を目標とする各養護体と、を具備して国内・国外の潜在的な課題の解決策を求め、現在及び近未来以降への備えを図るものである。【選択図】図３
2010103994.tif 000002
【特許請求の範囲】
【請求項１】
強靱・耐久性の高強度の樹脂帯材の表材・裏材が重ね合わされ帯状に伸展されて、人体の各部を収容すべき養護体（養護服・雨具服・衣類服を含む）の各半材（上半材・下半材・長半材・足半材）の外形縁に沿う形状や必要な細幅で略自動的・連続的に接合されて、該細幅の接合の跡が残存された接合縁と、  該接合縁に沿う形状でその外側の不要の周囲片が略自動的・連続的に切離されて構成される該半材の外形縁に該切離の跡が残存された切離縁と、を具備した養護体を有することを特徴とする養護装置。
【請求項２】
前記樹脂１００％の樹脂フイルムの２枚で形成された養護服・雨具服と、前記樹脂１００％の繊維で織られた２枚の樹脂布材で形成された衣類服と、それらが折畳手段を備えてなるべく薄型・小型に折畳まれた面状各半材と、  該面状各半材がさらに略円柱状に折曲げられ略円筒袋や仮容器に仮収容可能で、普及済で飲料用の自動販売機でも売買可能に構成された柱状各半材と、を必要選択的に具備した請求項１に記載の養護体を有する養護装置。
【請求項３】
前記高強度の樹脂帯材が略自動的・連続的に製造され、その表材・裏材が重ね合わされ製造基台の上に帯状に伸展される樹脂帯材製造機と、該樹脂帯材の表材・裏材が前記各半材の外形縁に沿う形状や必要な細幅で略自動的・連続的に接合されて前記接合縁が残存される接合機と、該接合縁に沿う形状でその外側の不要の周囲片が略自動的・連続的に切離されて該各半材の原形が構成され前記切離縁が残存される切離機と、該各々の機械に接続されて略自動的・連続的に円滑に製造されるよう制御すべき電子計算機の１種である製造制御機と、を具備した養護体の製造装置を有することを特徴とした養護装置の製造装置。
【請求項４】
断熱性を有する一端開口箱状の内箱・カバー等を含んで成る箱材Ｖと、該内箱の中に装備された発熱材の通電による発熱を該内箱の全体に略均一に拡散する散熱材、感染症の病原体が完全に根絶されるに充分な一定幅の高温に維持する温度制御材、汚染物品・汚染ゴミ等を支承する給熱Ｖと、を備えて構成され、該高温により該病原体の汚染が浄化された汚染物品の再生使用によって資源の浪費や焼却の回避による地球温暖化の抑制の一手段、該汚染ゴミの熱消毒で回収車の圧縮機による該病原体の街路への噴出を回避して感染拡大を抑制する一手段、が可能になるよう構成された電熱箱と、を具備した養護体［ＩＩ］を有することを特徴とする養護装置。
【請求項５】
インフルエンザウイルスを９９％以上濾過する濾過膜を備え、略自動的な製造や熱消毒により複数回の再生使用も可能に構成された新マスクと、該濾過膜と同等材の広濾過膜を装備した本体Ｖの内部のファンの正回転で該ウイルス・微小ゴミを濾過し、発熱材の通電と温度制御材で該本体Ｖを被覆する断熱箱の中を一定幅の高温に維持して該ウイルスを個別根絶し、該断熱箱を取除いて該ファンの逆回転で該ウイルス・微小ゴミを落下させ、かつ養護体［Ｖ］の吸気扇の集中換
気によって窓の外に一挙に排出して再生使用を可能にし、前記養護体［ＩＩ］の電熱箱と一般の空気清浄機との双方の機能の兼備を可能に構成された新清浄機と、を具備した請求項４に記載の養護体［ＩＩＩ］を有する養護装置。
【請求項６】
感染症、特にインフルエンザ等の感染者がくしゃみ・咳をする際に鼻や口から噴出される噴出息の大部分を収容する一端開口筒状の収容袋を備え、１回毎に開口部を閉じてウイルス等が捕獲されるべく構成された捕獲Ｖと、該捕獲Ｖを必要時間仮収納して高温を維持し、該収容袋の中のウイルス等を熱消毒で個別根絶して感染拡大の抑制を図り、該捕獲Ｖの複数回の再生使用を可能にして資源と経済性の養護を図る前記電熱箱・前記新清浄機と、を具備した請求項４・請求項５に記載の養護体［ＩＶ］を有する養護装置。
【請求項７】
感染症、特にインフルエンザ・結核等が流行する非常時に於て、感染者が療養する個室の建具の開閉やその隙間から病原体を含む汚染空気が個室外へ流出するのを防止するべき流出防止、該個室や感染者が出入した個室外の集中換気、等の機能を備えるべく小室・廊下等の小窓に装備される感染抑制用の吸気扇、を含み、吸気量が切換可能に構成された非常時の吸気扇と、該非常時の前後の平常時に於て、掃除機の排気ゴミや暖房機の汚染排気等の排出用の集中換気、夏期の居室他の集中換気等に活用される平常時の吸気扇と、を具備した養護体［Ｖ］を有することを特徴とする養護装置。
【請求項８】
感染症、特にインフルエンザ発生の原点であるウイルスの宿主の徹底管理に必要な事項が掲載され、記入・確認・処理が明確で電子計算機による処理も可能な統一型の感染枠がインターネットに表示され、専門家・関係者の密接な連携が可能な情報の連携の一元化が可能に構成された感染連携手段と、該宿主の人への感染の危険順にランク分けして宿主番号が付され、該危険の削減の平常努力で漸次状況が改善されて重点表が組替可能に重点管理され、的確に要点観察されて平常時からウイルスへの包囲網を縮小して、専門家・関係者の総括体制の漸次強化を含み異変を待機するべき平常管理手段と、該宿主に異変が発見されたら鋭敏に連携網に報告して迅速な対応を図り、専門家・関係者のネットによる分析・協議で的確な処理を可能にして、異変の度毎に体制を修正・補充し確認・蓄積・向上の機能も含む異変初期手段と、を具備した養護体［ＶＩ］を有することを特徴とする養護装置。
【請求項９】
前記養護体［ＶＩ］の各手段によって感染の原点が抑制される発生抑制段階と、前記養護体［ＩＩ］・養護体［ＩＩＩ］で汚染物・汚染ゴミが熱消毒される熱消毒段階と、前記養護体［ＩＩ］・養護体［ＩＩＩ］・養護体［ＩＶ］で根絶されたウイルスを集めて人体内に取り込み、流行型の免疫機能により感染が抑制される根絶免疫段階と、降雨日に養護体［Ｖ］で屋内を湿気充満しウイルスを減衰させる換気減衰段階と、順番にレンタルされた養護体によって感染が抑制される賃貸抑制段階と、を必要選択的に具備した養護体の使用方法を有する養護装置の使用方法。
【請求項１０】
地球温暖化を抑制する一手段として現時点で有効的と考えられる抑制手段が全て列挙され類別されて温暖番号を付し、記入・確認・処理が的確にできて電子計算機による処理も可能に構成された統一型の温暖枠をインターネットに表示して、地球温暖化の抑制の更なる検討や関係者の居ながらにしての連携が可能になるよう構成される温暖連携手段と、地球温暖化に関する趣旨徹底・近未来優先・打撃回避・長期計画・炭素循環・その他地球温暖化の抑制を効率的に推進するための合理的な各手段が、インターネットに表示され連携可能に構成される温暖合理手段と、地球温暖化を抑制するための主要な一手段である自然エネルギー活用手段、太陽光陰影手段、二酸化炭素の排出削減手段、等の各手段とそれらの具体的な方策（例えば養護体［ＶＩＩＩ］〜養護体［ＸＩＩＩ］）が掲載され、さらに深く検討される検討手段等がインターネットに表示され連携可能に構成される温暖抑制手段と、地球温暖化を抑制する各手段と表裏一体の関係にある化石燃料の温存の各手段に関し、各国の当局がインターネットで組織化された化石温存機関等と連携をとり、各国毎の化石燃料の消費・削減状況を管理しつつ長期計画を立てて地球にしかない地球独特の有限資源である化石燃料が、極めて優秀な材料資源としての多くの優れた物性を備えながら良燃焼性という一物性のみで過度に燃焼されて大量の二酸化炭素を排出し、地球温暖化の主要原因になっているからその源泉である油田・炭田を未来に温存すべく温存の具体策・協議協定・情報収集の各手段がインターネットに表示され連携可能に構成され近未来以降に引継がれる化石温存手段と、を選択的に具備した養護体［ＶＩＩ］を有することを特徴とする養護装置。
【請求項１１】
地球と太陽とその他の天体の引力等の力が略均衡する太陽側の均衡公転軌道を地球に対向した姿勢で地球に付随して主に慣性で運行する平面状で肉薄の太陽光発電板も装備可能な基地系を多数個配備し、地球の昼間の不特定地域に走行陰影部を継続して投影する基地系集団で構成される投影装置と、該走行陰影部の投影による温度降下がもたらす地球温暖化の抑制及び南極氷床の融解抑制への影響を計算・予測しかつ観測する観測装置と、該観測装置からの計算・観測のデータ・情報を入力し処理し、総合的に計算し各々の該基地系の配備指令や運行指令を出力する電子計算機群を含む地球ネットワーク、該地球ネットワークからの配備指令や運行指令を受信し多数個の基地系の運行や配備や宇宙からの観測のデータ等を入力し処理する多数個の基地計算機群を含む基地ネットワーク、の両ネットワークの連携によって該基地系集団の全体を制御する制御装置と、現在以降地球上で行われる最大限の二酸化炭素の削減努力を推定計算し、なお抑制しきれないで進行する地球温暖化がもたらす近未来以降への深刻な悪影響を計算し、最悪の場合南極氷床等融解の続行による臨海地域・都市の水没化の深刻な危機を計算し、それらを各々抑制するのに必要な基地系の個数を計算し、諸工程を自動化してもなお近未来以降が負担せざるを得ない膨大な総費用を計算し、該制御装置に入力する地球管制体の大型電子計算機と、を具備した養護体であって、該基地系は、地球からの打ち上げ用の化学燃料を収容し中央部に装備される径太筒状の正推進筒、その外周に一体化され該化学燃料を収容した複数個の径細筒状の副推進筒、該副推進筒に並べて装備され遮光板を筒状に筒装して収容した２対の遮光筒、該遮光筒の両端近傍に連結された支柱筒、該支柱筒を強固に保持すべき保持材を含む保持筒、等を備えたロケット本体と、該ロケット本体の前方・後方に所定長さ滑動された２対の遮光筒の両端から該ロケット本体に略直角に開かれた各支柱筒を該保持筒・保持材で強固に支承し、それらの間に該遮光筒から略自動的に伸展される２対の遮光板と、を具備した養護体［ＶＩＩＩ］を有することを特徴とする養護装置。
【請求項１２】
燃焼炉に於ける点火や助燃用に化石燃料の投入（注入口）が形成された化石投入口と、該燃焼炉に於ける大部分の燃焼用に、伐採後に乾燥された間伐材を含む木材（木片）の投入口が形成された木材投入口と、投入された該木材（木片）が効果的に燃焼され易く通気孔や灰落孔等を備え該燃焼炉の底面から必要な高さの空間を設けて形成された支承材と、該燃焼炉や灰貯箱の外周面等で加熱された加熱空気を該支承材の通気孔や灰落孔から噴出し高温度の燃焼を図る給気手段と、を含み、主燃用の木材（木片）と点火用・助燃用の化石燃料との組み合せ型（ハイブリッド型）に構成され、伐採跡地への植林・営林による植物の光合成によって大気中の二酸化炭素を吸収可能に構成された燃焼体、を具備した養護体［ＩＸ］を有することを特徴とする養護装置。
【請求項１３】
化石燃料を点火や助燃用とし大部分の燃焼は乾燥した木材（木片）を主燃料とすべく、全国各所に於ける多数種・多数の燃焼炉の改変設計・改変施行が効率的・合理的に行われるよう必要事項が掲載された改変枠がインターネットに表示されて関係者が連携される燃炉改変手段と、化石燃料に代り大部分の主燃焼用に消費されるよう改変された全国各所の燃焼炉に於ける木材（木片）の需要面と、山林等からの供給面との関連の各項目や要旨等が統一型で電子計算機の処理も可能に形成された燃焼枠に掲載されインターネットに表示され電子計算機による需給両面が効率的・合理的・省力的に調整される需給調整手段と、該木材（木片）が化石燃料による点火や助燃を受け、大部分の主燃焼が該木材（木片）で成されるよう燃焼情報等が該燃焼枠に掲載され、インターネットに表示されて関係者が連携される燃焼連携手段と、該木材が伐採された後の伐採跡地等に、長期的・計画的・効率的・合理的に二酸化炭素を吸収すべく植林・営林等の計画等が掲載された燃焼枠がインターネットに表示され関係者が連携される植林営林手段と、を具備した養護体［Ｘ］を有することを特徴とする養護装置。
【請求項１４】
全家庭・全食堂・その他多所から排出される大量の生ゴミと、汚染されて洗浄も難しい汚染ゴミと、非汚染の石油製品・紙類の資源ゴミと、が各別々に分別回収された後に、水分含有率・地中分解期間・有機肥料化等が大きく異る該生ゴミと該汚染ゴミとが各々農地と空地・草原等に埋没されるべく必要な事項・要旨が掲載された統一型の廃棄枠が書面・インターネットに表示されて関係者が居所等に居ながらにして的確な連携が図られるよう構成された廃棄合理手段と、該分別回収・該廃棄枠・該インターネット・建設機械・農業機械等の連携によって、溝穴の形成・覆土・整備等の計画の策定や実行の省力化・効率化が図られ、かつ該埋没地の他所循環・埋没軌道化・等が図られるよう構成された埋没省力手段・長期計画手段と、水分を多く含む生ゴミ、汚染された石油製品・紙類を含む汚染ゴミ、その他の可燃物、等が混合された従来の可燃ゴミが石油製ゴミ袋で回収され、多大の重油を投入して高温焼却され、全体で多大の石油資源が焼却されると共に全体で大量の二酸化炭素が排出されていた従来の焼却体制を脱却して、該生ゴミと該汚染ゴミとの分別回収、該各ゴミの農地と空地・草原への該各機械による埋没、各手段との相乗的な組合せによって、焼却零化体制、石油資源の消費や二酸化炭素の排出の激減体制を図って重要物の養護を図るよう構成された重要養護手段と、を具備した養護体［ＸＩ］を有することを特徴とする養護装置。
【請求項１５】
運輸関連の自動車・船舶・航空機に於ける往路・復路の出発・到着を示す発着欄、該発着の時・場所・数重量・経費・同乗所を示す条件欄、が対照的に掲載された統一型の同乗枠がインターネットに表示され、諸条件の合致で同乗契約が成立し運行数の無駄の削減で運輸関連の合理化が図られる同乗体と、日常生活に於ける省力化の趣旨が掲載された趣旨欄、該省力化の要旨が類別され箇条書に掲載された要旨欄、該要旨等の説明が掲載された説明欄、毎日注視・書込する機会の多い月日欄、等が対照的に装備された対照体と、資源枯渇・地球温暖化等の世界的課題は、世界の略同一映像が半同時進行で流せる世界共通の情報機器としてインターネットの共通映像がテレビ・携帯等に表示され、世界が一体感をもった活動を可能に構成された情報体と、を含み、石油資源の消費・地球温暖化、等の抑制が効果的に図られるべく、必要選択的に具備した養護体［ＸＩＩ］を有することを特徴とする養護装置。
【請求項１６】
全国に多数種・多数・多場所に散在する燃焼炉を、点火・助燃・制御用の化学燃料と主燃用の木材（木片）との組合型の燃焼炉に改変すべく必要な事項が掲載された改変枠をインターネットに表示し、関係者と連携して燃焼炉の改変が省力的・効率的・計画的に成される燃炉改変段階と、改変された該燃焼炉の主燃材となる該木材の山林選定・選木・伐採・植林営林・木材切断・木片乾燥・木片投入・木片燃焼の各過程、該木材の需給調整、等必要事項が掲載された燃焼枠をインターネットに表示し、関係者と連携して組合型の燃焼が省力的・効率的・計画的に成される燃料需給段階と、生ゴミ等の埋没地の長期計画の策定・埋没契約・廃棄埋没日の設定、等廃棄埋没に関する必要事項が
掲載された廃棄枠をインターネットに表示し、関係者と連携して廃棄処理が省力的・効率的・計画的に成される埋没実行段階と、運輸関連の自動車・船舶・航空機の発着や条件欄等、空所への同乗に必要な事項が掲載された同乗枠をインターネットに表示し、同乗の募集・応募・同乗契約等が成され同乗による運行数の削減が図られる同乗省力段階と、を選択的に具備した養護体の使用方法を有する養護装置の使用方法。
【請求項１７】
約２０数年・４０数年で入手困難・枯渇になる石油資源で製作される石油製品・石油部品が全て列挙され同一種のものが分類・整理されて代替番号が付され、いずれ早晩必要になる材質の転換・代替に必要な事項が掲載され、記入・確認・処理が的確で電子計算機による処理も可能なように統一型に形成されて、インターネットに表示されて集団内及び広域での関係者による連携が効率的に成される代替枠を含む代替網体制が構成される代替連携手段と、該石油製品・石油部品が従来から使用されている部分に、主に他の材質で置換え得るよう製作され、該石油製品・石油部品がその各々の独特の物性の中必要な物性が保持されるべく必要な表面処理の各々の代替技術が全て網羅・整理されて該代替枠に表示され、代替が効果的・効率的に成されるようインターネットで表示され関係者が連携される代替検討手段と、各集団内及び広域の実用化技術、石油資源の枯渇を抑制する油田温存手段や必要な全情報が該インターネットで補充・確認・蓄積・向上が可能となり、近未来以降への技術蓄積等を可能にする化石温存手段と、を具備した養護体［ＸＩＩＩ］を有することを特徴とする養護装置。
【請求項１８】
前記代替連携手段・前記代替検討手段・前記インターネット等によって石油製品・石油部品等がその他の材質に変換された重要製品・重要部品（例えば電力・家電・台所品・水廻品・容器・洗剤・衣料品・輸送車・船舶・航空機・建設・文房具・玩具・包装・スポーツの各関連の製品や部品）またはそれらの諸部品、及び関連の各製品・各部品と、現在の石油製品・石油部品が使用済で回収されたものを石油資源の重要性及び焼却による二酸化炭素の排出抑制の必要性によって旧品再生が可能なように必要な表面処理をして、新たな製品・部品・またはその一部として設計・製作された諸製品（例えば上記と同様の重要製品・重要部品）またはそれらの諸部品、及び関連の各製品・各部品と、を具備した請求項１７に記載の養護体［ＸＩＩＩ］を有する養護装置。
【発明の詳細な説明】
【技術分野】
【０００１】
本発明は、人体の健康の養護による生存の維持を目標として、例えば感染症特にインフルエンザの感染拡大や感染原点を可能な限り抑制・根絶すべき一手段の開発を目標とする各養護体と、人体の生存の維持に長期的に多大の影響を及ぼす極めて貴重な有限の材料資源であり歴史的な重要性が益々大きくなると推定される石油資源の枯渇や、その石油資源の大量焼却で益々悪化し将来の時代の進行と共に深刻化が増すと推定される地球温暖化の長期の危機的な課題に対して化石燃料の温存を図る一手段の開発を目標とする各養護体と、を具備して国内・国外の潜在的な課題の解決策を求め、現在及び近未来以降への備えを図るものである。
【背景技術】
【０００２】
（１）感染症、特にインフルエンザの課題    人間の歴史は、ある意味では感染症との戦いの歴史であったと言われている。感染症は、例えばハンセン病・結核・ポリオ等は紀元前数千年前からあったし、赤痢やハシカ等もすでに古代エジプト時代からあったことが判っている。コレラ・マラリヤ・ペスト・天然痘等は何度も世界的に大流行し犠牲者が多く出た。  【０００３】
２０世紀中頃から、人間は農地や木材や鉱物資源を取得するため、未開発の奥地や熱帯雨林等に立ち入り自然破壊を繰り返し、地球環境は変化してきた。人間はウイルスの自然宿主である動物と接触し、ウイルスは人体にも侵入するようになったが人間の細胞はウイルスと共生できず致命的な病気を引起すに至った。このような人間の自然破壊も１つの原因となって、３０数種を越す感染症が起りウイルスはいまだに人類にとって大きな脅威となっている。  【０００４】
しかし、感染症特にインフルエンザは有史以前からあったとされている。その間ウイルスは次々と驚異的な伝播力で多くの犠牲者を出し現在に至っている。インフルエンザは普通の風邪よりも症状が格段に重く、相当数の犠牲者が出る。毎年のように流行する季節性インフルエンザは多くの人に免疫が残っており、人体に侵入してくるウイルスに対応できるが、それでも日本国内だけでも年間に約１０００万人が感染し、約１〜３万人の犠牲者が出ている。世界全体では相当数だろう。毎年、万人単位の犠牲者を出し続けている感染症はインフルエンザ以外に他にない。しかも、新型インフルエンザは人類が初めて遭遇するウイルスなので、誰も免疫を持っていないから、ウイルスに侵入された人はほとんどが感染し重症化し易い。２０世紀以降だけをみても新型インフルエンザは過去３度も世界的大流行を引起している。特に１９１８年の世界人口が１８億人の当時に於るスペイン風邪は世界中で５億人以上が感染し犠牲者は４０００万人を越した。世界人口が６５億人を越す現在以降に仮に高病原性の鳥インフルエンザであるＨ５Ｎ１が新型インフルエンザになったと仮定したら、近未来以降の人類にとって更に大きな脅威となると憂慮されている。  【０００５】
現在の世界人口がスペイン風邪の当時に比べて３倍以上に膨れ上がっていることは人口密度も高くなっているので、ウイルスが飛沫感染や空気感染で気付かぬ中に伝播する人と人との距離が格段に近く、極めて感染され易い状況になっている。また、交通機関が発達し遠距離を格段に高速かつ大量に輸送できるようになった。スペイン風邪の当時の汽車・蒸気船・プロペラ機が現在では新幹線・高速バス・自動車・トラック・大型船・ジャンボジェット機の時代へとめざましく進歩した。つまり、ウイルスの宿主である人間が当時とは飛躍的に違うスピードと大量さで移動することは、ウイルスが世界中に伝播する速度・量が格段に大きくなった。さらに、感染の第１波が鎮静化しても、他所に潜伏していたウイルスが交通機関によって伝播するため第２波・第３波の感染の襲来が起り易くなった。  【０００６】
しかも、スペイン風邪等３回の新型インフルエンザはいずれも低病原性であったが、もし仮に高病原性のＨ５Ｎ１が新型インフルエンザになった場合を仮定して考えると、人的な犠牲者や経済的な損害は未曽有になると憂慮されている。世界的な推計に依ると上記新型が世界的大流行した場合、世界中で約１．５億人（最悪で５億人）の犠牲者が出て、経済損失は約５１４兆円に達すとされている。この大危機は世界約３０カ国もの国が同時に大地震に襲われ、１国約５００万人もの犠牲者が出るのと同程度の未曽有の大悲劇に相当する規模であるとされる。  【０００７】
この最大の大危機に対してワクチン等薬品以外に対策は少いとされている。しかし、Ｈ５Ｎ１用の試作のワクチンもウイルスは変異を重ねるので保証はないが、ウイルスの表面の抗原だけを使う“サブユニットワクチン”は副作用が少く、また遺伝子組替技術によって病原性を弱める“遺伝子ワクチン”も研究中で有望だとされている。またＨ５Ｎ１を原料にした“プレパンデミックワクチン”も開発中であるが、重篤な副反応が予想される等の課題があると指摘されている。これらのワクチンの研究の見通しを明確にすることが先決問題で、ワクチンの開発で上記の大危機が全て解決されるのであればこれ以上に望ましいことはない。上記のワクチン研究の情報は約５年前の情報であるがその後研究の見通しは如何であろうか。新製品、特に新薬の開発には相当の長期間の年月と多大の労力や経費と、研究設備と、が必要とされる。しかし、一担開発が完成し実用化されるようになったら長年月間、有効的に使用され、人類のための恩恵となる。優れたワクチンとは、できるだけ安全に、確実に免疫ができるものと、される。上記のワクチンも世界で初めての試みであれば開発には想像できぬ困難があろう。開発が一応終了してからでも安全性の確実性を確認するために相当の期間が要る。研究開発が順調にいき実用化されることは大局的に近未来以降が救済される。  【０００８】
ところで、昨年２００９年に発生した新型インフルエンザは、世界各国で流行の勢いが止まらず今後の北半球の秋・冬期の流行拡大も見越して世界的大流行を意味するフェーズ６に引上られた。それにしてもこの新型インフルエンザが高病原性でなく、低病原性であったことは不幸中の幸いであったとされるだろう。ウイルスは変異が激しいことと、まだ秋・冬期の流行もあり決して楽観はできないが、世界各国は度を越す安心感をもっていることは旅行客や集会の多さで判る。専門的には高病原性のインフルエンザの発生は、早晩近未来以降に起りうるとされているので、これに対して備える体制を構成する必要があり油断は大敵である。  【０００９】
＜インフルエンザウイルスの本質と課題の分析＞    感染症に対して防衛するためには、正しい情報に基く事前の準備と予防とが大切とされる。前記のように人類の脅威である史上最強のインフルエンザに対抗するには、まずウイルスの本質と根本的な課題とを客観的に正しく知り、感染対策の困難さを認識することから出発するべきである。  【００１０】
ａ．インフルエンザウイルスの大きさは、直径が約１万分の１ｍｍ程度で、肉眼でも光学顕微鏡でも見えず、電子顕微鏡でのみ見ることができる超極小の微生物である。仮に１辺が１ｍｍの立方体の中に封入されたとしたら、１兆個も入る超小型である。このようにこのウイルスは超極小で超軽量だから、高性能不織布・高密度フィルター製の一般マスクや、ＵＬＰＡフィルター付属の一般空気清浄器も通過してしまうので補集できず、しかも超軽量で相当時間は空気中を浮遊するので後記のように空気感染を引起し感染対策を困難にしている。  【００１１】
ｂ．インフルエンザウイルスは遺伝子ＲＮＡと、それを包むタンパク質の殻だけか、さらに糖質や脂質の膜で被覆されただけの極めて簡単な構造の結晶状をした極小粒子である。ウイルスは自力で増殖できずタンパク質も作らないが、他の生物の細胞内で増殖するので、ウイルスの増殖を抑制しようとする薬は細胞にも副作用がでる。このようにこのウイルスは人間の細胞の中に侵入して増殖を繰返すことが対ウイルス薬をできにくくし感染対策を困難にしている。  【００１２】
ｃ．インフルエンザウイルスは遺伝子としてＲＮＡしか持っていないため、生物や人間の遺伝子であるＤＮＡのように修復機能が無い。従って、突然変異を繰り返し起し易く速いスピードで変異してしまうので、例えば人間の遺伝子の変異率に比べると平均で１００万倍もの速さで変異すると言われている。これは数回の複製の度に変種ができることになる。高病原性のＨ５Ｎ１も鳥から人への感染が繰返される程、突然変異を起す機会が増え、いつか必ず人から人へと爆発的に感染する力を持つ突然変異ウイルスが出現するとされている。このようにこのウイルスは速いスピードで突然変異を繰り返すことが人間の免疫機能の対応やワクチンの製造も難しくし、かつ高病原性の人一人感染ウイルスも出現し易くし、感染対策を困難にしている。  【００１３】
ｄ.特に、Ａ型インフルエンザウイルスの遺伝子ＲＮＡは８本に分れた構造をしていて、その１本１本が独立して複製される。いま、異る２種類のＡ型ウイルスが１つの細胞に同時に感染すれば、１６本のＲＮＡが複製される。この細胞から子ウイルスが誕生するとき２種類のＲＮＡが交じり合い（遺伝子の交雑）、理論的には２の８乗＝２５６通りのパターンが考えられる。これだけ多くのパターンの遺伝子の交雑の可能性があり、それら１つの細胞から１５０個以上のウイルスが出てくるから、全く違ったウイルスに変化する確率が高くなる。このようにこのウイルスは遺伝子の交雑のためと、さらに抗原型が多様であるため、全く新種の型に変化（大変異）し易いから、人間の免疫が長続きせず、ワクチンの準備も無いので、世界的大流行を起し易く感染対策を困難にしている。  【００１４】
ｅ.インフルエンザウイルスは、例えば１個のウイルスが鼻・口から侵入すると呼吸器系の細胞で増殖を始め、２４時間後には１００万個以上に増殖する。そして増殖した子ウイルスが正常な他の細胞に次々に侵入し破壊しながら子ウイルスがさらに増殖を繰り返す。感染して１〜２日後にはひどい寒け・高熱・筋肉痛・倦怠感・呼吸器症状等深刻な生体反応が現れる。高病原性Ｈ５Ｎ１では各種の臓器も深刻な打撃を受けて重症になり、多くの犠牲者が出る。このようにこのウイルスは増殖力が桁違いに大きいことが脅威となり、細胞を痛烈に破壊し続けて症状が悪化し、感染対策を困難にしている。  【００１５】
ｆ.インフルエンザウイルスは、日常生活の会話・くしゃみ・咳等の際に気道から飛散される多数の微粒子を吸う飛沫感染及び皮膚感染等の直接感染と、空気中に浮遊している飛沫核やウイルスの付着したほこり・土を吸う空気感染及び汚染水・汚染食物の飲食等の間接感染と、を持っている。これらは極小で目に見えないことと、日常行動の一部なので気付にくく感染し易い。特に、くしゃみ・咳によって飛散した極小のウイルスが相当時間ほど空気中を浮遊するので、それを空気と共に吸い込んだ人が全て感染する。呼吸は止められぬので、人が集る学校・職場・集会場・交通機関等の人混みに於て多数人が一挙に感染する。このようにこのウイルスは目に見えず気付にくい日常行動の中の感染経路と、空気感染等の爆発的な伝播力と、を持っており、感染対策を困難にしている。  【００１６】
（２）資源枯渇の課題と地球温暖化の課題    ２０世紀は去り、私達は２１世紀を迎えすでに１０年が過ぎた。ここで２０・２１世紀の時代を人類の歴史や地球の歴史上より顧みることは、単に１つの世紀の区切りの時代ということのみに止まらず極めて重要な意義を有することになった。恐らくこの数１０年の世界の対応如何が、未来に向けて末永く生存するべき人類の運命を左右しかねない程、重要な意義を持つと予測される事態に至ってきた。資源の枯渇・地球温暖化・廃棄物の増大・日常生活での健康問題・等への危機的傾向が深刻さを増し、いずれも全地球規模の課題となりつつあるからである。まず。２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ
）を参考にして、２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物質的に豊かにした。人間の行動範囲は飛躍的に広がり、活動能力は伸長し、文明は高度に発達した。現在の文明は、便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、資源枯渇の問題・地球温暖化の問題という大きく、かつ深刻な試練を受けることになっている。副産物の中には人間の居住パターンを変える程の大きな影響を及ぼすと予測されているものもある。その具体的な１例を図１を参考にして大略説明する。前記した図１の図（ａ）・図（ｂ）に示すように、２０世紀における世界人口・国民総生産・エネルギー消費量は爆発的に増大するに至り、図（ｃ）に示すように石油消費量は年間１０億トンを越すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように、地球温暖化の傾向が強まりつつある。この傾向が続くと、図（ｆ）に示すように、海水位が年々高くなり、近未来は臨海都市・地域は水没化する危険性がある。生命にとって絶好の生存環境条件を備えた現在の地球は、太陽からの公転距離、従って太陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熟成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を超えると急に状況が悪化するものがある。それが明らかになった時はすでに手遅れだという傾向が強い。地球環境はある方向へ傾斜し始めたら回復困難な非可逆的な性質をもっている。地球環境の諸問題は、今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は養護され尽されねばならない。そのためには、環境破壊の原因の排出を繰返した２０・２１世紀の人類の活動の全てが個々の立場に於て検証され、最善の対策が図られるべき必要に迫られてきた。前記したように私達は便利さと、快適さと、物質の豊さと、を手に入れたのと引換えに毎日実に多くの資源やエネルギーを消費している。例えば、我国では１年間に排出される一般廃棄物は約５千万トン（東京ドームの１３８杯分）を越え、産業廃棄物は約４億トン（同１１０４杯分）を越えている。後者では、最終処分場があと１．６年で満杯となり以後は廃棄する場所に困窮するとされている。このような大量の廃棄物の原因になっているものは、日常生活や経済活動で使用され捨てられた膨大な製品の集積であり、膨大な製品は実に大量の資源やエネルギーを使って製作されたものである。大量生産・大量消費・大量廃棄によって私達は深刻な廃棄物問題から、さらに発展して資源枯渇問題・環境問題という非可逆な深刻な課題に直面することになっている。以上は先進国に共通する課題であるが、先進国に追いつき・追い越す勢いを増しつつある発展途上国も先進国とほぼ同様の経過をたどるとすれば人口が膨大であるだけに世界全体では現在の数倍の規模になる。資源枯渇問題・地球温暖化問題・廃棄物問題は２１世紀以後の近未来に深刻な影響を及ぼす地球環境の課題である。上記これらの諸課題には絶対的限界がある。幾世紀、幾億年かけて生成された森林や土壌や地球独特の資源等が今や人間一生程の短い期間に消費されている。また、これらのことが将来、政治的・社会的安定を脅かす原因となってくる可能性が大きい。２０世紀の人類はその活動の産物として数々の地球環境問題で大きなツケを２１世紀以降の後世に残すことになった。後世の人々は数々の大問題の解決に懸命にならねばならぬ時が来る。懸命になって解決されればそれで良い。なおかつどうすることもできず解決できぬ時にどうするか。２０・２１世紀はこのことに対して痛切に心が痛まざるを得ないのが本当だ。人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い、でも仕方がない。方向性や必要性の明確になった技術開発は年月がかかれば何とか妥当な答えがでるものが多い。やがて世の中の技術のレベルが向上し発展すれば難問が解決される日も来るであろう。現在の地球環境問題にも未来の地球・人類には天体上の諸理由によって起る危機、正に大危機と呼ばれる試練が待ち受けている。過去複数回到来したものは未来も複数回到来するであろう。例えば氷期の到来の課題然り、小惑星の地球衝突の課題然りである。それらは枠外れの厳冬や大地震よりさらにレベルが上がる大危機である。以上は相当現在に近い近未来〜中未来の切実で大きな課題である。相当先々の中未来〜遠未来のことになるが太陽光度の漸次増強による地球高温化、地球の第２金星化の課題は放置すれば生物や人類の世紀末とも言うべき、全運命を左右する大危機である。しかし、人類はこれらの大危機も――時には技術開発や実用化が間に合わず大打撃を受る可能性があるか無いかは現時点では判明できないが――何とか解決して乗り越え生き延びる可能性は残っていると推定される。それは技術開発が目標を持って開発済みの蓄積技術を土台にして、一歩一歩階段を登るようにより困難な課題の技術を解決し克服し高度な技術を手中にする“蓄積・向上する”創造力を備え、手法・機器を人類が持っているからである。また、“種の保存”の技術があるとすれば上記大危機の試練を最悪の場合受ると仮定しても人類は地球上に存続し得ると考えられる。もしそうであれば、未来の人類は地球にしか存在しない化石燃料等の材料資源は、例え数億年の中〜遠未来に於ても極めて貴重な希少価値に相当する可能性は極めて高いと推定される。化石燃料は電気絶縁性・耐久性・軽量性・高精度成型性等金属に無い物性を備え、精密部品・電子部品・医療部品・宇宙関連部品・航空機部品・航空機燃料に不可欠である。石油資源は枯渇して初めて歴史的重要さが痛切に身に浸むがその時は既に遅い。
【先行技術文献】
【特許文献】
【００１７】
【特許文献１】特開平３‐２５８６９６号
【発明の概要】
【発明が解決しようとする課題】
【００１８】
解決しようとする問題点は、桁外れの伝播力・増殖力・変異力を備えたウイルス、特に人類の脅威である高病原性のインフルエンザは変異力の大きさからいずれ早晩発生が不可避とされている。しかし一般用マスクはウイルスを透過するから防御できず、防護服は人手製作で大量生産が難しく経済的でないので大衆用のものが無った。近未来以降に高病原性が感染拡大し始めた場合、人混みに外出すると衣服や頭髪に多数のウイルスが付着して職場や自宅に持込まれて益々感染拡大する危険性があるが、運動や生活必需品の購入のため外出は止む得ない。石油製品の防護服・養護服は汚染すると焼却されるので、二酸化炭素を排出する。  【００１９】
化石燃料は地熱・地圧等絶妙の条件の地下で数億年かけて生成され、地球にしか存在しない地球独特の極めて優れた材料資源であるが過大に焼却されている。特に石油資源はあと２０数年・４０数年で入手困難・枯渇に至るとされ、その焼却は多大の二酸化炭素を排出するので地球温暖化の一大原因となり氷床も融解し始めている。全く罪のない近未来以降は資源枯渇・地球温暖化の両面で諸種の一大危機に至る危険性があり、その全責任は全て現在にあり大きな岐路にある。
【課題を解決するための手段】
【００２０】
本発明は高病原性が流行する場合でも大衆用にできるだけ防御しうる手段を提供するために、個別遮断性の高い養護服とその略自動的な製造装置である養護体［Ｉ］の開発で図ることを主要な特徴とする。ウイルスに汚染された養護服やマスク等の汚染物品や汚染ゴミによる感染拡大を抑制するために熱消毒で個別根絶し、再生使用で資源を養護し焼却による二酸化炭素の排出の削減を養護体［ＩＩ］・［ＩＩＩ］の開発で図ることを他の主要な特徴とする。またウイルスの宿主の発生原点を平常時から重点管理する養護体［ＶＩ］の体制開発を最も主要な特徴とする。  【００２１】
さらに近未来以降に於ける石油資源の入手困難・枯渇と地球温暖化との２つの一大危機の緩和・回避を図るために、現在から貴重な資源の消費削減・温存を図る養護体［ＶＩＩ］〜［ＸＩＩＩ］の開発で諸体制を構成することを他の最も主要な特徴とする。
【発明の効果】
【００２２】
（１・２）本発明の養護体［Ｉ］は強靱・耐久性を備えた高強度の樹脂帯材で形成され、各半材が略中型携帯用の財布程度以下に折畳みが可能に構成される。従って、各半材は衣服のポケットや小鞄の中に収容されて天気予測が難しい日の通勤・旅行・諸外出時に随時携帯することもでき不測の降雨に即座に対応できる。これにより、従来の雨具の短所であった相当のボリウム・重量による携帯の困難・突然の降雨による衣類や身体の雨濡れ、携帯の煩雑、置き忘れ等を解決できる。また、薄型に折畳れた雨具体の各半材の構成はその効果として略円柱状に折曲げることができるから、略円柱状の仮容器や円筒袋に仮収容も可能でありうる。この略円筒状の仮容器は飲料用の自動販売器で買売されている飲料缶や飲料ボトルと略同じ大きさやそれ以下にも構成でき、使用済のものの加工や新製作もできる。従って、雨具体の各半材は広く普及している飲料用の自動販売機で買売できるとすれば、不測の降雨でも身体が濡れず風邪も引かないので人体を養護できる。  【００２３】
また雨具体は各半材に折畳み書を付属すれば、使用後でも薄型に折畳みうる。この折畳み書には折畳み点の要旨を説明しておけば使用前と略同等に折畳みうる。その他自宅に折畳み器を付属すれば、使用後に略折畳まれた各半材が多数のレジ袋等と共に内部の余分な空気を弾圧等で抜き去り、使用後でも薄型に折畳
みうる。雨具体の上半材・長半材で前閉型は従来に無い形態で下方開口部からの着脱を要す。着脱書には着脱の要領が掲載してあるので付属すれば使用者も円滑に着脱できる。前閉型は１回の降雨に数秒で済む着脱さえ円滑に行われれば長所を共有でき、しかも前面に顔孔のみを備え、胸部・腹部も開閉せず、略自動的に製造される。このように各半材は身体の略全体を被覆して非常時にウイルスからも人体を養護できる。従って、耐降雨性・対環境性・再生使用性・携帯性・経済性・等の長所を有する。樹脂帯材は全透明で顔孔は鼻・口部のみの大きさで開閉可能とし、眼部は撥水剤を塗布すれば耐降雨性・対環境性は更に大きく豪雨にも人体を養護できる。（なお、本発明は紙面の都合で発明の効果の欄に発明の作用・機能も記載して効果の説明を補充した。本頁に続く後続の冬頁に於ても同様の記載とする。）  （１・２）養護体［Ｉ］は感染症、特にインフルエンザ等が流行する非常時に於て、生活必需品の購入や通勤等のため、人混みの中に外出せざる得ない場合等に、個別遮断性・対環境性に優れた養護服を着用し建物の出入口の外で脱ぐ。これによりウイルス等が外出用の衣服や頭髪等に多数個付着したままで職場や自宅等に持ち込まれることを回避でき職員や家族等への感染拡大が相当抑制される。人混みの中に外出した場合、髪の毛１本に１００個を越すウイルスの付着が確認された情報もある。衣服も併せれば相当に多数のウイルスの付着が想定される。非常時には本人や関係者への感染拡大を覚悟で外出するよりは自宅でろう城するべきだとされる。しかし、生活必需品の購入や通勤のためには交通機関等人混みの中に外出せざるを得ない。特に高病原性のインフルエンザの流行の場合は余りにも危険が大き過ぎる。ウイルスは複製の度に変異する程激しく変異を繰返す。高病原性の新型インフルエンザが遠からず出現する可能性は極めて高いと推定されている。人的な犠牲者や経済的な損害は未曾有になると憂慮されている。近未来以降のこの大きな人類の脅威に対する危機管理は最悪の場合を想定して流行の各段階に於て複数の物理的バリヤー等が必要かと推定される。人類の危機は切迫し直面して慌てるのでは遅い。平常時に於てこそ万一の時に備えるべきである。  【００２４】
養護体［Ｉ］は顔面以外は全て個別遮断性の高い養護服によって被覆される。時に養護体［Ｉ］は略自動的な製造が可能な製造装置も開発済なので需要に応じうる。人体の顔面を保護する高性能マスクやゴーグルも大量生産用の製造装置の開発が必要とされる。現在の高性能マスクはウイルスを９５％または９９％濾過するとされるＮ９５またはＮ９９マスクがあるが高価で呼吸補充も必要とされている。仮にウイルスを１００％濾過し呼吸も容易な高性能新マスクと製造装置とが開発されたならば、養護服と併せて人体を養護し「動く養護室」を構成可能である。危険性の高い高病原性の新型化の場合も外出は安全で、感染拡大が抑制される。大型の養護服は養護体［ＩＩ］［ＩＩＩ］でウイルス汚染が浄化されて繰返し再生使用が可能であり、枯渇目前の石油資源の養護と地球温暖化の抑制の一手段が図られる。高病原性の場合は人命に関するから、近未来以降は生存の維持を図るべきだ。事前の対策は無傷で経費は極少だが、事後の修復は人的被害も経費も膨大になる。  【００２５】
（３）養護体［Ｉ］の製造装置は、まず樹脂帯材製造機で略自動的・連続的に製造された帯状の高強度の樹脂帯材の表材・裏材とが各々表巻機・裏巻機に巻取られる。次にこの表材・裏材が製造基台の上に帯状に重ね合わされて、人体の各部を収容すべき各半材（上半材・長半材・下半材・足半材）の外形に沿う形状で接合機によって接合されて接合縁が形成され、この接合縁に沿う形状で不要の周囲片が切離機によって切離される。これによって、養護体［Ｉ］のもとである各半材の原形が大略人手を必要とせず自動的・連続的に一挙に製造される。この製造装置は需給制御機に連携した製造制御機で制御され、無駄・不足が生じることが少く円滑に運転され、極めて合理的・省力的でコスト安に製造できる。養護体［Ｉ］の各半材の開口部からは端処理機が挿入され、適厚の帯状材より切断された補強帯が各基片の内側に差し込まれて接合機によって接合され切離機によって切離される。これによって、各半材は端縁の補強、顔孔の形成及び孔縁の補強、前閉型の前基片に補強帯の接合及び中央切離による前開型の前縁の補強、等が半自動的に一挙に処理され、極めて省力的・効果的でコスト安に製造される。前開型は前閉型から一挙に製造され、腕収片の手首部も段付細筒が補強される。下半材の腰締孔、足半材の足締孔の各々の補強も端処理機で効率的に成される。  【００２６】
各半材は、比較的に肉薄の樹脂帯材で製造されたとしても、使用頻度の大きい各端縁が適厚の補強帯を接合して切離できるので肉薄型も強度を保てる。養護体［Ｉ］は非常時に雨具服として使用する場合に携帯性に問題があったが、肉薄の樹脂帯材の採用で折畳み薄に構成して携帯性は相当に筒便に構成される。この製造装置は養護服・雨具服の製造に限らず樹脂１００％の繊維で織られた帯状の樹脂帯材の表材・裏材を接合・切離して裏返せば経済的な衣類服（シャツ・セータ・ジャンバー・コート・ズボン）を製造できる可能性があると推定される。樹脂は今後高騰するから製造を略自動化してコスト安に製造する必要性がある。従来、雨具服や防護服は製造に相当の人手を必要として経済性に限界があった。養護体［Ｉ］の製造装置は略自動的に一挙に製造されるので需要に経済的に対応し、近未来以降も国内、国外に於て共通的だから滞在需要は大きいと推定されうる。なお、養護体［Ｉ］は石油資源が貴重だから使用後は徹底回収後リサイクルされる。  【００２７】
（４）養護体［ＩＩ］は、感染症の病原体に汚染された汚染物品や汚染ゴミ等を電熱箱の中で一定時間熱消毒して病原体が個別根絶される。養護服等は出入口での着・脱でウイルス等が衣服や頭髪に付着したまま職場や自宅に持込まれず、感染拡大が抑制される。養護服等はウイルスに汚染されているが、養護体［ＩＩ］の電熱箱に仮収納すればウイルス等は個別根絶されて汚染が使用毎に浄化され、使用破壊されるまでに多数回繰り返し再生使用されるので使い捨てが回避される。防護服や養護服等は全身を被覆する程の大型で、石油資源で主に製作されているので使用毎に使い捨てされるか、または多数回繰返し再生使用されるかは資源の有効活用の面からは大きな違いであった。また、インフルエンザの世界的大流行の場合等使用毎に焼却されるか否かは石油製品の焼却は多大の二酸化炭素を排出するだけに地球温暖化への影響が無視できなかった。そこで養護体［ＩＩ］によって再生使用されることは地球温暖化の抑制の一手段になると共に、使用者にとっても経済性が養護される一手段になり、１つ１つの積重ねが重要である。  【００２８】
また、感染症で家庭療養を必要とする場合、患者が使用した汚染物品は養護体［ＩＩ］の電熱箱で熱消毒されるため、家族への感染拡大が抑制される一手段となる。養護体［ＩＩ］はマスク等も熱消毒によって再生使用されるため、例えばウイルスを９９％防護するＮ９９マスクの使用も経済的に可能で防護面も有利となる。  【００２９】
さらに、感染症、例えば高病原性のインフルエンザの患者が病院満員で家庭療養する場合にウイルスに汚染された汚染ゴミが排出されるが、回収車の圧縮機で一挙に極度に圧縮される際にゴミ袋は即座に破烈される。この時汚染ゴミの中のウイルス等は飛沫核となって住宅路の空中に噴出・拡散されると推定される。そこで住民は住宅路の空中のウイルス等を吸入し新な感染拡大の危険性がある。従来、人混みに外出せず感染経路が全く判らないのに感染する病例が多くあった。ウイルス等は超極小で全く移動できず自ら拡散し得ず、全て人間の行動で拡散される。従って、従来は回収車からウイルス等が拡散され都会の爆発的な感染拡大の１つの原因になっていたと推定されるが１つの盲点とも考え推定の段階である。養護体［ＩＩ］は汚染ゴミのウイルスが熱消毒で個別根絶されれば、特に高病原性でも爆発的な感染拡大が抑制され、人体の生存の維持に意義があると推定される。  【００３０】
（５）養護体［ＩＩＩ］は、新マスクがインフルエンザウイルスを略９９％以上濾過する濾過膜を備えて構成され、かつ現存のＮ９９マスクの難点である呼吸面・供給面の課題が改善されるべく略自動的な製造・組立が可能に構成される。また、新マスクの濾過膜は常時使用可能な新清浄器に装備される面積の広い広濾過膜と共通の素材で形成されるから、量産効果で品質面・経済面が進歩する。近年中に濾過膜と広濾過膜とがインフルエンザウイルスを略１００％濾過する品質が可能となれば、新マスクと新清浄器の双方でウイルスを効果的に防御できる。ウイルスは空気感染する場合鼻・口から侵入するから、新マスクがウイルスを１００％濾過し得るようになれば、前記養護体［Ｉ］の養護服と併せていわゆる「動く養護室」を構成でき、流行等の非常時に人混みでも感染拡大が抑制される。また、新清浄機は感染者が療養する自宅や病院の病室・待合室・廊下・交通機関や集会室等の密閉された空間の空気も清浄にしうるから、感染拡大を抑制しうる。  【００３１】
新清浄機は電熱性の発熱材や温度制御材を内蔵し、断熱性の断熱箱で全体を被覆できる。断熱箱は新清浄機を収容しウイルスを完全に個別根絶しうる一定幅の高温に一定の時間維持できるから、広濾過膜は取外さなくても浄化可能である。そして発熱材は電源を切り断熱箱による被覆を取外してファンＶのファンを逆回転しつつ窓を開いて養護体［Ｖ］の吸気扇で集中換気する。広濾過膜はウイルスや微小ゴミが窓外に排出されて細孔が開くから、多数回繰返し再生使用できる。新清浄機は内部を高温に維持できるから汚染マスク類・養護服・防護服等ウイルスに汚染された汚染物品や、感染者が廃棄した汚染ゴミも浄化できる。従って、養護体［ＩＩ］と同じ機能を発揮して、汚染物品の再生使用で資源を有効活用でき、石油製品の大量焼却による地球温暖化に対する抑制の一手段を図ることができる。また汚染ゴミの浄化は回収車の圧縮機によるウイルスの街路拡散を防止できる。  【００３２】
新清浄機は発熱材や断熱箱を使用しなければ通常の居室の微小ゴミを濾過する通常の空気清浄機と同様の機能を発揮し、非常時前後の平常時に使用できて、非常時には汚染物品・汚染ゴミのウイルスを個別根絶して感染拡大を抑制できると推定される。これらのことは特に高病原性の場合には人命に関するから、養護体［ＩＩＩ］は近未来以降に人体の生存の維持に意義があると推定される。  【００３３】
（６）養護体［ＩＶ］はインフルエンザ等の感染者がくしゃみや咳の際に鼻・口から噴出する噴出息のほとんどが抵抗小の収容袋の中に収容され、開口部の近傍が閉じられる。収容袋はその内部に噴出息と共に多数のウイルス（１回のくしゃみの場合大略１０万個とされる）が捕獲されるので、養護体［ＩＩ］・［ＩＩＩ］に仮収納し一定の高温（８０℃〜９０℃）を維持する。収容袋の中のウイルスは全て死滅し個別根絶される。高病原性の場合に効果が大きい。一般にくしゃみや咳は一度出始めると引続き複数回出ることが多い。最初の１回は突然出るので収容袋は手元の準備や捕獲は難しい。２回目以降操作に慣れれば、ほぼ完全に手元に準備できるので捕獲が可能になると推定される。  【００３４】
感染者は発熱・頭痛・倦怠感等の症状がきつい場合、上記のウイルス捕獲の作業は容易でないと推定される。そこで収容袋は図１０のように片手でも操作できるよう手持片を備え標準型の鼻・口部に密接しうる密接片付の手持型を構成する。マスク型は鼻・口に密接しうる立体マスクの縦孔に収容袋の開口縁が接続される。常時はマスク地で呼吸しくしゃみや咳の際のみ引輪を左右に引いて収容袋の開口縁を大きく開き噴出息のほとんどを収容袋の中に収容する構成とする。  【００３５】
症状がきつくても上記の操作等は大人であれば可能と推定され、何よりもウイルス拡散による後続の新感染者を出さないことが重要である。ウイルスは感染者の身体の中の細胞を無残にも次々と破壊した脅威の強
敵であるから、被害者は我が身体から噴出されるウイルスは捕獲して個別根絶されるべきである。くしゃみは時速１３０ｋｍ以上の勢いで一気に大量に噴出されるので、ティシュ・ハンカチ・マスクでは、大部分の噴出息は極小の飛沫核となってウイルスと共に空気中に拡散される。拡散されたウイルスは広域の人々に広く空気感染するからさらに悪い結果を招く。他者の鼻・口から侵入したウイルスは１日で１００万倍に増殖し、さらに各人は同じことを繰返すから当然感染は拡大すると考える。噴出息は抵抗の小さい収容袋であればウイルスの大部分は捕獲される。ウイルスは自然界では生存は数時間で爆発的な増殖は生体の内部のみで起るから、人体の入口と出口とである鼻・口での出入を徹底的に抑えるべきだ。高病原性は人命に関するから、養護体［ＩＶ］は人体の生存の維持に意義があると推定される。  【００３６】
（７）養護体［Ｖ］は住宅の壁や小窓に外気を吸入する吸気扇を装備したので、感染症が流行する非常時に於て、感染者が療養する個室から汚染空気が廊下や他室へ流出するのを効率よく防止でき、従って他の家族への感染拡大が抑制される。個室の出入口の建具は開閉回数を少くするべきであるが、食事の出し入れや手洗い等止むを得ず開閉する必要がある。その際、操作具で吸気扇から外気を大量に吸入しつつ個室の窓や建具を適量開ければ汚染空気は個室外へ全く流出しない。感染者は個室の窓の近くで衣服や頭髪等に付着したウイルス等を刷子で落し、窓外に排出すべきだが相当残ることもある。感染者は個室外にウイルスを持ち出すこともあるが、廊下等個出外も窓や建具を適幅に開閉し吸気扇の回動で換気できる。脱衣室やトイレも一戸建は小窓があるから集中換気できる。感染者が療養する個室の空気は度々換気すべきだとされるが、単に窓を開けたのみでは換気能率悪く風の向きの圧力等で建具の隙間から廊下や他室へ汚染空気が流出し住宅中にウイルス等が拡散される危険性もある。しかし吸気扇で外気を大量に吸入しつつ個室の窓や建具を適量開ければ上記の建具の開閉の場合のように集中換気できる。無風時でも室温の関係で建具の隙間から汚染空気が個室外へ洩れるが、個室の窓を小幅に開き吸気扇を小風量で常時回転すれば個室は陰圧になり洩れを防げる。個室は病院の隔離室と同等には無理だが、家庭療養には吸気扇は不可欠である。高病原性新型化や結核は深刻で汚染空気の流出防止は感染拡大を抑制でき、人命に関するから、養護体［Ｖ］は人体の生存の維持に意義があると推定される。  【００３７】
他方、平常時に於ては、電気掃除機の汚れた排気や石油・ガスの暖房機の汚れた暖気を排出でき、個室外を汚染せず窓の外方へ吸気扇で集中換気できる。電気掃除機の排気の微小ゴミは長時間空中に止るが人が吸う前に集中換気できる。また夏期には、特に屋根裏に隣接した二階の居室では太陽の熱気が充満しクーラーも効きにくいが、居室の窓を開けて吸気扇で外気を導入すれば一挙に涼くなる。居室の天井板を適量開けて窓を閉め、屋根裏の熱気を集中換気すればその熱気に依る悪影響も消失できる。また長い夜クーラーの代りに著るしく省力化できる。さらに浴室を使用後、浴室の小窓を開放して吸気扇を回転すれば湿気を排出してカビの発生を抑制でき、夏期には身体の湯気や水滴を一挙に発散して快適である。  【００３８】
（８・９）本発明の養護体［ＶＩ］は、インフルエンザの総合的な対策に関する必要事項・情報を掲載した感染枠が拡大・縮小の表示や記入・確認・処理の明確化も可能で、電子計算機による処理も可能な統一型に構成され、インターネットにも表示される。従って、インフルエンザ発生原点のウイルスの宿主、世界の各国の多種の場所、多種の宿主、多種の生存状況、多種の異変状況、等の複雑な管理が極めて省力的・効率的かつ迅速に処理される。また、これらの情報は各関係者−各地方−各国−世界の連携が一元化され、洩れや無駄が無く管理される。  【００３９】
感染網体制は、インフルエンザの宿主に関する情報が平常時から人への感染危険性の高い順にランク分けされる。ランクの記号は電子計算機の処理で一挙に並べ替え、重点管理されるべき宿主番号がピックアップされて重点表が組替可能に構成される。これら重点表はインターネットに表示されるので、各国の関係者・専門家は即座にメール等で相互に集中的な協議が居ながらにしてできる。各国の関係者、専門家は各国のどの地域にどの程度の危険性が潜在しているかを明確に把握でき、その改善に関する要望を各国・各地方を通じ出すことができる。そして、危険性の高い宿主は全体の数１０〜数１００分の１に平常時から絞り込める。これにより、人への感染が発見される前にどの宿主番号のものに異変が生じるかを待機して発見しうる平常体制、各国毎・世界で一元化し全情報を連携しうる双方向からの連携体制、が構成される。ウイルスの感染が広り始めた後では伝播力・増殖力が桁違いに大きいので勢いがつき抑制は難しい。平常時こそ活動でき宿主への重点体制、もできウイルスの脅威に対抗すべき強力体制、が構成される。  【００４０】
感染網体制は、上記のような諸体制で宿主の要点が常に管理下にある。従って宿主の中に異変が生じた場合に即座に対策が関係者・専門家の間で協議されるから的確・迅速な対応を図ることが可能になる。宿主の異変は感染枠で人への感染危険性の順にランク分けされ宿主番号・重点表で管理されて、平常時から常に警戒されているので対応は早い。宿主管理者の連絡先も感染枠に掲載されているから、関係者・専門家は直ちに現地に直行して異変の状況を視察できる。平常時からの活動で各地方・各国の関係者と宿主の管理者との交流・視察が成されておれば、異変の情報だけで即座に対応を協議できる。受入体制、もでき、上記の如く感染網体制は平常時から宿主の管理等に充分な諸体制を構成しても平常時の努力が重要である。ウイルスの伝播力・増殖力・変異力は強大だから、人への感染が零になることは難しい。この場合に宿主の１つである人体は感染が始ってから直後の数日間の人々の行動が重要になる。特にインフルエンザは世界的流行にまで感染拡大されるか、沈静化されて平常時に戻るかの分岐点になる。電子計算機のシュミレーション解析の結果に依ると、世界的流行か沈静化かの分岐点は人体への感染の拡大が発生し始めてから、「最初の４０数人が分岐点である」とされている。高病原性のインフルエンザは多数の生死を分けるので重要だ。人への初期感染の段階でも上記の全宿主に対する連携体制は重要になってくる。連携体制は世界規模の交信手段であるインターネットでこそ初めて可能になる。啓蒙は重要で高熱が出たら即座に地方の関係者に届出ること、関係者はインフルエンザの検査キット及びインターネット端末のパソコンの常時所持と、が重要だ。  【００４１】
一般に専門書は内容が深いが読んで理解し実生活に活せるのは極く一部の人であり、非常に重要だが限界があるのは止むを得ない。インターネットは内容自体は深くないが重要な情報が各国語で表示されれば住民は確認が可能になり、感染の度毎に情報内容の修正・補充・向上が育成されれば科学技術に於ける階段を上る作用と似た効果がある。インフルエンザは季節性が毎年発生し、新型は数年おきに未来も繰返し発生し、特に高病原性のインフルエンザは深刻だから平常時の活動・体制・連携が重要だ。インターネットの情報は蓄積しうるので近未来以降の各世代は毎年・数年おきに起るインフルエンザの流行の度に補充・向上・充実した情報を充分に活用できる。桁外れの伝播力・増殖力・変異力を備えた人類の脅威であるウイルスに負けないためには、インターネットの諸機能を活用し前記の感染枠や電子計算機の機能とを組合わせた結果として前記の諸体制が構成され連携を一元化して緊急時には各情報に集中し、迅速に人への感染や人・人への感染拡大を即座に抑制することである。近未来以降はインターネット・電子計算機・感染枠・新体制・組織力・平常努力等と体制との相乗作用によってウイルスの脅威に勝る日が来ると推定される。高病原性の場合人体の人命に関するから、養護体［ＶＩ］は上記によって感染が抑制されれば人体の生存の維持に意義があると推定される。  【００４２】
（１０）化石燃料は油田・炭田が協議・協定・情報収集・温存機関等で温存されることによって近未来以降に貴重な材料資源が残される。また地球温暖化は抑制される有効的な手段になると推定され、現状維持は資源・環境の両面で近未来以後が大危機に至ると推定される。このままの化石燃料の使用状況では２１世紀末に地球の平均気温は約２℃上昇すると報告されている。（ＩＰＣＣ）富士山の永久凍土の下限が１９９８年に標高３１００ｍだったが２２年間に下限が３２００ｍに上昇して、１００ｍも縮小した。山頂の最高気温の平均は氷点下１．９℃でわずか２０年間に２．５℃も上昇したと報告されている。  【００４３】
図１５は現在を中心に前後５０年間の石油資源の消費傾向と、北極の夏の氷冠面積の減少傾向やアフリカ山の雪原面積の減少傾向と、を示す。絶妙の条件で数億年かけて地下で生成された極めて貴重な材料資源であり有限の石油資源が、わずかに人の一生程の極めて短い年月に浪費し尽されようとしているのである。石油資源は電気絶縁性・耐水性・耐薬品性・耐腐蝕性・耐風化性・成型容易性・燃焼性・経済性・等の優れた物性を備えている。しかしあと４０数年で枯渇され、２０数年で入手困難になるとされている。その優れた物性と経済性の故に生活の隅々にまで浸透しているが過大に消費され過ぎている。またその燃焼性の故に燃料としても大量に消費されている。枯渇後は予測するに苦しい。氷冠や雪原の面積は両者ともほとんど零に近くなる勢いで右下りの直線である。この直線の先々に数十年後に南極大陸の氷床の融解が始らぬとは断言できない。北極圏のグリーンランドの氷床も融解し始めて川ができ氷河の流出を加速中だ。  【００４４】
２００９年１１月２７日の新聞記事に依ると、「南極海から数百個もの氷山の流出が衛星写真等で確認・調査中で、約５週間前に南極海付近で大きな氷山の分裂が起きたためとされ、氷山の漂流はこれまでの観測で最大規模のもので地球温暖化の影響との見方が強い。」との記載があった。これらの情報は極めて重要だ。地球温暖化の影響は両極地に於て著しい影響が出る。あの超巨大な南極の氷床の融解は一度始れば世界中立向かっても止ることは難しく海面は６０数ｍ高くなる。情報では温暖化で永久凍土が融解し始めており、二酸化炭素の１０数倍の温室効果があるメタンガスが放出されると地球温暖化は進行著るしく危機的状況になる。（１１）本発明の養護体［ＶＩＩＩ］は前記したように現在の化学燃料で推進するロケット本体（長さｌ・半径ｒ）を基本にしたものである。ロケット本体は宇宙空間の均衡公転軌道に打上げられると、４対の支柱筒が各々約９０度開かれそれらの間に２対の遮光板が自動的に伸展される。この基地系は上記遮光板による遮光面積Ｓ＝４ｌ２＋２ｌｒとなる。これは一基のロケット本体について最も広い面積であり、安定性・強度から限界であると推定される。地球は自転しているからこの基地系によるＳで走行陰影部が投影され涼気が構成される。この涼気によって地球温暖化を抑制しようとすれば、相当に多数の基地系によって成る基地系集団が配備されざるを得ない。しかし地球の引力は余りにも大きいから遮光板も軽量・強靱な材質とし、かつ化学燃料自体も相当の重量があるからロケット本体の大型化等が検討される必要がある。ロケット本体は地球上に於ける製造・組立等の諸工程を自動化し、宇宙空間に於る遮光板等の伸展等も自動化しコストダウンを図っても打上る基地系の数が多いから相当に高額とならざるを得ない。  【００４５】
養護体［ＶＩＩ］の唯一の希望は南極氷床に対してどの程度の融解抑制の効果があるかである。南極氷床は極地であり基地系集団は慣性のみの運行で化学燃料をほとんど消耗しない。走行陰影部の走行速度は小さく、涼気より温度の低い寒気の機能があると推定される。しかし南極氷床は超巨大であり夏の融解を抑制するに充分な多数の基地系を地球上から打上るには相当高額が必要と推定される。一方で南極
氷床は地球の温度が限度を越すだけで長年月の融解開始と推定される。宇宙空間の活用は慎重を期して段階を踏むべきである。新ロケット（推力・比推力が共に大きい）の実用化後にすべきである。（特許第２９０６１６５号）  他方で現在もなお毎年１２．３７億トンの大量の二酸化炭素が排出され続けている。このまま進むと石油は枯渇されるがその後も生産を維持しようとして石炭が投入され、益々二酸化炭素の排出量は増え続けていくだろうと推定される。このように二酸化炭素の積り積った“実に深刻で大きなツケ”が近未来以降に重くのしかかる。一般に事後の処置は事前の処置に比べて数十倍も重くなるが、地球温暖化の場合数百倍〜数万倍も重くなり後世に悔いが残される。現在だったら苦しいが二酸化炭素排出削減を図るだけでよく、化石燃料の温存も図れるが、現状維持は年数が経つほど手遅れとなる公算が科学的なデータで裏付られる。  【００４６】
（１２）本発明の養護体［ＩＸ］は前記の各部を備え、化石投入口が形成された現存の燃焼炉に於て化石投入口を取除くことなく一部分を改変して木材投入口等が形成される。従って一般に木材（木片）は点火に時間がかかるが、極めて点火し易い化石燃料が木材への点火用や助燃用に活用でき、大部分の燃焼は木材のみに依ることができる。一般に化石燃料は燃焼時に多大の二酸化炭素を大気中に排出し、それらを回収する実用的な手段等が無いので大気中の濃度は増加し続ける。従ってその温室効果に依って地球温暖化の傾向が増大し続け種々の危機的状況になる。これに対して木材（木片）の燃焼は大気中に一担排出した二酸化炭素を回収できる手段がある。即ち木材の伐採跡地は計画的に次々に植林・営林すれば若木は光合成という奇跡的な作用で大気中の二酸化炭素を吸収し酸素を産出するので濃度は増加せず地球温暖化が危機的状況になる現象を抑制できる。光合成は古い樹木は鈍いが成育中や壮年期の樹木は盛んである。森林は伐採・植林・営林の循環で活性化され、木材の搬出・加工の諸作業によって地域も活性化される。木材は大古の昔から焚火で暖をとること、食物の加工に用いること、闇を照す明りに用いること、住居・橋等構築物に用いること、等人類と深い連りがある。木材（バイオマス）という太陽のエネルギーの凝縮物を見直し、有効的に活用することで人類は救われるのではないだろうか。  【００４７】
過去５０年間、化石燃料が異常なまでに浪費された原因は、良燃焼性という１つの物性のみに依って大型〜小型の燃焼炉の全てに余りにも大量に燃焼され過たのも１つの要因である。しかし産業部門や発電部門に大型の燃焼炉は不可欠だから、木材が主燃料として活用されるよう検討されるべきで目下研究中である。木材はその伐採跡地には自然の太陽光と降雨とが恵まれるから若木は次々に育つので燃料資源として末長く枯渇されることはなく無限に近い。問題は木材が化石燃料に準ずる位に「労苦あっても便利で火力の大きい」燃焼が成されることだ。そのためにはまず燃焼炉が点火し易く助燃が可能な組合型で投入手段を設けること、後述の燃料供給手段によって木材の入手が効率化・円滑化・省力化されることだ。主燃料の転換は当初楽ではないが定常化で省力化され、何より資源・環境の両面で近未来以降の破局が回避され現在の責任も果せると考える。  【００４８】
（１３）本発明の養護体［Ｘ］はまず改変枠に燃焼炉を類別し改変番号を付してその改変に必要な事項及び要旨が掲載される。改変枠は統一型に形成されるので、記入・確認・事務処理も明確で電子計算機の処理も可能となり、インターネットで表示されて関係者の連携が成されるので、多所に多数種・多数ある燃焼炉でも改変の処理を効率良く的確に成すことができる。次に燃焼炉の改変後に燃焼枠は各々の燃焼炉の主燃材となる木材（木片）の需要面・供給面の必要な項目及び要点が掲載され、同様に電子計算機の処理も可能に統一型に形成されてインターネットに表示されるので毎日変動する需給面の処理を的確に効率よく成すことができる。燃焼炉の主燃料の変換は当初苦労を伴うが定常化されれば必要工程は自動化・機械化され省力化もできる。苦労は伴っても主燃料の転換の趣旨がよく理解されていれば乗切られる。このままの状態が続けば資源・環境の両面は共に有限であるから、近未来以降は必ず大きな打撃・破局に至ることは明白でその徴候は既に表われている。まず２０・２１世紀の世紀反省が成され資源・環境の両面で長期計画が策定され全体的な協議を経て協定に至る。長期計画は厳しいものとなろうが、自らの責任として工夫に工夫を重ね破局は回避されるべきだ。  【００４９】
現状維持程、楽で苦労も少く心配のないものはない。特に地下から湧出する石油資源は優れた物性の割に経済的だからこれ程好都合のものは無い。しかしそこには大きな魔力が秘んでいる。全燃焼炉の主燃料は早晩転換が必要である。  【００５０】
化石燃料は大昔の生物等が地下で絶妙の条件で化石化したもので太陽エネルギーの凝縮物であり、木材は現在の太陽エネルギーの凝縮物である、という点で起源の時は異るが太陽エネルギーの固りである点は同じである。化石燃料は地下から湧出、発掘して入手し易く、火力が強く使い勝手が良いという長所はある。しかし人類にとって有限の資源であり、燃焼すれば大気中に大量の二酸化炭素を排出するのみでそれを回収する手段がないという大きな欠点があり濃度が上昇する。これに対して木材は山林でも伐採・引出・運搬・切断・乾燥・植林・営林等の労苦は伴うが、植林・営林によって太陽光で自然に育成するから無限に在る。しかも、「光合成」という現在育成中の植物に独特で奇跡的な作用で大気中の二酸化炭素を吸収し酸素を産出するという、化石燃料に無い大きな特長がある。  【００５１】
５０数年前の生活を思い出してみると、各家庭の風呂の湯沸しや料理は全て木材を切断加工した薪であった。暖房も薪を燃やした後の炭を火鉢に入れて暖っていた。伐採跡地は自然の若木が育ち二酸化炭素を吸収するから問題なかった。人類は５０年間、「労苦少く楽で便利で火力の大きい」化石燃料に余り頼り過ぎた。そのために図１５の如くあと４０数年で石油の枯渇と地球温暖化という二重の大きな打撃を受けようとしている。近未来以後の世代は現在全く無力な弱者である。何の罪もないのに上記の二重の大打撃を背負い大きな苦境の転換に迫られる。生活の隅々にまで浸透している石油資源が無くなれば世界は何うなるか。これらの余りにも大き過ぎる打撃は予測するだけでも真に苦しい程に深刻である。現在はもはや資源の奪い合いの時代ではない。如何に近未来以後に遺せるかだ。根本原因は過去の浪費と無計画と現状維持とにある。過去は取り返しがつかない。今後数年間の動きが現状維持のままとなるか、転換されるかにかかっている。現状は産業部門と発電部門との燃焼炉は二酸化炭素を併せて約６２％も排出している。化石燃料の消費も相当に膨大なものであると推定される。従って、燃焼炉はその主燃料が化石燃料から木材（木片）に転換できると仮定すれば、近未来以降は上記の二重の大打撃を回避する一手段になりうる可能性は充分にある。木材（木片）は「労苦あっても便利で火力の大きい」燃料にできるだろうか。労苦は伐採から植林までの諸工程が定常化後次第に部分的に略自動化・機械化することも不可能でなく相当に楽になる。便利さは木片の型・大の研究や投入手段・工程の略自動化で相当燃焼され易くなる。火力の大きさは加熱空気を供給する給気手段や通気孔の研究や化石燃料を助燃材とする組合型（ハイブリッド型）に構成することや炉底と木材（木片）の炎との間隔で相当改善される。燃焼炉の構造と木材（木片）の型・大きさ・供給手段の研究が重要課題だ。人類の究極のエネルギーとして研究が続けられている核融合が実用化されるまでは木材（バイオマス）という太陽エネルギーの凝縮物に頼らざるを得ないかと考えられる。本方針が正しいか否かは慎重な検討が必要とされ研究中である。主燃材が木材に転換されることで石油資源は油田の丸ごと温存が可能となり、地球温暖化も抑制され近未来以降には極めて貴重な材料資源として活きる。枯渇すれば点火用にもできない。  【００５２】
（１４）本発明の養護体［ＸＩ］である廃棄網体制は全家庭・全食堂・他多所から大量に排出される生ゴミと、汚染されて洗浄も難しい汚染ゴミと、が水分含有・分解年月・有機肥料化が異るので別々に分別回収される。生ゴミは農地に循環的に埋没されて有機肥料として肥沃となり、汚染ゴミは空地・草原等に循環的に埋没されて貸農地として有効的に活用され健康にも良い。各ゴミの分別回収・埋没に必要な事項・要旨は統一型の廃棄枠に掲載され、電子計算機による処理も可能になるので記入・確認・処理が的確で省力化・効率化できる。廃棄枠は書面・インターネットに表示されて多数の関係者の連携により、全国に多数のゴミ回収車による回収と多数箇所の埋没地での循環的な埋没計画とを極めて効率的に策定・実行できる。従来、生ゴミと汚染ゴミとは混合した可燃ゴミとして石油製ゴミ袋に収容して回収・焼却されており、水分・石油製品を多く含むため高温焼却維持には世界で大量の重油が投入され焼却されていた。石油製ゴミ袋は現在世界で積上高さ数千ｍに及ぶ大量が毎日焼却されている。極めて貴重な石油資源が大量の重油と石油製ゴミ袋と若干汚染の石油製品も含めて高温焼却される。ゴミは不要物の廃棄だけに極めて非合理的であるが衛生等のため止むを得ぬこととして続行されていた。重油は船舶等に不可欠で枯渇後は航行できない。石油資源の焼却は毎日大量の二酸化炭素を排出するので地球温暖化の一因だった。  【００５３】
本発明の養護体［ＸＩ］の廃棄網体制は、別紙と上記の如く、生ゴミと汚染ゴミとの埋没に必要な事項・要旨を掲載した廃棄枠・インターネットと、分別回収と、建設機械・農業機械と、の相乗的な組合せによって、ゴミ焼却零化体制を構成できる。極めて貴重な有限の材料資源である石油資源は消費が激減される。石油資源は２０数年後に入手困難、４０数年後に枯渇するとされており、これは極めて大きな危機的な事実として迫ってくる。転換は早晩不可避である。そうであれば、入手困難等で追い詰められてから混乱するのでなく、平静な現在の中に冷静に熟考して近未来の為に転換を図る方が得るべき利点は格段に大きい。石油の焼却零化は大量の二酸化炭素の排出を激減し地球温暖化を抑制できる。石油資源の入手危機と地球温暖化の危機は近未来以降の世代に大きな大打撃である。上記世代に全く罪は無い。全ての責任は過去５０年と現在にあり今は岐路である。  【００５４】
（１５）本発明の養護体［ＸＩＩ］は、同乗枠が運輸関連の自動車・船舶・航空機に於ける発着欄と、発着の時・場所・数重量・経費・同乗所等の条件欄とが対照的掲載される。同乗枠はインターネットに表示して同乗者を募集し、応募者と条件が整えば同乗番号が付されて同乗契約がメール等で成立する。同乗すれば本来は重複して運行されたであろう運行便数が削減される。運輸関連は大型で長距離は空所が出易く影響が大きい。同乗体はシステム化され定常化される場合全体で相当の重複運行が削減され化石燃料が救済され地球温暖化も抑制される。特に輸入困難や枯渇が２０・４０数年後に切迫した石油資源が相当救済される。現在乗用車は電気自動車等が出現しているが長距離用や貨物車は化石燃料に頼る。船舶は小型電動船が出現するとしても大型や貨物船は重油に頼らねばパワー不足で航空機もガソリンのみが頼りである。石油資源が枯渇すれば天然ガスや石炭の液化は現エンジンが使えず、早晩枯渇する。同乗体は同乗枠とインターネットとの定常化で運行便数が削減され石油資源は相当の合理化になる。同乗体は運輸部門の二酸化炭素の排出量が約２１％と３番目で無駄が削減されるべきだ。船舶・航空機への化石燃料は長期計画に基き相当長年月分確保されるべきである。  【００５５】
対照体は日常生活の省力化の趣旨欄・要旨欄・説明欄・月日欄が印刷物・筒条書・繰返し・注視・対照性の特質を活して装備されるので、省力化の手段等がよく整備され意識に入る。実際に実行して日々採点等すれば更に身に付く。近未来以降の危機である資源・環境の問題は万民の
自主的な協力が重要で、成否は人口の倍数の差が生じる。未だ生れ来ぬ世代や幼少で何の罪もない近未来以降の世代に現状維持のツケが残される。現在は近未来以降の為に転換すべきだ。  【００５６】
情報体はインターネットの共通映像がテレビ・携帯等に表示されるので、世界的課題の情報等が略同一映像で半同時進行で流され、世界は一体的な情報共有等が可能に構成される。現在すでにテレビ・携帯は各家庭・各人の情報源である。他方、資源枯渇・地球温暖化等は世界規模の課題なので専門的に解決されて、各分野・各家庭・各人（万人）の意識に浸透されるべきだ。インターネットの情報はテレビ・携帯に必要機器（中介器他）を介することで共有され浸透されうる。各国が共通意識を持つには各情報機器で連携されることがいずれ重要になる。  【００５７】
（１６）繁栄や豊かさの追求は一面から視れば人間の本質上止むを得ぬ、との見方もある。しかし現在の大部分の人々が強く体験し知っているように、物品の豊さに全てを求めることには限界がある。地球は資源と環境とが限られた超巨大な宇宙船に例えられる。人口が２０世紀以降に爆発的に増大しつつ、生産・消費が増大する経済の成長・発展は環境負荷も増大させる。問題は現在や現在以降の繁栄や豊かさの限りない追求が、有限資源を消耗し尽す勢いであり、地球環境への無理や歪みを増大しつつ、やがて近未来以降の世代に大きな犠牲や負担を強いることにならないかである。現在は２０世紀後半からの急激な経済成長と、石油・石炭・天然ガス等の化石燃料の異常な消費の増大と、廃棄物の排出の異常な増大と、が深刻な問題として明らかになった。地球独特の石油資源はあと４０数年で枯渇し、その他の希少価値の資源も有限である。廃棄物の１つである二酸化炭素の排出はその濃度を増し地球温暖化を悪化させる。  【００５８】
地球温暖化は気候変動への影響、農産物・海産物への影響、食糧難、生態系への影響、台風の大型化、頻発化、海面の上昇による海水域の水没化、等の多大な被害が出る。特に臨海都市は海抜が零メートルや以下が世界で数百ｋｍ２以上でそこに住む居住人口は数百万人を越える。地球の気温は一定の限度を越えるだけで南極等の氷床融解により海水位は上昇し続ける。この勢いは二酸化炭素等の温室効果ガスの排出を抑制し、地球の気温の上昇を抑制する以外に他に無い。もし仮りに有ると仮定しても宇宙技術は未成熟で経費も大きい。一般に事後処理は余りにも膨大な出費を伴い過大な負担を強いられるから何としても回避されるべきだ。現在ならば化石燃料の燃焼を激減すればよく、化石燃料も救済される。  【００５９】
近未来以降が資源枯渇・地球温暖化の両面で破局に近い大きな打撃を受るか否かは、現在早急に上記両面で「長期計画」が策定され、それに基く世界の各国の行動が如何にあるかで決定される。“走り出したら止まらない”や“現在が良ければ後世のことは判らない”等の現状維持は、２０・２１世紀に対する近未来以降の悔恨が限りなく続き余りにも悲惨である。過ぎ去った過去の手遅れは何うしようもない。資源・環境は一旦進行したら原状に復帰できない非可逆の特質がある。真に大切なものは何事も失ってみて初めてその大切さが身に侵みて判る。  【００６０】
（１７）本発明の養護体［ＸＩＩＩ］は、地球独特の極めて貴重な材料資源である化石燃料が、現在の数世紀で枯渇することは実に長い未来の人類の生存にとっても大きな不幸である。化石燃料は絶妙の条件下で数億年の超長年月をかけて地球の地下で生成された有限資源で発見可能な天体には一切存在しない。化石燃料は枯渇後には如何に宇宙技術が進歩しても、例え地球と同等の星が発見されたと仮定してもそこから運搬することは真に至難の業であると推定される。化石燃料は数多くの類いまれな極めて貴重な物性を備えており、全く同じ物性を地熱・地圧・大量生物で新製造することは全く不可能であろう。未来の人類にとっても必要欠くべからざる物性があると推定される。従って、この極めて貴重な有限資源は人類の歴史上末永く使用可能なように、浪費から温存へと転換するべく長期計画を策定し、それに従った消費の軌道化を定着させることが現在に課せられた重要な使命であると考えられる。長期計画に従う１年間の消費量は極く少量となるかもしれない。しかし、人類はその決心があれば不可能ではない。人類には何百万年もの長年月に化石燃料無しに生きてきた多くの知恵がある。その知恵を活し最新の技術を活用して貴重な資源の温存を図る手段は早急に研究・検討されるべきである。夜空に輝く数千億の星には化石燃料を含む星も高等生物も未だ発見されていない。  【００６１】
化石燃料も地球環境も広大な宇宙に全く奇跡的な存在だからこそ大切にしなければならない。代替網体制は石油資源が現在使用されている用途の全てを列挙し、類別して整備し代替番号を付して代替枠に掲載しインターネットに表示される。代替枠は石油製品・石油部品の代替に関する必要な事項や要旨が掲載され、記入・確認・取扱いが明確で電子計算機による処理も可能に統一型に構成されインターネットに表示される。電子計算機は類別・重要順で付した符号に従っての並べ替えや検索が可能である。代替枠と電子計算機とインターネットとは独特の機能を活かして焦点が絞り易く的確な処理が可能で、集団や各国の関係者が居所等に居ながらにして緊密な連携が可能である。石油資源の代替の検討は多種類に及ぶが上記によって処理の迅速化・省力化・効率化が図られ、以後の有効的な判断・行動の源泉となる。現在、即に生活の隅々にまで浸透している石油資源が入手困難・枯渇になることは近未来以降に相当な大打撃を及ぼす。（１８）石油資源の焼却は多大の二酸化炭素を排出するから地球温暖化の主原因の１つである。従って、この問題は各々の集団の重要な課題であると同時に、各国・世界の重要な課題である。採るべき行動は自律的な自己責任で冷静で的確な判断が必要とされるが、対応は遅れる程深刻になると推定される。化石燃料はもし無限に存在し、地球温暖化を加速する等の悪影響が無いのだったら、経済成長等の求めに応じて消費されることは自由であろう。現状維持ほど楽で心配ないものはない。しかし、その行く先の悪影響が、何の罪もない近未来以降の世代にとって実に大きな大打撃や破局程の大危機をもたらすことが回避できない以上、消費や廃棄・焼却の自由は許されない筈だ。消費は資源枯渇や地球温暖化を抑制しうる長期計画を立ててその範囲内で行われるべく優先される。石油文明は深みに落入る程度が深く広い程、入手困難の頃はそこからの脱却は真に至難の業である。ましてや事態が切迫すると対応は混乱を招くから、何等の罪もない近未来以降の負担とすることは何とかして回避されるべきである。  【００６２】
化石燃料、特に石油資源は生活の隅々にまで浸透している極めて貴重な材料資源である。優秀な材料資源として現在の重要製品・重要部品の１例は、医療機器関連・医薬品関連・電子機器関連・精密機器関連・家電製品関連・電力関連・台所品関連・水廻関連・容器関連・洗剤関連・衣料品関連・輸送車関連・船舶関連・航空機関連・建設関連・塗装関連・接着剤関連・文房具関連・玩具関連・包装関連・食品関連・スポーツ用品関連、等々である。石油資源の物性は耐水性・耐薬品性・耐腐食性・耐風化性・電気絶縁性・肉薄強靭性・成型容易性・燃焼容易性・軽量性・経済性、等々他の物質に比類のない物性を備えている。石油資源は上記のような優れた物性を備えているからこそ、また無計画だったから５０数年の間に急速に日常生活の隅々にまで浸透してしまった。このことは逆に石油資源の入手困難や枯渇が如何に近未来以降に大きな大打撃となるかを明確に物語るものである。そこで、現在は「油田・炭田は選定され温存を図る。」ことが協議・協定されれば地球独特の材料資源は近未来以降に於て希少価値として優れた特性を活用でき、また地球温暖化を抑制できる。現在は真に分岐点に立っている。まず、長期計画を策定して対策が協議されるべきだと考えられる。
【図面の簡単な説明】
【００６３】
【図１】は２０世紀の人類の活動と地球温暖化との関係を示す図である。
【図２】は２０世紀のインフルエンザとウイルスの状況を示す図である。
【図３】は養護体［Ｉ］の各半材の一実施例を示す図である。（実施例１）
【図４】は養護体［Ｉ］の各半材の他の実施例を示す図である。（実施例１）
【図５】は養護体［Ｉ］の製造装置の一実施例を示す図である。（実施例１）
【図６】は養護体［Ｉ］の製造装置の他の実施例を示す図である。（実施例１）
【図７】は養護体［Ｉ］の製造装置の他の実施例を示す図である。（実施例１）
【図８】は養護体［ＩＩ］の一実施例を示す図である。（実施例２）
【図９】は養護体［ＩＩＩ］の一実施例を示す図である。（実施例３）
【図１０】は養護体［ＩＶ］の一実施例を示す図である。（実施例４）
【図１１】は養護体［Ｖ］の一実施例を示す図である。（実施例５）
【図１２】は養護体［ＶＩ］の一実施例を示す図である。（実施例６）
【図１３】は養護体［ＶＩ］の他の実施例を示す図である。（実施例６）
【図１４】は養護体［ＶＩＩ］の一実施例を示す図である。（実施例７）
【図１５】は養護体［ＶＩＩ］の参考例を示す図である。
【図１６】は養護体［ＶＩＩＩ］の一実施例を示す図である。（実施例８）
【図１７】は養護体［ＶＩＩＩ］の他の実施例を示す図である。（実施例８）
【図１８】は養護体［ＶＩＩＩ］の製造装置の一実施例を示す図である。（実施例８）
【図１９】は養護体［ＩＸ］の一実施例を示す図である。（実施例９）
【図２０】は養護体［Ｘ］の一実施例を示す図である。（実施例１０）
【図２１】は養護体［ＸＩ］の一実施例を示す図である。（実施例１１）
【図２２】は養護体［ＸＩＩ］の一実施例を示す図である。（実施例１２）
【図２３】は養護体［ＸＩＩＩ］の一実施例を示す図である。（実施例１３）
【符号の説明】
【００６４】
Ｐ１０    養護体［Ｉ］  Ｐ１１    養護服  Ｐ１２    雨具服  Ｐ１３    衣類服  Ｐ２０    各半材  Ｐ４０    上半材  Ｐ５０    長半材  Ｐ６０    下半材  Ｐ７０    足半材  Ｑ１０    製造装置  Ｑ２０    樹脂帯材製造機  Ｑ３０    製造基台  Ｑ４０    樹脂帯材  Ｑ５０    接合機  Ｑ６０    切離機  Ｑ７０    端処理機  Ｑ８０    製造制御機  Ｑ９０    需給制御機  Ｒ１０    養護体［ＩＩ］  Ｒ２０    電熱箱  Ｒ３０    箱材Ｖ  Ｒ４０    給熱Ｖ  Ｒ５０    養護体［ＩＩＩ］  Ｒ６０    新清浄機  Ｓ１０    養護体［ＩＶ］  Ｓ２０    捕獲Ｖ  Ｓ３０    養護体［Ｖ］  Ｓ４０    吸気扇  Ｓ５０    養護体［ＶＩ］  Ｓ６０    感染網体制  Ｓ７０    感染枠  Ｓ７３    宿主番号  Ｔ１０    養護体［ＶＩＩ］  Ｔ１１    基地系  Ｔ１２    基地系集団  Ｔ２０    ロケット本体  Ｔ２４    遮光板  Ｔ４０    大型電子計算機  Ｔ５０    養護体［ＶＩＩＩ］  Ｔ６０    温暖網体制  Ｔ６１    温暖連携手段  Ｔ６６    化石温存手段  Ｔ７０    温暖枠  Ｔ７３    温暖番号  Ｕ１０    養護体［ＩＸ］  Ｕ２０    燃焼体  Ｕ２１    燃焼炉  Ｕ２２    化石投入口  Ｕ２４    木材投入口  Ｕ２５    木材（木片）  Ｕ２６    投入手段  Ｕ５０    養護体［Ｘ］  Ｕ６０    燃焼網体制  Ｕ６１    改変燃焼手段  Ｕ６４    燃料供給手段  Ｕ６７    植林営林手段  Ｕ７０    改変枠  Ｕ７３    改変番号  Ｕ８０    燃焼枠  Ｕ８３    燃焼番号  Ｖ１０    養護体［ＸＩ］  Ｖ２０    廃棄網体制  Ｖ２２    埋没省力手段  Ｖ３０    廃棄枠  Ｖ３３    廃棄契約番号  Ｖ５０    養護体［ＸＩＩ］  Ｖ６０    同乗体  Ｖ６１    同乗枠  Ｖ６３    発着欄  Ｖ６４    条件欄  Ｖ６５    募集欄  Ｖ７０    対照体  Ｖ７２    要旨欄  Ｖ８０    情報体  Ｖ８１    テレビ  Ｖ８２    携帯  Ｖ８３    中介器  Ｗ１０    養護体［ＸＩＩＩ］  Ｗ２０    代替網体制  Ｗ２１    代替連携手段  Ｗ２３    代替検討手段  Ｗ３０    代替枠  Ｗ３３    代替番号
【発明を実施するための形態】
【００６５】
本
発明の養護体［Ｉ］とその製造装置は、例えば高病原性のインフルエンザの感染が拡大した非常時に於ても通勤や買物等で人混みに外出せざるを得ないが、衣服や頭髪に多数個のウイルスが付着したまま職場や自宅に持ち込まれることを回避するという目的を、個別遮断性に優れた養護服を着・脱することで実現した。また、従来は医療用の防護服しかなく高価だったが、大衆用にも提供可能にするという目的を略自動的・連続的に製造しうる製造装置を開発して経済的な提供を実現可能にし、平常時は雨具服として使用可能にし大衆用への提供を実現した。
【実施例１】
【００６６】
図３及至図７は本発明養護体［Ｉ］に関する一実施例を示す図であって、図３は上半材の一実施例を示す斜視図、図４は下半材及び足半材の一実施例を示す斜視図、図５は各半材の製造装置の一実施例を示す模式図、図６は上半材・長半材・足半材の製造装置の一実施例を示す平面図、図７は下半材・足半材の製造装置の一実施例を示す平面図、である。また、Ｐ１０は養護体［Ｉ］、Ｐ１１は養護服、Ｐ１２は雨具服、Ｐ１３は衣類服、Ｐ２０は各半材、Ｐ４０は上半材、Ｐ５０は長半材、Ｐ２１は前閉型、Ｐ２２は前開型、Ｐ２３は後開型、Ｐ２４は胴収片、Ｐ２５は前縁、Ｐ２６は前補部、Ｐ２７は開閉釦、Ｐ２８粘着帯、Ｐ２９はポケット、Ｐ３１は端縁、Ｐ３２は端補部、Ｐ３３は端締片、Ｐ３４は頭収片、Ｐ３５は副頭収片、Ｐ３６は顔孔、Ｐ３７は顔補部、Ｐ３８は鼻口孔、Ｐ３９は眼被片、Ｐ６０は下半材、Ｐ６１は脚収部、Ｐ６２は腰締片、Ｐ６３は腰締孔、Ｐ６４は腰補部、Ｐ６５は脚締片、Ｐ６６は脚締孔、Ｐ７０は足半材、Ｐ７１は足収部、Ｐ７２は足締片、Ｐ７３は足締孔、Ｐ７４は足補部、Ｐ７５は底板、Ｐ８０は折たたみ手段、Ｐ８１は折たたみ点、Ｐ８２は折たたみ書、Ｑ１０は製造装置、Ｑ２０は樹脂帯材製造機、Ｑ２１は表巻器、Ｑ２２は裏巻器、Ｑ３０は製造基台、Ｑ４０樹脂帯材、Ｑ４１は表材、Ｑ４２は裏材、Ｑ４３周囲片、Ｑ５０は接合機、Ｑ５１は接合縁、Ｑ６０は切離機、Ｑ６１は切離縁、Ｑ７０は端処理機、Ｑ７１は端接合器、Ｑ７２は端切離基、Ｑ７３は補強帯、Ｑ７４は各補片、Ｑ７５各基片、Ｑ８０は製造制御機、Ｑ９０は需給制御機である。  【００６７】
本発明の養護体［Ｉ］Ｐ１０は、感染症、特に高病原性のインフルエンザ等が流行する非常時に於ては、生活必需品の買物や通勤等のため人混みの中に外出せざるを得ない場合に着用して建物の出入口の外で脱ぎ、衣服や頭髪に多数個のウイルスが付着したまま自宅や職場にウイルスが持ち込まれることを回避して感染拡大を未然に防止するべく個別遮断性・対環境性に優れた養護服Ｐ１１としての活用を図り、非常時の前後の平常時に於てはその養護服Ｐ１１を耐降雨性に優れた雨具服Ｐ１２として日常生活では活用しつつ非常時に備えて人体の生存の維持を図る。  【００６８】
また、使用後にウイルスに汚染された養護服Ｐ１１は養護体［ＩＩ］・［ＩＩＩ］等により熱消毒し、ウイルスを個別根絶して浄化し再生使用を可能にして、有限の石油資源の浪費や大量焼却を回避し、地球温暖化の抑制の一手段を図るものであり、養護服Ｐ１１は人体の全身を被覆する大型で、有限の石油資源により製造されるので再生使用は不可欠である。  【００６９】
さらに、本発明養護体［Ｉ］Ｐ１０の製造装置Ｑ１０は、帯状に重ねて製造基台Ｑ３０の上に伸展された高強度の樹脂帯材Ｑ４０の表材Ｑ４１と裏材Ｑ４２とを、養護体Ｐ１０の各半材Ｐ２０の外形縁に沿う形状で接合機Ｑ５０で接合して接合縁Ｑ５１を残存し、その接合縁Ｑ５１の外側の周囲片Ｑ４３を切離機Ｑ６０で切離して切離縁Ｑ６１等を残存し、これらを製造制御機Ｑ８０の制御で自動的に製造して養護体［Ｉ］Ｐ１０の各半材Ｐ２０の原形を略連続的に一挙に製造し、端処理機Ｑ７０で半自動的に処理し各半材Ｐ２０の製造が完成される。  【００７０】
・  養護体［Ｉ］の各半材についての説明    本発明養護体［Ｉ］Ｐ１０は上半材Ｐ４０・長半材Ｐ５０・下半材Ｐ６０・足半材Ｐ７０等を含む各半材Ｐ２０で構成され、前閉型Ｐ２１と前開型Ｐ２２を含んで構成される。  【００７１】
（イ）上半材Ｐ４０・長半材Ｐ５０は下方開口袋状の胴収片Ｐ２４の上端縁に頭収片Ｐ３４が延設され、両側縁の肩部に一対の腕収片等が延設されて構成されている。前閉型Ｐ２１は胸部や腹部が閉じたままで開閉せず、下方開口部から着脱される。前開型Ｐ２２は胸部や腹部が開閉する前開釦Ｐ２７を装備し、前方から着脱される。後開型Ｐ２３は胸部や腹部が閉じたままで後方が開閉し後方から着脱され帯で閉じる。上半材Ｐ４０はスーツ型で上半身のみを被い。長半材Ｐ５０は胴長のコート型である。上半材Ｐ４０・長半材Ｐ５０は上半材が降雨の雨水に濡れぬよう養護する機能がある。上半身が雨水に濡れれば略全身に雨水が浸透するので耐降雨性が高いことを要す。上半材Ｐ４０・長半材Ｐ５０は前閉型Ｐ２１と前開型Ｐ２２とがあり、長所・短所がある。前閉型Ｐ２１は前面に顔孔Ｐ３６のみを備え、胸部・腹部は開閉されない構造である。前閉型Ｐ２１は個別遮断性・対環境性・耐降雨性・携帯性・折り畳性等の長所を有す。しかし、従来にない下方から着脱を要すので、使用に際し着脱の要領を必要とする。着脱は１回の降雨に数秒を要するのみで、要領を習得し慣れれば円滑に行える。従って前閉型Ｐ２１は着脱書を必要に応じ付属して要領が習得されるべきであり、着脱に慣れぬ使用者のために前閉型Ｐ２１から前開型Ｐ２２の転換構造も可能にする。上記の長所が共有されるためにも構造の略自動化・省力化が図られるべきである。雨具体Ｐ１２の製造は略記すれば下記のように略自動化・連続化が可能に行われる。まず樹脂帯材Ｑ４０の表材Ｐ４１・裏材Ｐ４２が重ねられて帯状に伸展されて、各半材Ｐ２０の外形に沿う形状で接合機Ｑ５０で接合され、接合縁Ｑ５１が残存される。次に接合縁Ｑ５１の外側の周囲片Ｑ４３が切離機Ｑ６０で切離され切離縁Ｑ６１が残存されて一挙に各半材Ｐ２０の原形が製造される。原形は端処理機Ｑ７０で処理され顔孔Ｐ３６・顔補部Ｐ３７・前縁Ｐ２５・前補部Ｐ２６・端縁Ｐ３１・端補部Ｐ３２等が形成される。各半材Ｐ２０は接合縁Ｐ５１や切離縁Ｐ６１が残存されるが幅細で外観を損しない。前開型Ｐ２２は前縁Ｐ２５・前補部Ｐ２６に粘着性で接合・分離が可能な粘着帯Ｐ２８が形成され個別遮断性の向上で養護服Ｐ１１の内側に病原体の侵入が防止されてもよい。粘着帯Ｐ２８は繰返し接合・分離が可能なもので開閉釦Ｐ２７に並備されてもよい。粘着帯Ｐ２８は細片を仮付着して使用中断し開閉釦Ｐ２７で開閉し雨具服Ｐ１２に用いる。養護体［Ｉ］Ｐ１０はポケットＰ２９・足半材Ｐ７０・副頭収片Ｐ３５他が同時製造されてもよい。雨具服Ｐ１２として使用される場合顔孔Ｐ３６は頭部を突出可能な大きさに形成し、養護服Ｐ１１として使用される場合鼻口孔Ｐ３８・眼被片Ｐ３９を備えた副頭収片Ｐ３５が頭収片Ｐ３４に重ねて装備され副頭収片Ｐ３５の開口縁には粘着帯Ｐ２８が付される。雨具服Ｐ１２と養護服Ｐ１１とが各々専用に形成され副頭収片Ｐ３５を省いてもよい。上半材Ｐ４０は長半材Ｐ５０の胴収片Ｐ２４が端処理機Ｑ７０で切断し製造されてもよい。上半材Ｐ４０の下端開口縁には端締片Ｐ３３が装備され個別遮断性を向上してもよい。  【００７２】
（ロ）下半材Ｐ８０は上部に腰締片Ｐ８２を装備し、下部に脚収片Ｐ８１を装備して略ズボン型に形成され、外周に接合縁Ｑ５１と切離縁Ｑ６１とが残存されている。下半材Ｐ８０は外形の形状が直線の部分が多いので、金型は製作され易い筈である。下半材Ｐ８０の製造はその外形の形状が帯状の樹脂帯材Ｐ４０に於て横長に配列［図７の（ａ）］されてもよく、また縦長に配列［図７の（ｂ）］されてもよい。金型が小型であって帯状の樹脂帯材Ｐ４０の横幅が小さくて済む後者がよい。下半材Ｐ８０は１種類の金型で複数の脚長に対応されるよう検討を要す。例えば、脚収片Ｐ８１は適度に長く製造しておき、端処理機Ｑ７０で数種の脚長に切離される。養護体［Ｉ］Ｐ１０は製造自動化と強度補充のためＱ４３を端処理機Ｑ７０で接合する。腰締片Ｐ８２は帯状の弾性帯であるが腰締孔Ｐ８２を形成後に挿通するのは人手と時間を必要とする。従って充分長い腰締片Ｐ８２で腰締孔Ｐ８３を形成する位置に載置して端処理機Ｑ７０で接合し、腰締孔Ｐ３０に腰締片Ｐ８２を封入するよう構成する。しかる後充分長い腰締片Ｐ８２を引締めて、腰を締る適切な長さに結んで切断する。脚収片Ｐ８１の下端に脚締片Ｐ８４を装備すればウイルス等の侵入から養護される。  【００７３】
（ハ）足半材Ｐ９０は上部に足締片Ｐ９１を装備し、下部に足部・はき物部を収容して長靴下型に形成され、外周に接合縁Ｐ５１と切離縁Ｐ６１とが残存されている。足半材Ｐ９０は歩行の際の摩擦等で底片に孔があかない部分だけ連る形状とする。または底片が全閉型で摩擦等に耐えるようゴム材等の底板Ｐ７５が付着補強される。足半材Ｐ７０は［図７の（ｃ）］、または［図７の（ｄ）］の配列で製造される。金型が簡単であり帯状の樹脂帯材Ｑ４０の横幅が小さくて済む後者の方がよい。前記の上半材Ｐ４０・長半材Ｐ５０の製造［図６の（ｃ）］と同時に製造されてもよい。足半材Ｐ９０は１種類の金型で複数の足長に対応されるよう検討を要す。例えば足半材Ｐ９０は適度に長く製造しておき、端処理機Ｑ７０で数種の足長に切離される。足締片Ｐ９１は、図示の長靴下の形状か、または短靴下の形状に形成されてもよく、足締片Ｐ９１は弾性帯の場合は足締孔Ｐ９２の形成は上記腰締孔Ｐ８３と同様とされる。足半材Ｐ９０は上半材Ｐ４０・下半材Ｐ８０と併せて略全身の略完全被覆が可能となる。足半材Ｐ９０は自宅や職場の外で脱げばウイルス等の付着による侵入から養護される。足半材Ｐ９０は特に降雨が激しい日や二輪車に乗る場合にはき物部が養護される。  【００７４】
（２）養護体［Ｉ］の製造装置（製造方法）についての説明  養護体［Ｉ］Ｐ１０の製造装置Ｑ１０は、樹脂帯材製造機Ｑ２０・樹脂帯材Ｑ４０・接合機Ｑ５０・切離機Ｑ６０・端処理機Ｑ７０・製造制御機Ｑ８０を含んで成る。  【００７５】
（イ）樹脂帯材製造機Ｑ２０（伸展段階）は、樹脂帯材Ｑ４０が略自動的に製造されて表巻機Ｑ２１・裏巻機Ｑ２２に巻取られ、帯状に伸展される機械（段階）である。樹脂帯材製造機Ｑ２０は石油資源から樹脂帯材Ｑ４０が帯状に製造されて、表巻機Ｑ２１・裏巻機Ｑ２２に巻取られ、表材Ｑ４１・裏材Ｑ４２として一旦貯留される。樹脂帯材Ｑ４０は養護体［Ｉ］Ｐ１０の各半材Ｐ２０を製造するのに必要な各々の横幅を有する帯状に製造され、各半材Ｐ２０の製造用の表材Ｑ４１・裏材Ｑ４２とが表巻機Ｑ２１・裏巻機Ｑ２２から製造基台Ｑ３０の上に重ね合わせた状態で帯状に伸展される。各機械の配置は全て装置設計者の設計に任ねられる。参考までに大略図５のように樹脂帯材製造機Ｑ２０の側方に表巻機Ｑ２１・裏巻機Ｑ２２が各々配備され、さらにその側方に製造基台Ｑ３０が配備され、製造基台Ｑ３０の例えば上方に後述の接合機Ｑ５０・切離機Ｑ６０が配備され、接合機Ｑ５０・切離機Ｑ６０は上下に作動する。これらの諸機械は需給制御機Ｑ９０に連携された製造制御機Ｑ８０で制御される。  【００７６】
（ロ）樹脂帯材Ｑ４０は養護体［Ｉ］Ｐ１０の素材として下記の性能を備えている。軽量・強靱・防水性等雨具服Ｐ１２に適す性能を備えていること、瞬間的な接合や切離が可能となる機能を備えていること、後記の製造に伴う余分の周囲片Ｑ４３や回収された使用済の養護体［Ｉ］Ｐ１０が次の製造の再生原料となりうる再生使用性があること、使用疲労の激しい養護体［Ｉ］Ｐ１０が焼却されてもダイオキシン等有害物質を排出せず環境保護を図りうる樹脂であること、経済的な材質であること、等である。上記の諸性能を備える材質の１つとして、レジ袋・ゴミ袋等に広く採用されているポリエチレン等の樹脂帯材Ｐ４０があり年々高強度の材質が開発されている。なお、各半材Ｐ２０は貴重な石油製品だから、使用後も回収され再生使用が成される。現在、市販中の雨具服に広く採用されている酢酸エチレンビニール樹脂やナイロン樹脂等は長年の経
験を経て採用された材質だから充分採用が検討されるべきだ。樹脂帯材Ｑ４０は樹脂フィルムで形成すれば養護服Ｐ１１や雨具服Ｐ１２が形成され、樹脂１００％の樹脂繊維で織られた樹脂布材で形成すれば衣類服Ｐ１３が形成される。  【００７７】
（ハ）接合機Ｑ５０（接合段階）は前記のように例えば製造基台Ｑ３０の上方にあって上下するよう配備されて、その製造基台Ｑ３０の上面に帯状に重ねて伸展された樹脂帯材Ｑ４０の表材Ｑ４１と裏材Ｑ４２とが、養護体［Ｉ］Ｐ１０の各半材Ｐ２０の外形縁に沿う形状や必要な細幅で一体に接合される機械（接合される段階）である。接合機Ｐ５０による接合手段は、接合強度が強力で的確なもの、各半材Ｐ２０の外形縁に残存される接合縁Ｑ５１の幅が必要最小限の小幅で済むものが採用される。この接合手段は樹脂帯材Ｑ４０の材質との関連もあるが、例えば熱融着が接合強度も強力で接合時間も瞬時に行われると推定されるので最適と考えられる。熱融着は樹脂帯材Ｑ４０がポリエチレン樹脂の場合、レジ袋やゴミ袋等の製造で早くから実用段階にあり、また相当の重量に耐えることを必要とする大型のレジ袋やゴミ袋の製造に採用されており、その接合強度や的確性は実証済である。接合機Ｑ５０は樹脂帯材Ｑ４０の表材Ｑ４１と裏材Ｑ４２とが熱融着されるに充分な最適の温度に維持管理された細幅の接合ヘッドで最適な押圧力で押圧される。なお、熱融着の温度と押圧力の維持管理は調節可能な自動制御に依るべきである。  【００７８】
（ニ）切離機Ｑ６０（切離段階）は前記のように接合機Ｑ５０で残存された接合縁Ｑ５１に沿う形状で、その外側の余分の周囲片Ｑ４４が略自動的・連続的に切離される機械で、各半材Ｐ２０の原形が構成され切離の跡である切離縁Ｑ６１が残存される。切離機Ｑ６０の具体的な構造は製造装置Ｑ１０の装置設計者の設計に全て任ねられる。例えばレジ袋等の上部が量産工程に於て切離されている切離手段が参考にされる。上記のような接合手段と切離手段とは、略自動的・連続的な工程の一過程であるから実際にはほぼ同時か直後に瞬時に成される各手段が採用されると推定される。レジ袋やゴミ袋に採用されている各条件は「熱加工」であるとすれば、各々の温度管理は最も適切に実行されているものと考えられる。レジ袋やゴミ袋等のポリエチレンの樹脂帯材Ｑ４０に、加熱した鉄片で実験を試みた結果では、温度が適度に中高温の場合は「接合」となり、相当に高温の場合は「切離」となった。  【００７９】
樹脂帯材Ｑ４０は樹脂１００％の樹脂繊維で織られた２枚の樹脂布材を重ねて衣類服Ｐ１３を製造する場合は複数回条件を変えた試験データで判断される。可能であればシャツ・セーター・ジャンパー・コート・ズボン他の衣服の原形が略自動的・略連続的に製造される。  【００８０】
（ホ）端処理機Ｑ７０は、端接合器Ｑ７１と端切離器Ｑ７２とで構成され、前記製造装置Ｑ１０で略自動的・連続的に製造された各半材Ｐ２０の原形を半自動的に処理して製造が完成処理される機械で、製造装置Ｑ１０等に付属して構成される。端接合器Ｑ７１は、各半材Ｐ２０の端縁の折曲げ、または適厚の補強帯Ｑ７３より裁断された顔補片・前補片・端補片・腰補片・足補片等が各半材Ｐ２０の開口部より差し込まれ各半材Ｐ２０の、顔基片・前基片・端基片・腰基片・足基片等に重ね合わされて、各補片Ｑ７４と各基片Ｑ７５とが適所で半自動的に接合可能に構成される。端処理器Ｑ７２は、各補片Ｑ７４と各基片Ｑ７５とが各々の適所で半自動的に切離され顔孔Ｐ３６・顔補部Ｐ３７・前縁Ｐ２５・前補部Ｐ２６・端縁Ｐ３１・端補部Ｐ３２・腰締孔Ｐ６６・腰補部Ｐ６４・足締孔Ｐ７３・足補部Ｐ７４等が形成され、各半材Ｐ２０の製造完成が半自動的に成される。端処理機Ｐ７０は各半材Ｐ２０の開口部から挿入可能に成される。各種の接合や切離は１処理毎でも、数種の処理が１処理機で成れてもよい。端処理機Ｑ７０は若干の人手の介入を必要とするが、なるべく半自動化される。各半材Ｐ２０の原形が製造装置Ｑ１０で略自動的・連続的に製造された効果を高める。養護体［Ｉ］Ｐ１０は、肉薄型・中薄型を含み、顔孔Ｐ３６・前縁Ｐ２５・腰締片Ｐ６２・足締片Ｐ７２・等の各部は使用者が度々触れるので、強度的に補強される必要がある。各半材Ｐ２０は端縁Ｐ３１が折曲げられてもよいが、半自動化が困難な場合は適厚の帯補材Ｑ７６が必要な長さに裁断され、各々の各補片Ｑ７４が所定位置に差し込まれて各基片Ｑ７５に重ねられ各々の適所で端接合器Ｑ７１で接合され、各々の適所で端切断機Ｑ７２で切離される。この場合は、半自動化が可能であると推定される。上半材Ｐ４０は長半材Ｐ５０が製造装置Ｑ１０に於て胴収片Ｐ２４の長さを長く製造されたものを端処理機Ｐ７０で胴収片Ｐ２４を必要な長さに切断・端処理して製造される。前開型Ｐ２２は前閉型Ｐ２１が製造装置Ｐ１０に於て略自動的・連続的に製造されたものを端処理機Ｑ７０で前片を切開して前端縁・前補部を形成して転換製造される。医療の防護服は着脱援助者が必要だが、前締紐を追加し後用型Ｐ２３が製造されてもよい。上半材Ｐ４０・長半材Ｐ５０は前片にポケットＰ２９等が端処理機Ｐ７０で付装される。ポケットＰ２９は周囲片Ｐ４４で製造され、外周は端処理機Ｐ７０で適所に付設される。ポケットＰ２９はウイルスが付着した手で定期券・財布等を出入する際に仮入できる。  【００８１】
（ヘ）製造制御機Ｑ８０は、上記の各機械、特に樹脂帯材製造機Ｑ２０（表巻機Ｑ２１、裏巻器Ｑ２２）接合器Ｑ５１・切離機Ｑ６０・等に密接に接続されて製造装置Ｑ１０の全体を制御し、養護体［Ｉ］Ｐ１０の各半材Ｐ２０が略自動的・連続的に製造されるよう上記各機械の各々を制御すべき電子計算機の１種である。この製造制御機Ｑ８０はまた端処理機Ｑ７０等とも連携し、端処理に関する指令を出力し処理量を入力する。製造制御機Ｑ８０は養護体［Ｉ］Ｐ１０の各半材Ｐ２０の製造量（供給）が、市場の消費量（需要）との需給関連を円滑に管理する需給制御機Ｑ９０と連携して運転される。これによって養護体［Ｉ］Ｐ１０の各半材Ｐ２０の製造の過度な無駄や不足を制御して、最も合理的な需給体制が確立され、製造装置Ｑ１０の各々の上記の機械が制御される。また、養護体［Ｉ］Ｐ１０は新開発の型種であり、製造装置Ｑ１０も新開発で初めての装置であり、全体は相当高額の設備投資を必要とする。また樹脂帯材Ｑ４０の原材料である石油資源は極めて貴重な資源で無駄遣いがないよう管理する必要がある。新開発の養護体［Ｉ］Ｐ１０はまず需要の実体が諸種の情報を分析し高精度に把握される。製造装置Ｑ１０を製作前に人手による試作品や経営判断でニーズが把握される。製造装置Ｑ１０を製作後も上記の需給制御機Ｑ９０と連携して合理的に製造される。養護体［Ｉ］Ｐ１０は使用被労されたものは小売店を介して回収され、この回収量が製造制御機Ｑ８０に入力されて養護体［ＩＩ］Ｒ１０・養護体［ＩＩＩ］Ｒ５０で浄化され再生使用される。  【００８２】
（３）養護体［Ｉ］の使用方法についての説明  養護体［Ｉ］Ｐ１０の使用方法は感染症特にインフルエンザ等の流行の非常時に於ては買い物や通勤で止むを得ず人混みの中に出る場合に衣服の上に着用し、かつ建物の出入口の外で脱ぐ。これによってウイルス等病原体が衣服の外面や頭髪に多数付着したままで自宅や職場の中に持ち込まれることを回避する一手段とし、家族や職場の複数人に感染が拡大するのを抑制する。養護体［Ｉ］Ｐ１０は建物の外で脱がれた後養護体［ＩＩ］Ｒ１０・［ＩＩＩ］Ｒ５０によってウイルスを個別根絶し汚染を浄化して機能の回復と複数回使用を可能にする。この非常時の前は日常生活に於ける雨具服Ｐ１２として活用し非常時に備え、非常時の後に於ても再び雨具服Ｐ１２への活用を図り、１回使用での使い捨てを回避して資源の有効活用と地球温暖化の抑制の一手段と経済性の養護とを図る。衣類服Ｐ１３は裏返して着用する。
【実施例２】
【００８３】
図８は本発明養護体［ＩＩ］の１実施例を示す図で、（ａ）は電熱箱の横断面図、（ｂ）は電熱箱の縦断面図、（ｃ）は電熱箱の平常時使用図である。また、Ｒ２０は電熱箱、Ｒ３０は箱材Ｖ、Ｒ３１は内箱、Ｒ３２は外箱、Ｒ３３は断熱箱、Ｒ３４は弾性片、Ｒ４０は給熱Ｖ、Ｒ４１は発熱材、Ｒ４２は散熱材、Ｒ４３は物承材である。  【００８４】
本発明の養護体［ＩＩ］Ｒ１０は感染症の病原体で汚染された汚染物品や汚染ゴミを一定幅の高温が維持される電熱箱Ｒ２０の中に仮収納して病原体を完全に個別根絶する。汚染物品は汚染を浄化して感染拡大の抑制を図り、かつ多数回の再生使用を可能にして石油資源等の浪費と多数個の焼却による地球温暖化との抑制の一手段を図り、汚染ゴミは回収車から病原体が住宅路に噴出・拡散されることを回避して感染拡大の抑制を図る。しかも電熱箱Ｒ２０は非常時の前後の平常時に日常生活への活用を可能にし、製造の略自動化を可能にして需要への対応を図る。  【００８５】
箱材ＶＲ３０は内箱Ｒ３１と断熱箱Ｒ３３と外箱Ｒ３２とが略自動組立されブロックに形成される。内箱Ｒ３１は薄金属板で上面開口箱状に形成され、内面に弾性片Ｒ３４を装備している。断熱箱Ｒ３３は例えば発泡スチロールで形成され、外箱Ｒ３２は外面処理ダンボール箱で形成され、これら３箱は同所に取付孔を形成している。  【００８６】
給熱ＶＲ４０は物承材Ｒ４３に発熱材Ｒ４１と散熱材Ｒ４２とが略自動組立されブロックに形成される。温度制御材と配線とは人手で組立する。発熱材Ｒ４１は通電により病原体を完全に根絶するに充分な熱量を供給する。発熱材Ｒ４２は小型モータ付の小ファンで形成され、発熱材Ｒ４１の発熱を内箱Ｒ３１内の全体が略均一な温度になるよう拡散する部材で、汚染物品や汚染ゴミの内部も均一な温度にする。散熱材Ｒ４２は内箱Ｒ３１の略中央に配備され、内箱Ｒ３１内の空気循環を良くし、また暖房器に活用の場合は仕切板Ｒ４４で入気と出気とを区画し室内の循環を良くする。温度制御材は病原体が熱消毒され個別根絶されるよう自動制御で高温が維持され、安全を期して二重三重に、また根絶用と暖房用と各々に設定可能に構成される。物承材Ｒ４３は汚染物品や汚染ゴミが略均一に熱消毒されるよう空間に支承される。給熱ＶＲ４０は箱材ＶＲ３０の中に押し入れるのみで弾性片Ｒ３４の作用で自動組立・抜止され、弾性片Ｒ３４に押圧力の付加のみで組立外しが可能に構成される。
【実施例３】
【００８７】
図９は本発明養護体［ＩＩＩ］の一実施例を示す図で、（ａ）は新清浄機の横断面図、（ｂ）は新清浄機の縦断面図、（ｃ）は断熱箱を外した断面図である。またＲ５０は養護体［ＩＩＩ］、Ｒ６０は新清浄機、Ｒ６１は広濾過膜、Ｒ６２は本体Ｖ、Ｒ６３はファンＶ、Ｒ６４は発熱材、Ｒ６５は断熱箱、Ｒ６６は網目板である。  【００８８】
本発明の養護体［ＩＩＩ］Ｒ５０はインフルエンザがウイルスを略９９％以上濾過する濾過膜を備えた新マスクを略自動的な連続生産を可能にする。他方その濾過膜と同質の広濾過膜Ｒ６１を装備し発熱材Ｒ６４・ファンＶＲ６３・温度制御材を内蔵した新清浄機Ｒ６０は必要時のみ断熱箱Ｒ６５で全体を被覆して温度を一定幅の高温に維持し、広濾過膜Ｒ６１で濾過され付着したウイルスは完全に個別根絶された後その断熱箱Ｒ６５を取外してファンを逆回転し、養護体［Ｖ］の集中換気等で窓外に排出を可能にして新清浄機Ｒ６０は養護体［ＩＩ］の電熱箱Ｒ２０の機能と空気清浄機の機能との双方を兼備し、ウイルス感染の非常時と平常時との双方の使用可能を図る。  【００８９】
新マスクはインフルエンザウイルスを略９９％以上濾過する濾過膜を備えて略自動的な連続生産を可能にし、Ｎ９９の一般供給面・呼吸面の課題の改善を図る。ウイルスは鼻・口から侵入するから１００％の濾過が感染拡大防止の要諦となる。  【００９０】
新清浄機Ｒ６０は本体ＶＲ６２の２対の網目板Ｒ６６に濾過膜と同質で広面積の広濾過膜Ｒ６１の２枚が狭持・装備される。ファン付のモータであるファンｖＲ６３と発熱材Ｒ６４とが共に物承材Ｒ４３に略自動組立され、本体ＶＲ６２に略自動組立される。ファンＶＲ６３のモータは正・逆の両回転が可能で、正回転の際に広濾過
膜Ｒ６１は吸入空気を濾過したウイルス・微小ゴミ・ホコリが細孔の周縁に付着する。新清浄機Ｒ６０の本体ＶＲ６２は底板・カバー付の断熱箱Ｒ６５の中に被覆され、発熱材Ｒ６４・ファン・温度制御材等で一定幅の高温に維持され、広濾過膜Ｒ６１や必要により他の汚染物品・汚染ゴミも仮収容可能で、それらに付着したウイルスが一挙に完全に個別根絶される。本体ＶＲ６２は断熱箱Ｒ６５が取除かれるとファンを逆回転して、広濾過膜Ｒ６１の細孔の周縁のウイルス・微小ゴミ・ホコリは一挙に落されて、養護体［Ｖ］の集中換気等によって窓外に排出され再生可能となる。断熱箱Ｒ６３は強ダンボール箱の内面に薄発泡スチロール板を付し折畳可能である。
【実施例４】
【００９１】
図１０は本発明養護体［ＩＶ］の１実施例を示す図で、（ａ）は手持型の斜視図、（ｂ）はマスク型の斜視図、（ｃ）は捕獲Ｖの開口部の閉鎖状態の斜視図である。またＳ１０は養護体［ＩＶ］、Ｓ２０は捕獲Ｖ、Ｓ２１は収容袋、Ｓ２２は開口縁、Ｓ２３は密接片、Ｓ２４は手持片、Ｓ２５は補集マスク、Ｓ２６は引張片、Ｓ２７は仮止材、である。  【００９２】
本発明の養護体［ＩＶ］Ｓ１０はインフルエンザ等の感染者がくしゃみや咳をする際に、鼻や口から噴出する噴出息のほとんどを捕獲ＶＳ２０の収容袋Ｓ２１の中に収容して１回毎に開口部を閉鎖する。捕獲ＶＳ２０は一定幅の高温が維持される養護体［ＩＩ］［ＩＩＩ］の電熱箱Ｒ２０の中に仮収納し、収容袋Ｓ２１の中に捕獲されたウイルスを完全に個別根絶して感染拡大の抑制を図り、捕獲ＶＳ２０は繰返し再生使用を可能にして使い捨てを回避し、資源と経済性との養護を図るものである。  【００９３】
捕獲ＶＳ２０は手持型の場合、一端開口筒状の収容袋Ｓ２１と、その開口縁Ｓ２２に付着された密接片Ｓ２３と、で形成され、両者の付着は接着剤や熱融着でもよい。収容袋Ｓ２１はウイルスを通過させない素材、例えば樹脂フイルムによって一端開口筒状に形成されて、１回のくしゃみや咳によって噴出される噴出息の量を充分に抵抗少くして収容しうる容積を備えた収容袋Ｓ２１の開口部が１回毎閉鎖される。収容袋Ｓ２１はウイルス（１回のくしゃみで約１０万個とされる）が捕獲されうる。密接片Ｓ２３は標準の人の顔型・大きさで鼻や口の周辺に密接しうるよう複数種の形状に形成される。材質は限定されぬが多少の変形に応じる成型品でもよい。密接片Ｓ２３は周縁を指で持って鼻や口の周辺の顔面に圧接する構造でもよいが、周縁から下方に突設された手持片Ｓ２４を片手で持ち周縁を圧接する構造でもよい。  【００９４】
捕獲ＶＳ２０はマスク型の場合、捕獲マスクＳ２５の中央部に形成された縦孔に収容袋Ｓ２１の開口縁Ｓ２２が付着される。縦孔周辺の引張片Ｓ２６は例えば輪状で左右に引張れば縦孔が必要な大きさに開かれて、くしゃみや咳の噴出息を抵抗少く通して収容袋Ｓ２１の中に収容する。なお通常の呼吸はマスク地で行われる。  【００９５】
養護体［ＩＶ］Ｓ１０は高病原性の場合、新な感染は人命に関するからウイルスを捕獲して個別根絶を図ることは重要であり、若干の外観の特殊な形状は止む得ない。個別根絶されたウイルスを人体に取込めば、同型に獲得免疫の作用が期待される。
【実施例５】
【００９６】
図１１は本発明養護体［Ｖ］の１実施例を示す図で、（ａ）は吸気扇の正面図、（ｂ）は吸気扇の使用状態の横断面図、（ｃ）は同使用状態の縦断面図である。また、Ｓ３０は養護体［Ｖ］、Ｓ４０は吸気扇、Ｓ４１は操作具、Ｓ４２は取付Ｖ、Ｓ４３は調圧Ｖ、Ｓ４４は小室、Ｓ４５は浴室、Ｓ４６は個室、Ｓ４７は建具、Ｓ４８は廊下、Ｓ４９は他室である。  【００９７】
本発明の養護体［Ｖ］Ｓ３０は感染症が流行する非常時に於て、感染者が療養する個室Ｓ４６の建具Ｓ４７の開閉やその間隙から汚染空気が個室Ｓ４６の外へ流出するのを防止する流出防止機能、個室Ｓ４６・廊下Ｓ４８・他室Ｓ４９の集中換気機能、等の諸機能を備えて感染者から家族等への感染拡大の抑制を図り、非常時の前後の平常時に於て、居室・廊下Ｓ４８・浴室Ｓ４５・小室Ｓ４４・屋根裏等の集中換気の諸機能を備えて家族の日常生活の健康維持と、非常時への備えを図るものである。  【００９８】
吸気扇Ｓ４０は電気モータＶと取付ＶＳ４２とが略自動組立されて構成される。電気モータＶと取付ＶＳ４２も各々が略自動組立で製作され、ブロックに形成される。吸気扇Ｓ４０は個室Ｓ４６の建具Ｓ４７の開閉時に他室Ｓ４９への空気流出を防止するに必要充分な大風量と、建具Ｓ４７の閉鎖時に建具Ｓ４７の隙間からの空気流出を防止するべく常時回転する小風量と、に変換でき、この変換は操作具Ｓ４１で成される。小風量は取付ＶＳ４２の角部に装備される小気扇で常時回転可能に成されてもよい。操作具Ｓ４１は取付ＶＳ４２に装備された近操作用と、個室Ｓ４６でも操作可能なように充分に長い配線を備えた遠操作用と、があり、後者はプラグインで接続される。取付ＶＳ４２は一戸建の脱衣室等の小窓に標準取付が可能な取付孔を多数個備え、マンション等では比較的に小さい中型窓に取付が可能な可変取付枠が追加される。調圧ＶＳ４３は屋内の空気圧が過大になった時開放するよう小窓等に取付られる。  【００９９】
いま、個室Ｓ４６で療養する際に、遠操作用の操作具Ｓ４１を操作しつつ窓や建具Ｓ４７を必要な適量程開閉して食事の出し入れや感染者の出入り等の用事を済す。上記の操作や開閉が適切に行われれば汚染空気の流出が無く隙間から洩れも無い。個室Ｓ４６内の病原体等は養護体［ＩＩＩ］の活用やストーブの燃焼熱で少くされるべきだ。養護体［Ｖ］Ｓ３０は降雨日の屋外に於ける高温度の湿気を吸気扇Ｓ４０で充分吸入して全居室に充満すれば、加湿機１０数台分の効果でウイルスの活動を相当抑制できる。
【実施例６】
【０１００】
図１２は本発明養護体［ＶＩ］の一実施例を示す図で、（ａ）は感染枠の平面図、（ｂ）は感染網体制を示す図、図１３は他の実施例を示す図で、（ａ）は感染網体制の他の実施例を示す図、（ｂ）は宿主と亜型を示す図、（ｃ）はウイルスの拡り方を示す図である。また、Ｓ５０は養護体［ＶＩ］、Ｓ６０は感染網体制、Ｓ６１は感染連携手段、Ｓ６２は平常管理手段、Ｓ６３は異変初期手段、Ｓ６４確認蓄積手段、Ｓ６５は総括体制手段、Ｓ７０は感染枠、Ｓ７１は趣旨徹底、Ｓ７３は宿主番号である。  【０１０１】
本発明の養護体［ＶＩ］はウイルスの宿主を類別し宿主番号Ｓ７３を付し電子計算機の処理も可能な統一型の感染枠Ｓ７０をインターネットに表示し関係者・専門家が居ながらにして相互連携の一元化を図り、人への感染危険順の重点表を組替可能に構成して危険程度を下げる平常努力を重ねつつ絞り込みを図り、宿主の異変情報に鋭敏な対応体制を居ながらにして構成し、いずれ早晩不可避とされる高病原性に対して上記各機器・各手段・各体制・平常努力の相乗作用でインフルエンザの発生原点を徹底管理する感染網体制を構成し、情報の蓄積・向上と近未来以降の体制強化を図るものである。  【０１０２】
感染枠Ｓ７０は図１３（ａ）のようにウイルスの宿主の管理に必要な事項を総括し宿主を類別して縮主番号Ｓ７３を付し、電子計算機による処理も可能な統一型に構成される。宿主はウイルスの人への感染危険順にランク分けされ重点表が定期的に組替可能に構成されてピックアップされ、危険度を下げる平常努力の基準とされる。このような平常努力等の事前の対策は人的被害は無傷で経費も極少で済む筈だ。それに比べて事後処理は人的被害も経費も膨大となり後遺症も大で大被害となる。例えば高病原性の新型化で世界的な大流行になった場合の被害は真に膨大となる。前記の世界的な統計によるとその被害は世界約３０カ国の大地震に相当し、１カ国の犠牲者は５００万人で、経済損失は５１４兆円と未曾有の大被害に相当する。ところが、上記新型化が発生原点で沈静化されれば犠牲者は零で経費も平常努力による極少で済むので天地の差がある。発生原点の徹底管理が如何に重要かだ。従って上記を念頭におき、万一宿主に異変が生じた場合、異変の程度は例えば記号（○△×）等で表示され、状況要旨は即座に確認可能に的確に表示される。各宿主の異変は、宿主番号Ｓ７３や、国名・記号・番号等で特定・要旨確認できる。感染網体制Ｓ６０は図１２の（ｂ）に示す各手段を含むことで構成される。（イ）感染連携手段Ｓ６１は感染枠Ｓ７０のインターネット表示で専門家・関係者の連携が一定化され、インフルエンザに関する総括管理の世界一元化体制が構成される。相互連携は一方的でなく双方向から情報交換され、住民の確認・質疑も成される。感染枠Ｓ７０は統一型で記入・確認・事務処理が明確で電子計算機の処理も可能に構成される。  【０１０３】
（ロ）平常管理手段Ｓ６２は感染が発生・流行以前の平常時から漸次強化体制が構成される。平常時こそウイルスの脅威に対抗すべき体制が構成され次第に強力な体制となり、近未来以降の力になれる。感染が広り始めた後では伝播力・増殖力が大きいので勢いがつき抑制は難しい。重点管理手段は感染枠Ｓ７０で宿主の全てが届出・検閲・総括され判別される。状況は保健所・管理者等の関係者と専門家とによって人への感染の危険順に複数段にランク分けされる。状況改善はランク分け、ピックアップされた重点表が組替表示され、人への感染の危険性大の飼育場は改善するよう勧告され、各国の責任と平常努力で改善策が指導される。改善策の実行で危険ランクが入れ替るので定期的に１度重点表が組み替えられネット表示される。状況の１例は高病原性の源であるカモとニワトリが管理者の住居の下の庭で毎日飼育されている農家が多い。危険の発生前に個別遮断等専門家の指示や提言に従うべきだ。上記の重点管理・状況改善・危険削減等の平常管理で新な異変の待機の体制が構成される。  【０１０４】
（ハ）異変初期手段Ｓ６３は平常時に標準化されたルートで、使い慣れた統一型の感染枠Ｓ７０で異変の状況が迅速に即座に報告され、確認も即座にされうる。分析協議は関係者・専門家が居ながらインターネットで分析・協議されて的確な対応・処理の源泉となる。統一型の感染枠Ｓ７０は電子計算機の処理で効率化され、インターネットによって専門家・関係者が居ながらにして迅速報告・分析協議・的確対応が寸刻を争う異変の場合に最適である。平常時の感染網体制Ｓ６０は宿主の全てが総括されているので対応事項が標準化され効率処理が可能となる。  【０１０５】
（ニ）確認蓄積手段Ｓ６４は感染枠Ｓ７０に於て異変程度が△×の欄のみが一定期間後に自動的に電子計算機で編集し直されてインターネットに蓄積され各国語で表示され、各国の住民が確認可能な状態にし関係者の平常努力で危険性が削減される。異変の度に対応事項の各処理が最適となり積重・充実し、次世代以降に蓄積して残され有益となる。（ホ）総括組織手段Ｓ６５は専門的で深いウイルスに関する知識がインターネットを通じて提言され、関係者と居ながらにして協議検討され世界の感染症に関する専門家・関係者他から成る連携の一元化が図られる総括体制が構成される。この総括体制手段Ｓ６５は管理者・保健所・自治体を含む関係者と、専門家とが感染枠Ｓ７０及びインターネットで組織化される。質疑応答手段は住民の質疑応答も重複なく蓄積され自衛体制が強化される。総括組織手段Ｓ６５は感染症の全て、例えば結核等についても適用され、感染枠Ｓ７０・電子計算機・インターネット・上記の各手段の相乗作用で構成される。
【実施例７】
【０１０６】
図１４は本発明養護体［ＶＩＩ］の一実施例を示す図で、（ａ）は温暖枠の一例の一部分を示す図、（ｂ）は温暖網体制の一例を示す模式図、図１５は石油資源の消費傾向と地球温暖化との関連を示す図で、（ａ）は北極の夏の氷冠面積変化及びキリマンジャロ山の雪原面積減少の状態を示すグラフで、（ｂ）は現在を中心とする前後約５０年間の石油資源の過大な消費傾向と改善されるべき消費を示す図である。また、Ｔ５０は養護体［ＶＩＩ］、Ｔ６０は温暖網体制、Ｔ６１は温暖連携手段、Ｔ６２は温暖合理手段、Ｔ６３は削減検討手段、Ｔ６４は代替検討手段、Ｔ６５は温暖実用手段、Ｔ６６は化石温存手段、Ｔ７０は温暖枠、Ｔ７１は
趣旨徹底、Ｔ７２は長期計画、Ｔ７３は温暖番号である。  【０１０７】
本発明の養護体［ＶＩＩ］Ｔ５０は、地球温暖化の多岐にわたる抑制手段をまず全て列挙し類別して温暖番号Ｔ７３を付し、記入・確認・取扱いが容易で電子計算機による処理も可能に構成された統一型の温暖枠Ｔ７０に掲載し、インターネットに表示して各集団及び全体の関係者の連携を居ながら密にして処理の的確化・効率化を図る。特に、抑制手段の中で現在既に広く知られ軌道に載っている諸手段は周知であるから温暖番号Ｔ７３を付し再検討の機会を待ちつつ、まだ軌道に載っていないながら地球温暖化への影響が極めて大きい大型〜小型の燃焼炉Ｕ２１に関するものを中心に燃焼炉Ｕ２１の改変や円滑化の手段等システムの開発に努める。そして、地球温暖化と表裏一体の関係にある化石燃料の消費は、特に石油資源は過去約５０年過大な消費が続きあと２０〜４０数年後に入手困難〜枯渇に至る。地球温暖化は現状維持が続くと近未来以降の世代は資源・環境の両面で相当に困難な破局に近い大打撃を受る可能性が極めて大きいとされる。その一大危機を緩和するには現在に於ける解決しかないと推定されるので、諸手段の探索・開発の一手段を図り、現在及び近未来以降への対応を図らんとするものである。  【０１０８】
地球温暖化の抑制手段は１実施例に記載が不可能なので分割する。（図１４）太陽陰影手段：養護体［ＶＩＩＩ］、組合炉型手段：養護体［ＩＸ］、木材主燃手段：養護体［Ｘ］、伐採営林手段：養護体［Ｘ］、ゴミ埋没手段：養護体［ＸＩ］、運輸省力手段：養護体［ＸＩＩ］、家庭省力手段：養護体［ＸＩＩ］、代替検討手段：養護体［ＸＩＩＩ］、（化石温存手段を含む。）
【実施例８】
【０１０９】
図１６は本発明養護体［ＶＩＩＩ］の一実施例を示す図で、(ａ)は基地系の正面図、（ｂ）は基地系の平面図、であり、図１７は他の実施例を示す図で、（ａ）は基地系の各筒の配置の１例を示す図、（ｂ）は基地系集団の１例を示す図で、図１８は本発明養護体［ＶＩＩＩ］の製造装置の一実施例を示す図である。  【０１１０】
また、Ｔ１０は養護体［ＶＩＩＩ］、Ｔ１１は基地系、Ｔ１２基地系集団、Ｔ２０はロケット本体、Ｔ２１は正推進筒、Ｔ２２は副推進筒、Ｔ２３は遮光筒、Ｔ２４は遮光板、Ｔ２５は支柱筒、Ｔ２６は保持筒、Ｔ２７は保持材、Ｔ２８は巻装筒、Ｔ２９は伸展枠、である。また製造装置では、Ｔ３１は各筒製作機、Ｔ３２は燃料製作機、Ｔ３３は各筒組立機、Ｔ３４は各部点検機、Ｔ３５は本体移動機、Ｔ３６は燃料注入機、Ｔ３７は総合点検機、Ｔ４１は製作計算機、Ｔ４２は組立計算機、Ｔ４３は各点計算機、Ｔ４４は移動計算機、Ｔ４５は注入計算機、Ｔ４６は総点計算機、Ｔ４０は大型電子計算機である。  【０１１１】
本発明の養護体［ＶＩＩＩ］は過去５０年間の過大な石油資源の燃焼等で進行し、今後県命の二酸化炭素の排出の削減努力にも拘わらず勢いが沈静化せず、このままでは数十年後、数百年後の近未来以降の地球環境に止む得ず多大の痛撃を与えると推定される非可逆性のある地球温暖化の深刻化傾向に対して、現在の宇宙技術である化学燃料ロケットの可能な範囲内で宇宙空間に多数個の基地系を打ち上げて成る基地系集団が均衛公転軌道を地球に付随して運行するよう配備し、地球の表面に太陽光の陰影である走行陰影部を投影して涼気を誘起しうるよう技術開発を蓄積し、地球温暖化や南極氷床の融解等の抑制にはどの程度の多数基の基地系の配備が必要であるかを研究して正しい方向性の探索を図る。なお、引力が相当に大きい地球からの多数個の基地系を打ち上げることは現状では相当に高額の経費を伴うので、二酸化炭素の排出削減に県命となり近未来が危機に至らぬことが本来の姿であるが、止む得ぬ一手段として基地系の構成部材の徹底した標準化と略自動的な製作と略自動的な組立が可能な製造装置を開発する。しかし、近未来以降にどうしても必要に迫れた場合の一手段を提供して、地球が氷期に向う傾向が明らかになるまでの長期や推力・比推力の大きい新ロケットが未開発で危機回避の継役として近未来以降に備え今現在のあるべき方向性を探索する。（１）養護体［ＶＩＩＩ］の基地系についての説明  養護体［ＶＩＩＩ］Ｔ１０は現宇宙技術の基本である化学燃料（液体水素・液体酸素）による推進力によって地球上から宇宙空間の均衛公転軌道に打ち上げられる。養護体［ＶＩＩＩ］Ｔ１０は例えば図１７に示すように、化学燃料が注入されたロケット本体Ｔ２０の正推進筒Ｔ２１と、その外周に一体化された副推進筒Ｔ２２と、を含み、例えば副推進筒Ｔ２２と同様の筒状を成して一体化された遮光筒Ｔ２３・支柱筒Ｔ２５・保持筒Ｔ２６等を含んで、全体も略細筒状をなすロケット本体Ｔ２０で構成される。正推進筒Ｔ２１は打上げ推進力の主力を成すもので適切な直径の筒状に形成される。副推進筒Ｔ２２は正推進筒Ｔ２１の外周に並べて複数個装備され、その中の１対または２対は打上げ推進力の補助用とされ、残りは打上げ後の軌道修正用とされる。遮光筒Ｔ２３は正推進筒Ｔ２１の左右両側部に例えば１対または２対、整備される。遮光筒Ｔ２３は２対の場合、ロケット本体Ｔ２０の前方・後方に滑動可能に装備され、その内空部には略矩形状の遮光板Ｔ２４が筒状に巻装され伸展可能な伸展窓を両側部に備えている。遮光板Ｔ２４は製板機で製板された帯状板の内側縁が例えばスポット溶接等で一定幅づつ接合され略矩形状に形成され略筒状に巻装される。遮光板Ｔ２４は両側縁も強度保持に一定幅折重ねて溶接等によって接合されている。また、遮光板Ｔ２４はその基端縁が巻装筒Ｔ２８に連結して巻装され、その先端縁が伸長枠Ｔ２９に連結されている。  【０１１２】
次に、支柱筒Ｔ２５、保持筒Ｔ２６及び遮光板Ｔ２４の伸展について説明する。支柱筒Ｔ２５は遮光筒Ｔ２３の両端に略直角に開筒しうるよう連結し装備されている。保持筒Ｔ２６はロケット本体Ｔ２０の前方向と後方向、及び上方向と下方向とに必要な長さ程、伸長しうるよう、例えば遮光筒Ｔ２３やロケット本体Ｔ２０に装備される。そして、支柱筒Ｔ２５と保持筒Ｔ２６の各々の先端は保持材Ｔ２７で連結・張装される。  【０１１３】
ロケット本体Ｔ２０が所定の均衡公転軌道に打ち上げ・運行され始めると、例えば図１６のように遮光筒Ｔ２３が前・後方向に自動的に滑動され、その両端から支柱筒Ｔ２５が略直角に自動的に転開され、保持筒Ｔ２６が伸長して保持材Ｔ２７で的確に支承される。次に伸展枠Ｔ２９が低速で移動し遮光板Ｔ２４が自動的に伸長され両側縁が支柱筒Ｔ２５で維持される。これらは小型計算機で自動制御される。  【０１１４】
次に、遮光板Ｔ２４について詳細を説明する。遮光板Ｔ２４は図１６に示したように基地系Ｔ１１のロケット本体Ｔ２０の両側部の前方及び後方に、例えばロケット本体Ｔ２０の長さｌと略同等の長さを１辺とする略正方形状の２対の遮光板Ｔ２４が伸展される。そして、基地系Ｔ１１は宇宙空間に配備され、太陽と地球との間の均衡公転軌道を休みなく慣性で長年月間運行し続ける。遮光板Ｔ２４は、宇宙空間では太陽光線や宇宙線の照射、太陽風の吹付け、微小隕石の衝突等に露される。このため遮光板Ｔ２４は機械的強度、特に引張強度が極めて大きく強靱であること、上記の過酷な条件によっても劣化しないこと、相当の長年月間変質せず耐腐食性があること、等優れた材質上の特性を必要とする。また、遮光板Ｔ２４はなるべく幅広の帯状板を連続的に製造することが可能であること、等製造面においても特殊な特性を必要とする。  【０１１５】
このような特性を備えており遮光板Ｔ２４として適しているものには、アモルファス合金板、またはステンレス銅板、がある。アモルファス合金板は急冷法によって上記のような特性を有する金属を大量生産することができる。遮光板Ｔ２４は帯状板の両側縁を接合して矩形状に製造されたものを、一旦、遮光筒Ｔ２３の中の巻装筒Ｔ２８に端縁を連結して円筒状に自動的に巻取っておく。遮光筒Ｔ２３はロケット本体Ｔ２０の正推進筒Ｔ２１の外壁に自動的に一体化し宇宙空間の均衛公転軌道に打ち上げで運行の安定後に一対の前記支柱筒Ｔ２５の間に伸展される。遮光板Ｔ２４は必要に応じ逆ロールをかけて真直な矩形板状に戻しつつ伸展される。遮光板Ｔ２４は例えば板厚が０．５ｍｍ〜１．０ｍｍの場合、両側縁が接合されるから両側縁の厚みは１．０ｍｍ〜２．０ｍｍになる。直径約３０ｃｍの巻装筒Ｔ２８に巻取られた場合、一辺約５０ｍの略正方形状に伸展されると仮定すると巻取の厚みは約５０ｍｍ〜１００ｍｍとなり、巻装された遮光板Ｔ２４の外径は約４０ｃｍ〜５０ｃｍとなる。従って、遮光筒Ｔ２３は約５５ｃｍ程度でよく、この大きさは副推進筒Ｔ２２の直径より小さいと推定され、正推進筒Ｔ２１の外周に並べて一体化されても充分な空隙があると推定される。この空隙、または伸展窓の空隙に、例えば枠状の２本の支柱筒Ｔ２５が収容され、その両基端は遮光筒Ｔ２３の両端に略９０度程、モータ等で自動的に低速で略コ型に開くよう連結される。  【０１１６】
次に、遮光筒Ｔ２３、支柱筒Ｔ２５、保持筒Ｔ２６、伸展枠Ｔ２９について説明する。遮光板Ｔ２４は一基のロケット本体Ｔ２０についてできるだけ広い面積に伸展されることが望ましい。遮光板Ｔ２４は広い面積に伸展される程、地球に投影される面積、即ち太陽光を遮断する遮光面積Ｓが広くなり、走行陰影部や太陽光陰影部等による涼気が増し、地球温暖化の傾向を抑制する効率が高くなるからである。また、遮光板Ｔ２４は伸展後も太陽風等の影響を受るから、ロケット本体Ｔ２０にできるだけ強固に、確実に連結されておく必要があるから長さも幅も制限を受ける。そこで、遮光板Ｔ２４は正方形状のものがロケット本体Ｔ２０の両側部の前方と後方に合計２対程伸展される側を説明するが、構造的にも最適な範囲かと推定される。正方形状のものとなった理由は支柱筒Ｔ２５等がロケット本体Ｔ２０の長さに収まるから、伸縮等の複雑な構造を必要とせず、単に９０度開くだけでよいからである。このためには遮光筒Ｔ２３は長さｌのロケット本体Ｔ２０の両側部に２対装備して打ち上げられ、軌道に乗ったらまず、前方と後方に１対づつ約１／２ｌ程、周辺材をガイドとして低速で自動的に滑動され、定位置に自動的に固定される必要がある。この状態で遮光筒Ｔ２３の両端に連結された２対づつ、併せて４対の支柱筒Ｔ２５がその基端を中心として９０度低速で自動的に開れ、各々が略コ型に構成されて止まる。保持筒Ｔ２６が低速で自動的に図１６のように前方・後方及び上方・下方に伸長されて、保持材Ｔ２７が自動的に張装されて支柱筒Ｔ２５は強固に固定される。保持筒Ｔ２６は枠状に形成され、例えばその側縁に形成されたラック状の凹凸が歯車等にかみ合い、モータによって低速で自動的に伸長・短縮が可能に構成される。これによれば、保持材Ｔ２７を強く張装して支柱筒Ｔ２５を強固に支承することもでき、また全て短縮し原状復帰して保持材Ｔ２７等と共に突出部が無い状態にもなる。この状態では燃焼補給ロケットが新たな燃料で充填された補給筒を、例えば燃料を消費し尽した副推進筒Ｔ２２の開口部に必要に応じ略自動的に結合が容易になる。そこで軌道修正用の副推進筒Ｔ２２や補給筒の開口部には結合具等が付設される。なお、軌道修正用の副推進筒Ｔ２２への補給筒の略自動的な結合は、現在の宇宙基地に於けるドッキングの技術が応用されてもよい。燃料の略自動補給が可能となれば相当の長年月間、継続した運行が可能となり経済面他種々の有利性がある。  【０１１７】
次に、遮光板Ｔ２４の自動的な伸展について伸展枠Ｔ２９等と共に説明する。４対の支柱筒Ｔ２５は断面略細コ型の枠状に形成され、相対向する滑動溝から内空に伸展枠Ｔ２９の両端に形成された断面略細コ型の滑動片を円滑に保持し滑動可能に挿入されている。伸展枠Ｔ２９は両端の滑動片が伸展紐に接続されており、伸展紐は４対の支柱筒Ｔ２５の先端に装備された滑車を介して、モータで低速で自動的に巻取られる。モータは支柱筒Ｔ２５を９０度程開いたモータと同じでよい。これにより、４本の伸展枠Ｔ２９はその両端の滑動片を４対の支柱筒Ｔ２５の内空に挿入しつつガイドとして、ロケット
本体Ｔ２０に並行された状態で等速移動される。４枚の遮光板Ｔ２４はそれらの先端縁が伸展枠Ｔ２９に連結されているので、低速で自動的に４対の支柱筒Ｔ２５の間の空間に等速伸展され、先端で自動停止される。略正方形状の４枚の遮光板Ｔ２４を伸展した基地系Ｔ１１の一実施例を図１６に示す。  【０１１８】
ここでは、ロケット本体Ｔ２０の長さをｌ、半径をｒとした場合、基地系Ｔ１１が遮断する遮光面積、Ｓ＝４ｌ２＋２ｒｌとなるが、現在の化学燃料のロケット本体Ｔ２０が成しうる限界であろう。新ロケットの開発・実用化が待望される。上記のように構成された基地系Ｔ１１は、多数基が集団で均衛公転軌道に配備され図１７の（ｂ）に示すように基地系集団Ｔ１２を構成し、地球に付随して休みなく運行し、地球の表面に走行陰影部を投影する。基地系集団Ｔ１２は地球と略等速の公転速度、即ちほとんどが慣性であるから燃料消費は極く少く必要に応じて時々軌道修正用に若干消費するのみであると推定されるが、太陽の回りを運行する。多数の基地系Ｔ１１は決して衝突したり接触したりすることがないよう安全な配備間隔を維持して運行される。図１７の（ｂ）は精確な計算に基づいた配備間隔ではなく１実施例を示したに過ぎない。基地系Ｔ１１は例えば地上の自動車が走行中に他の自動車と決して衝突・接触することがないよう整備される間隔制御器と同様のものが搭載されてもよい。軌道修正用の副推進筒Ｔ２２や補給筒は運行速度を微調整しうるよう前方・後方に微噴射が可能に構成され、間隔検知器や基地計算機に連動され、基地計算機は地球上の大型電子計算機Ｔ４０に連携される。（２）養護体［ＶＩＩＩ］の基地系の製造装置についての説明  図１８は製造の全工程が自動制御も可能であることを示し、説明は省略する。
【実施例９】
【０１１９】
図１９は本発明養護体［ＩＸ］の一実施例を示す図で、（ａ）は改変枠の一例を示す平面図、（ｂ）は燃焼体の一例を示す図、（ｃ）は燃焼システムを示す模式図である。また、Ｕ１０は養護体［ＩＸ］、Ｕ２０は燃焼体、Ｕ２１は燃焼炉、Ｕ２２は化石投入口、Ｕ２３は化石燃料、Ｕ２４は木材投入口、Ｕ２５は木材（木片）、Ｕ２６は投入手段、Ｕ２７は支承材、Ｕ２８は給気手段、Ｕ２９は通気孔、である。  【０１２０】
本発明の養護体［ＩＸ］Ｕ１０は、化石燃料Ｕ２３を投入（注入）すべき化石投入口Ｕ２２を備えた現存の燃焼炉Ｕ２１に於て、主燃材を化石燃料Ｕ２３から木材Ｕ２５等に転換するべく木材投入口Ｕ２４を併設し、他方では木材Ｕ２５を伐採跡地等には計画的な植林営林等々によって二酸化炭素の吸収量を可能な限り増大して地球温暖化の抑制を図り、石油・石炭等の地球独特の有限資源であり極めて貴重な材料資源でもある化石燃料の現在の過大な消費を改めて温存を図り、資源・環境の両面に於ける近未来以降への打撃の可能な限りの緩和を図るものである。  【０１２１】
本発明の養護体［ＩＸ］Ｕ１０は現存の燃焼炉Ｕ２１に木材（木片）Ｕ２５を投入するべき木材投入口Ｕ２４を併設する。そして木材Ｕ２５ができるだけ高温で燃焼するべく支承材Ｕ２７や給気手段Ｕ２８を設け、燃焼に必要な酸素を充分に供給する。給気手段Ｕ２８は燃焼炉Ｕ２１の外面や灰貯箱で加熱された加熱空気が燃焼中の木材Ｕ２５に給気すべく通気孔Ｕ２９や、必要によりファンが装備される。現在の燃焼炉Ｕ２１が石油・天然ガス等の液体や気体を燃焼するものである場合は前記支承材Ｕ２７は新に設ける必要があるが、石炭を燃焼するものである場合は現存のものをそのまま併用できると推定される。化石投入口Ｕ２２は取除かれず組合型に構成される。化石投入口Ｕ２２から投入される化石燃料Ｕ２３特に石油等は非常に燃え易いため、木材Ｕ２５への点火用や助燃用に用いられ、点火後は木材Ｕ２５が燃焼する。木材投入口Ｕ２４には投入手段Ｕ２６が設けられ、できるだけ自動的に投入される。養護体［ＩＸ］Ｕ１０は燃焼炉Ｕ２１が化石燃料Ｕ２３と木材Ｕ２５との組合型に構成され、給気手段Ｕ２８や投入手段Ｕ２６を設け、木材Ｕ２５の型・大きさ等を研究する必要があり、「労苦あっても便利で火力の大きい」燃焼への転換を図る必要がある。燃焼体Ｕ２０は木材Ｕ２４の投入・温度管理・灰出等全体的な自動制御が望ましい。
【実施例１０】
【０１２２】
図２０は本発明養護体［Ｘ］の一実施例を示す図で、（ａ）は燃焼枠の一例を示す平面図、（ｂ）は燃焼網体制の模式図である。また、Ｕ５０は養護体［Ｘ］、Ｕ６０は燃焼網体制、Ｕ６１は改変燃焼手段、Ｕ６２は燃焼合理手段、Ｕ６３は燃料需要手段、Ｕ６４は燃料供給手段、Ｕ６５は化石温存手段、Ｕ６７は植林営林手段、Ｕ７０は改変枠、Ｕ７１は趣旨徹底、Ｕ７２は長期計画、Ｕ７３は改変番号、Ｕ８０は燃焼枠、Ｕ８１は趣旨徹底、Ｕ８２は長期計画、Ｕ８３は燃焼番号である。  【０１２３】
本発明の養護体［Ｘ］Ｕ５０は全国各所に散在する現存の燃焼炉Ｕ２１を統一型で電子計算機による処理も可能に構成された改変枠Ｕ７０に列挙し類別して改変番号Ｕ７３を付し、木材Ｕ２５を主燃料とするよう燃焼炉Ｕ２１改変に必要な事項を掲載してインターネットに表示し、各々の燃焼炉Ｕ２１の関係者の連携で効率化を図る。また、その改変が完了したら新に燃焼枠Ｕ８０に各々の燃焼体Ｕ２０を列挙して燃焼番号Ｕ８３を付し、いずれ必要になる大量の木材Ｕ２５の燃焼・消費による燃料需要手段Ｕ６３と、全国の各地に存在する山林からの大量の木材Ｕ２５の燃料供給手段Ｕ６４の各事項及び内容を表示し、インターネットによって関係者の連携で効率的・合理的な需給体制を構成して燃焼の存続の円滑化を図る。さらに、一方では極めて貴重な材料資源であるにも拘わらず良燃性であるという１つの物性のみで燃料として現在まで浪費が続けられ、２０・４０数年後に入手困難・枯渇の危機を迎える石油資源が、他方ではその燃焼によって大量の二酸化炭素を排出し続けてきた有限で唯一の住家である地球は地球温暖化という危機を迎えて大きな転換期にある。そこで、全国各地に多数散在する燃焼炉Ｕ２１に於て化石燃料Ｕ２３の代りに木材Ｕ２５を主燃料として化石燃料の枯渇の危機を回避し、木材Ｕ２５の伐採後の跡地に植林営林手段Ｕ６７の全国的・長期的な計画を各地域を主体に策定して燃料の長期的な供給循環と、営林される育成期の樹木の光合成による長期的な炭素の循環の軌道化を図って地球温暖化の危機の回避を図り、さらに間伐材の伐採や跡地への植林・営林で樹木の新陳代謝を進めて二酸化炭素の吸収を活性化して森林と治水の健全化を図り、長期計画Ｕ８２に基く体制を構成して現在及び近未来以降への一手段を図らんとするものである。  【０１２４】
燃焼網体制Ｕ６０は、燃焼連携手段Ｕ６１と、燃焼合理手段Ｕ６２と、燃料需要手段Ｕ６３と、燃料供給手段Ｕ６４と、化石温存手段Ｕ６５と、によって構成される。これらの各手段は図２０（ｂ）に示すような各手段を含むことにより構成される。現在我が国に於て排出されている１年間の二酸化炭素の総排出量は１２億３７００万トンで、直接的な燃料消費によるものは産業部門３１％、発電所等３１％であり、燃焼炉Ｕ２１に依るものは全体で約６２％と極めて大きいことが判っている。（２０００年度の環境省資料）そこで燃焼炉Ｕ２１の改変の研究が必要となる。これらの燃焼炉Ｕ２１は燃料が化石燃料（石油・石炭・天然ガス）であろうから、必要とされる熱量（カロリー）の大きさ、燃焼制御の容易さ、等から燃料の転換は無理かと考えられる。しかし、燃焼炉の種類の大多数は可能となるものが出てくると推定されるので、全種類を類別して検討することを試みる。そこで燃焼網体制Ｕ６０は、現存の燃焼炉Ｕ２１を全て調査して、現在の化石燃料を点火用・助燃用・制御用とし、木材（バイオマス）Ｕ２５を主燃料とする組合型（ハイブリッド型）とすることを試験的に以下に記載する。  【０１２５】
（イ）改変燃焼手段Ｕ６１は、改変枠Ｕ７０が記入・確認・事務処理が明確・かつ効率的で電子計算機での処理も可能な統一型に構成される。改変枠Ｕ７０は大小全ての燃焼炉Ｕ２１が掲載され、類別されて改変番号Ｕ７３・趣旨徹底Ｕ７１・長期計画Ｕ７２が掲載され、種類・規模・化石種類・改変部分・改変工事、等の各欄を設けて形成される。記載しきれないものは頁指定で別頁に記載され、インターネットに表示され関係者が連携され活用のされ方次第で効率的になるか否かが決定される。  【０１２６】
燃焼炉Ｕ２１の改変はあくまで慎重な検討段階を踏んで万全を期すべきである。燃焼炉Ｕ２１は化石投入口Ｕ２２に木材投入口Ｕ２４を併設する改変工事は必要不可欠なのか、他に良い手段は無いのか、失敗は無いのか、を徹底的に研究・検討する。一方では電子計算機によるシュミレーション検討、他方では少量試験で数種・数台の燃焼炉Ｕ２１が試験的に改変され、燃焼状態の確認、熱量のデータが採取され分析される。燃焼炉Ｕ２１は現在運休中のものが試験され、専門家の意見も入れて木材（木片）Ｕ２５の型・大きさ・量が検討され、改変に入念な検討が成される。判断の基準は常に現状の課題（資源・環境）から方向性が正しいか否かである。そして、あくまで燃焼炉Ｕ２１の所有者自身が考えて改変に踏切るか判断することである。しかも上記の少量試験も下記の中量試験も全ての燃焼炉Ｕ２１が改変前の状態に何時でも原状復帰が可能なように、化石投入口Ｕ２２はそのまま残され、木材投入口Ｕ２４耐熱板で被覆されれば、もとの燃焼炉Ｕ２１として使えるよう配慮して構成される。何事も新しい転換に踏込むことは慎重な検討を要する。  【０１２７】
上記の少量試験の諸データの分析結果が“ＧＯ”であれば中量試験に進む。中量試験は改良すべきところを全て改良し、必要な試験は全て行いデータを採る。そしてそのデータの分析結果が“ＧＯ”であれば大量試験も行うか、または可能な種類のみ全面切換を行うか、の判断は然るべき当局と検討委員会の判断に任る。このような諸試験や研究・検討が行える機会があることはもはや資源枯渇や地球温暖化が最終段階まで追い込まれているわけではなく、まだ１歩のみ残しているであろう“現在”だからこそ可能でありうる。数年先であれば明らかに手遅れであると推定される。特に石油資源は輸入困難や価格高騰すれば“組合型”さえ難しくなり、異常な混乱が予測される。過去の石油危機が良い実例であり、それら以上の打撃が予測される。そうなる前の転換が重要であると推定される。現在に於て転換されなくても、３〜５年後には止む得ず全面転換をせざるを得なくなる運命は充分考えられ、それまでの石油資源・地球温暖化の両面の損失は相当大きい上にその場合現在よりはるかに不利となり将来的には不幸だ。  【０１２８】
燃焼枠Ｕ８０は上記の燃焼炉Ｕ２１の改変が完了した後に燃焼される主燃料となる木材（木片）Ｕ２５の需要と供給とに関する事項が掲載され、記載・確認・処理が効率的で、電子計算機での処理も可能な統一型に構成される。燃焼枠Ｕ８０は図２０（ａ）に示すように、燃焼番号Ｕ８３・趣旨徹底Ｕ８１・長期計画Ｕ８２が掲載され、木材（木片）Ｕ２５の需要面と供給面との各項目の各欄を設けて形成される。燃焼枠Ｕ８０は記載しきれないものは頁設定で別頁に記載され、インターネットに表示され関係者が連携され活用のされ方次第で効率的になるか否かが決ってくる。  【０１２９】
（ロ）燃焼合理手段Ｕ６２は一般的基本姿勢が示される。燃焼炉Ｕ２１の改変及び主燃料の化石燃料から木材（木片）Ｕ２５に転換される趣旨は、所有者や関係者に徹底的に正しく理解されてからその責任に於て全て成されるべきである。転換は上記のように資源及び環境の両面から必要不可欠で、熟考後判断される。図１５に示すように化石燃料、特に石油資源は、主に人間の一生涯の短い期間に浪費し尽されようとしており、その結果地球の両極の氷床の融解に変化が表われるまでになっている。上記の浪費は２０・２１世紀の現在の責任であることが厳しく反省されなければならない。現段階に於て近未来の世代は圧倒的な弱者であり、現在の行為が原因で破局に相当する大きな打撃を受ける。近未来以降の破局・打撃は現在の責任で何とかして緩和または回避されなければならない。現在は
厳しい反省の上に立ち、現世紀の行動が原因する以上、行動の転換は正に時代の要請である。これを放置すれば近未来以降の現在への悔恨は悲惨である。もとの原状に復帰しない非可逆の有限資源や地球環境は絶妙の条件が備って何億年もかけた全く奇跡的な創生である。当然のことだが現在のためのみにあるものではない。未来に向けて末長く長年月生存するべき膨大な未来の人類と多くの種類の未来の膨大な生物とが共有すべき唯一の住家であり生命の源泉である。であれば、当然有限資源と地球環境は可能な限りの長期計画が策定されるべきである。長期計画は浪費を厳しく慎むようになるから近未来以後の世代や現在の地球温暖化もその分養護されうると推定される。地球は資源と環境とが限られた有限の宇宙船にたとえられる。浪費をし大量の排出を続ければ当然破局に至る。破局や混乱が始れば長期計画等はとても無理で手遅れである。現在の平穏の中でこそ幅広い専門家の熟慮協議で冷静に長期計画が立てられる筈である。何事も全ての行動の基準は意志の持ち方次第であり、意志は行動の源泉である。資源・環境の成否は万人が心の底から納得して行動するか否かによる事が大きい。インターネットは幸いにして万人が確認可能であり、蓄積・向上の機能がある。資源・環境の問題は今までの生活を相当転換しなければ中途半端で効果を挙ない。転換は難しい現実だが熟考され自律と責任で最善の道を選ぶべきで、有限の環境内で破局することなく末長く生きることは万人が長期計画に基く努力を必要とする。現在は真に試練の中にあり、理屈を超えて固く重要性・意義を心に刻み込むことである。自律の心は浪費を削減し近未来を考える方向に向うと考えられる。魅力ある化石燃料が有りながら未来に残し環境を護ることは全体的に相当の覚悟と自律とを必要とする。地球温暖化は化石燃料から計画的に脱却を図ることで相当抑制される。  【０１３０】
（ハ）燃料需要手段Ｕ６３は、燃焼炉Ｕ２１が産業部門及びエネルギー変換部門（発電所等）等全国の各地に散在し、非常に多方面にわたるので、インターネットに地図入りで表示され、拡大・縮小が可能で詳細に確認されて把握される。また、各々の燃焼炉Ｕ２１は主燃料を木材（木片）Ｕ２５とした場合に、その需要量が電子計算機によるシュミレーション等によって的確に計算され、上記と同じインターネットに表示される。木材（木片）Ｕ２５は燃焼炉Ｕ２１の種類や大きさによっても異るので類別され、最適の型・大きさが標準化されて数種に決定される。木材（木片）Ｕ２５はその型や大きさによっては発電所等の燃焼炉Ｕ２１の主燃材としても採用される可能性がある。助燃用の化石燃料と共に必要な熱量を供給しうるとすれば化石燃料の使用量を相当削減できるかと検討中で今後の研究課題とされる。もし、これが不可能ではないと仮定すれば、原子力発電が昼夜にわたり一定の出力で、特に電力需要の大きい昼間の電力がほとんど化石燃料に頼っている現状を改善できる。なお、投入手段Ｕ２６は木材投入口Ｕ２４から木材（木片）Ｕ２５が必要量・必要時に投入されるよう自動制御され、それらは調節可能に構成されることが望ましい。各種の試験は前記のように各種が繰返し行われ、データを採って分析し、その結果で全ては決定される。その期間を活用して下記の（ニ）燃料供給手段Ｕ６４も充分に準備されることが可能になる。また木材（木片）Ｕ２５はその大きさ・型が決定されたら、調達方策や蓄積計画の各手段も決定されるので、上記の各種の試験やデータは非常に重要である。  【０１３１】
（ニ）燃料供給手段Ｕ６４は、まずインターネットの地図や実施調査等による山林選定から開始される。山林は樹種・樹令・本数・広さ・引出・運搬容易性、等の要点が実施調査され、インターネットに表示される。樹木は燃料に適しているもの、間伐や樹令が適しているもの、等が熟練者によって付印されて、伐採される。一般に成熟した樹木は二酸化炭素を吸収し尽して満杯になっているので新に吸収する作用は大きくないが、若い樹木は育つために吸収作用が大きい。即ち山林が二酸化炭素の吸収源としての作用を果すには伐採・植林・成長の循環が必要になる。山林は伐採跡地に植林されれば太陽光によって年々育成されるから、燃焼炉Ｕ２１への燃料供給量は略無限に近いものがある。植林営林手段Ｕ６７は長期計画Ｕ８２に基き樹種決定や育苗装置が決定されて、インターネットの表示に従って伐採跡地に計画的に実行される。植林営林手段Ｕ６７は熟練者等の指導で最適な人員が動員されて効率的に実施される。都会に住む住人が休日に心身の健康を兼ねて行う希望があれば、インターネットで募集・案内されて実施される。育苗装置は最適の樹種が早期に採択され効率的に育成される。育苗・植林営林、及び伐採・引出し・運搬は健康的な条件が整った山林での労働だから、考え方に依れば絶好の仕事であり地域起しにもなる。伐採跡地は植林しなくても自然に燃焼用に適切な樹種が芽生る山林は自然に任ね営林のみとする。選木伐採手段Ｕ６６や引出運搬も熟練者の指導のもとで実施される。引出運搬は大木をロープで連結した空中運搬の手段もあり、集中的に相当量をモータの力も借りて省力化できる。木材Ｕ２５は引出後の切断加工・日照乾燥等が一括して木材加工所で行われる。これらの作業は化石燃料に比べれば負担となるが、「化石燃料の枯渇と地球温暖化とは二重に近未来以降の大きな打撃・破局となる」という危機を回避するためには欠くことができない負担で、早晩不可避と推定される。仮に方針が正しければ、軌道化された後に検討後部分的自動化・機械化もありうることで格段に省力化できる。方針の検証は極く重要である。木材Ｕ２５の需給調整・調達方策等は全てが円滑に運ばれるよう構成されたプログラムを内蔵した電子計算機で計算され、燃焼枠Ｕ８０に掲載してインターネットに表示され関係者が連携される。  【０１３２】
（ホ）化石温存手段Ｕ６５は、まず燃焼炉Ｕ２１の主燃材が化石燃料から木材（木片）Ｕ２５に転換されることの意義・重要性が再認識されるよう、上記の各手段に於て記載事項等が簡明に箇条書きで掲載されインターネットに表示される。４０数年後に枯渇するとされている石油資源は近未来以降に於てせめて材料資源として極めて貴重な存在となる。そこで油田は丸ごと温存されることが望ましく効果があると推定される。インターネットの連携等で充分に協議され合意されれば化石温存機関が設けられ協定され遺されることが重要となる。地球温暖化も養護されると推定される。重要事項や必要な情報はインターネットで収集され各国で確認して遺される。情報は追加・補充され遺されれば科学技術と同様に次第に蓄積・向上される。
【実施例１１】
【０１３３】
図２１は本発明養護体［ＸＩ］の一実施例を示す図で、（ａ）は廃棄枠の一例を示す平面図、（ｂ）は廃棄網体制の一例を示す模式図である。また、Ｖ１０は養護体［ＸＩ］、Ｖ２０は廃棄網体制、Ｖ２１は廃棄合理手段、Ｖ２２は埋没省力手段、Ｖ２３は重要養護手段、Ｖ２４は長期計画手段、Ｖ２５は化石温存手段、Ｖ３０は廃棄枠、Ｖ３１は趣旨徹底、Ｖ３２は埋没契約である。  【０１３４】
本発明の養護体［ＸＩ］は全家庭・全食堂他から大量に排出される可燃ゴミの主成分である生ゴミと、汚染ゴミと、非汚染の資源ゴミ、とを分別回収し、生ゴミは生分解性ゴミ袋に収容し農地に埋没して肥次化を図り、汚染ゴミは古紙袋に収容し空地・草原に埋没して貸農地とし、書面・インターネットに表示して地図付の埋没地の募集・溝穴形成契約・覆土契約・安定的長期計画を省力的に策定して軌道化し、世界中で数千カ所に及ぶ焼却炉に於ける従来のような重油の大量投入燃焼・石油製ゴミ袋の大量焼却等の焼却体制を脱却し、枯渇や入手困難が目前に迫ったとされる有限の石油資源の消費と、石油資源の大量焼却で排出される二酸化炭素と、を激減して地球温暖化の抑制の一手段を図り、空地・草原の貸農地化を図る廃棄網体制を開発して、多重の苦境が迫る近未来以降への備えを図る。  【０１３５】
廃棄網体制Ｖ２０は廃棄合理手段Ｖ２１と、埋没省力手段Ｖ２２と、重要養護手段Ｖ２３と、長期計画手段Ｖ２４と、情報蓄積手段Ｖ２５と、を含んで構成されている。  【０１３６】
（イ）廃棄合理手段Ｖ２１は、図２１（ｂ）に示す各手段を含んで構成される。統一ネット手段は関係者の検討を経て標準的に構成された略統一型に形成され電子計算機による処理も可能に構成される。廃棄枠Ｖ３０は図２１の（ａ）に示す如く生ゴミと汚染ゴミの埋没に必要な事項を掲載した各欄を備え、廃棄契約番号が付されて管理され、インターネットのホームページに表示されたパソコンや携帯でも確認が成される。廃棄合理手段Ｖ２１は、従来の可燃ゴミの主成分である生ゴミと汚染ゴミとが分別回収されるよう構成される。生ゴミは大量の水分を含有するので生分解性プラスチック製のゴミ袋に収容して回収される。その他の汚染ゴミは古紙で製作された古紙袋で回収後空所・草原に埋没される。古紙は汚染を含むもの以外は資源として最大限活用され古紙袋にもなって、石油製ゴミ袋が焼却されず救済される。石油製ゴミ袋しか無い場合は焼却せず埋・穴に投入後鎌で切開しゴミ共埋没する。  【０１３７】
（ロ）埋没省力手段Ｖ２２は、生ゴミと汚染ゴミの埋没地の応募が趣旨・規定等と共にインターネットや書面に表示され、各ゴミの埋没地の契約等が農家・地主に呼びかけられる。埋没地の溝・穴の形成は廃棄枠Ｖ３０に表示した日に建設機械が集中的に巡回派遣され計画的・効率的に形成される。埋没地の地図は募集時に添付され、インターネットでは拡大・縮小可能に表示される。生ゴミは生分解性ゴミ袋のままで、汚染ゴミは建設機械や農業機械で省力的に覆土される。  【０１３８】
（ハ）重要養護手段Ｖ２３は、石油資源はあと４０数年で枯渇し、２０数年で輸入困難となると推定されている。実に貴重な材料資源だから養護されるべきだ。重油はディゼル車・船舶に不可欠で枯渇すれば以後動けない。大量の重油や石油製ゴミ袋の焼却は大量の二酸化炭素を排出するから地球温暖化が悪化する。石油資源の枯渇や地球温暖化の傾向は現在までの人類の行動のあり方が原因して起っているから、現行動の１つ１つが検証されて改めることで近未来は開かれる。生ゴミは農地を肥沃にし、汚染ゴミは生分解が遅く二酸化炭素の排出は少い。  【０１３９】
（ニ）長期計画手段Ｖ２４は、インターネットで複数の農地や空地・草原に計画的に巡回され、埋没後も各ゴミの分解時期後再活用するよう循環計画される。大都会に隣接した農地は不足する可能性もあるので、空地・草原は埋没地の候補地となり得、埋没後は畑として活用でき貸農園としてインターネットで受付できる。生ゴミは生分解性プラスチックのゴミ袋に収容されれば、袋入りで埋没しても１年内外で分解して土になり臭いは一切出ないから住宅地近くの空地も活用できる。インターネットに依れば全ての空地・草原を地図で探索でき長期計画もでき易い。  【０１４０】
（ホ）化石温存手段Ｖ２５は、インターネットに表示すればパソコンや携帯でも確認できるから重要性を認識できる。従って、埋没地の募集や埋没に農家・地主の協力を得ることができ、また生ゴミと汚染ゴミの分別の協力も得られ易い。分別・埋没は最初限定された地域で試験的に実施して問題点があれば修正できる。ゴミ廃棄の問題は各国共通であり、石油問題も温暖化問題も解決の一手段となる。なお、大都会では相当に大量の汚染ゴミが出るので完全に埋没する空地・草原が足らない場合は、当面なるべく少量を焼却して空地・草原を探し、生ゴミのみ農地に埋める。空地・草原はまずインターネットで探し役所・地主の協力を得る。
【実施例１２】
【０１４１】
図２２は本発明養護体［ＸＩＩ］の一実施例を示す図で、（ａ）は同乗枠の一例の一部分を示す図、（ｂ）は対照体の一例を示す平面図、（ｃ）は情報体の一例を模式図である。またＶ５０は養護体［ＸＩＩ］、Ｖ６０は同乗体、Ｖ６１は同乗枠、Ｖ６２は趣旨徹底、Ｖ６３は発着欄、Ｖ６４は条件欄、Ｖ６５は募集欄、Ｖ７０は対照体、Ｖ７１は趣旨欄、Ｖ７２は要旨欄、Ｖ７３は説明欄、Ｖ７４は月日欄、Ｖ８０は情報体、Ｖ８１はテレビ、Ｖ８２は携帯、Ｖ８
３は中介器、である。  【０１４２】
本発明の養護体［ＸＩＩ］Ｖ５０は運輸関連の自動車・船舶・航空機に於ける往路・復路の出発・到着を示す発着欄、発着に関する時・場所・数重量・経費・同乗所を示す条件欄、が対照的に掲載され、インターネットに表示して諸条件が合致すれば簡略な同乗契約が結ばれて余分の空所に同乗・積載され、運行数が削減されて化石燃料の消費や二酸化炭素の排出等の削減が図られる同乗体Ｖ６０と、日常生活に於ける省力化に関する趣旨が掲載された趣旨欄Ｖ７１、省力化に関する事項の要旨が掲載された要旨欄Ｖ７２、該要旨等の説明が掲載された説明欄Ｖ７３、日常生活で注視する機会の多い月日欄Ｖ７４、等が対照的に装備され、省力化によって二酸化炭素の排出の削減が図られる対照体Ｖ７０と、世界共通の情報網であるインターネットに表示された共通情報（例えば資源枯渇・地球環境）の情報が各国のテレビＶ８１や携帯Ｖ８２にも表示されるよう構成され、共通意識が高まり二酸化炭素の削減が図られる情報体Ｖ８０と、を具備して化石燃料の消費や地球温暖化等の抑制を図らんとするものである。  【０１４３】
本発明の養護体［ＸＩＩ］Ｖ５０は同乗体Ｖ６０と、対照体Ｖ７０と、情報体Ｖ８０と、で成る。  【０１４４】
（イ）同乗体Ｖ６０は、同乗枠Ｖ６１が各欄への記入・確認・取扱いが明確で処理の効率が良く、電子計算機による処理も可能な統一型に構成され、インターネットにも表示される。同乗枠Ｖ６１は、運輸関連の自動車（乗用車・貨物車）船舶（漁船・貨物船）航空機（旅客機・貨物機）に於ける往路・復路の出発・到着を示す発着欄Ｖ６３と、発着に関する月日時分・場所・数重量・経費・同乗所を示す条件欄Ｖ６４と、が対照的に例えば直角に交叉して掲載される。同乗枠Ｖ６１は該当する欄に記入して同乗者・貨物を募集欄Ｖ６５に記入してインターネットに表示する。このインターネットに表示された同乗枠Ｖ６１を見て諸条件が合致して同乗を希望する場合は連絡先に電話等で連絡して、具体的な条件欄Ｖ６４の諸条件を調整し再確認して簡略型の同乗契約がメール等で交換され契約成立となる。この場合、安全や事故防止のためあらかじめ発着口のしかるべき当局にメール等で連絡し、承認が得られれば同乗番号が発行される。同乗枠Ｖ６１は募集側・応募側の双方からインターネットに表示されて条件の合意先が探索されてもよい。なお、条件の１つとしての経費は例えば諸条件に応じて標準的な相場があらかじめ取決められていることが望ましい。経費は双方に利益があり燃料高騰後や、遠距離の場合は無視できず、いずれ必要になるが、何より石油資源・環境に意義がある。また、タンカー等の場合片道に積載する貨物はどのような手段で探索しているだろうか。巨大な貨物船は相当な重油を消費し長時間航行するため影響が大きいので同乗貨物を探索することが重要になるが日々異るので効率的手段が望まれる。石油資源の価格高騰・入手困難になる前からシステム化する。  【０１４５】
（ロ）対照体Ｖ７０は、日常生活に於ける省力化の重要性等の趣旨が判り易く掲載された趣旨欄Ｖ７１と、省力化に関する実行事項が列挙・類別されその要旨が箇条書きに掲載された要旨欄Ｖ７２と、その要旨の的確な説明が掲載された説明欄Ｖ７３と、日常生活で注視する機会が多く日々の実行の採点も記入可能な月日欄Ｖ７４と、の中で必要とされるものが使用者の選択で、対照的に装備可能とされる。統一大型で何回でも確認しうるインターネットや印刷物により各欄が対照的に装備され箇条書に簡明に掲載される。印刷物は独立的な印刷、インターネットからの印刷、刊行物への折込み、広告のチラシの一部として入替可能にされ、定期的に入替れば省力化の略全実行事項が住民に浸透され易いと推定される。  【０１４６】
（ハ）情報体Ｖ８０は、世界共通の情報体であるインターネットに表示された世界的課題（資源枯渇・地球環境等）が、中介器Ｖ８３を介してでも、世界共通的にテレビＶ８１や携帯Ｖ８２にも表示されると非常に効果的である。世界的課題は世界が一体感をもった意識の共有が大切で世界の各国が足並をそろえて進むべく略同一映像が半同時進行で流せる世界共通の情報システムは深い意義がある。発電所からの発電情報や消費電力情報はインターネットを介して発信局に伝達され、テレビＶ８１や携帯Ｖ８２で表示されると切実感があり節電効果が上る。多数の省エネ情報はテレビ画面の片隅に常時表示や繰返し表示で身につき効果上る。
【実施例１３】
【０１４７】
図２３は本発明養護体［ＸＩＩＩ］の一実施例を示す図で、（ａ）は代替枠の一例を示す平面図、（ｂ）代替網体制の一例を示す模式図である。また、Ｗ１０は養護体［ＸＩＩＩ］、Ｗ２０は代替網体制、Ｗ２１は（集団）代替連携手段、Ｗ２２は（集団）代替合理手段、Ｗ２３は（集団）代替検討手段、Ｗ２４は（集団）代替実用手段、Ｗ２５は（集団）化石温存手段、Ｗ３０は代替枠、Ｗ３１は趣旨徹底、Ｗ３２は長期計画、Ｗ３３は代替番号、である。  【０１４８】
本発明の養護体［ＸＩＩＩ］Ｗ１０は統一型で電子計算機の処理も可能に構成された代替枠Ｗ３０をインターネットに表示して、早晩回避できないで早期の定着化が要請される石油製品・石油部品から他の材質への代替えの省力化・迅速化・安定化・効率化を図り、絶妙な条件下数億年かけて地下で生成され有限ながら人の一生程の極めて短い年月に消費し尽され枯渇を目前にしながら他方で現在生活の隅々にまで浸透している、極めて貴重な材料資源である有限の石油資源を代替に必要な事項が掲載された代替枠Ｗ３０と、電子計算機の諸機能と、インターネットの諸特性と、使用済の分別回収体制と、等の相乗作用を活用して材質の可能な限りの代替の検討を進めて近未来以降への可能な限りの資源温存を図る一方、リサイクルが困難で石油製品の大量焼却は大量の二酸化炭素を排出して近未来以降に多大の打撃を与える地球温暖化等の抑制への一手段を図り、現在及び近未来以降への養護に的確に備え所期の目標の達成を図らんとするものである。  【０１４９】
なお、石油製品・石油部品の代替は、各企業や同業団体等の集団に於る連携で進めるべき段階と、さらに発展して国内・各国との連携や標準化等が必要になる段階と、があるので、両方に適用され、またインターネットの表示がそのまま両者に共用可能になることを目標に構成される。  【０１５０】
さらに、石油資源は近未来以降に歴史の時代の進行と共に重要性が益々増大すると推定される。従って、使用済の石油製品・石油部品は使い捨てや焼却ができるだけ極少にされて、例えば販売店を通じて回収され、場合によっては必要な表面処理を行って、旧品の再生使用が新製品に準じた取り扱いが可能になるよう、代替枠と、インターネット、等で管理範囲の拡大を目標に構成される。  【０１５１】
代替網体制Ｗ２０は、各国共通型あるいは各集団専用型とされるべく、例えば図２３の（ｂ）に示すように構成される。即ち、代替網体制Ｗ２０は(集団)代替連携手段Ｗ２１と、（集団）代替合理手段Ｗ２２と、（集団）代替検討手段Ｗ２３と、（集団）代替実用手段Ｗ２４と、（資源）化石温存手段Ｗ２５と、により構成される。これらの各手段は図２３（ｂ）に示す各手段を含んで構成される。  【０１５２】
（イ）代替連携手段Ｗ２１は例えば統一型に形成された代替枠Ｗ３０を中介手段として統一的に管理される。代替枠Ｗ３０は関係者の検討を経て標準化され統一的に使用可能とし、できるだけ電子計算機による処理も可能に構成されている。代替枠Ｗ３０は図２３の（ａ）に示すような各欄を備えて統一型に構成され、インターネットに表示されて関係者の相互連携が図られ対策が協議される。図（ａ）は１例に過ぎずこれに限定されないが、図（ｂ）に示すような各手段の達成が可能なように構成される。代替枠Ｗ３０は図（ｂ）を経て分類・整備された製品名・部品名毎に各々代替番号Ｗ３３が付され、統一的な管理や即座に対応できる基盤を備えて、製造量・代替材料・代替方法・処理・関連技術・連絡先等の各欄を備える。重要な要点は一方的でなく相互に情報交換され、各集団毎あるいは各国毎に確認され、所定の目標達成の重要性が確認される。  【０１５３】
上記した代替連携手段Ｗ２１はまず石油資源が使用されている現在の石油製品・石油部品の各々の名称が総て洗いざらい列挙され網羅される。そして、これらが徹底的に分類・整備されて、その各々に代替番号Ｗ３３が付されて整備される。次に、これらの各々について石油資源を主原料としない他のものに転換できないか、あるいは表面処理できないかが徹底的に探究され、かつ検討される。さらに、代替枠Ｗ３０は図２３の（ａ）に表示される各欄の事項ができるだけ的確に表示される。例えば代替材料の候補として適切なもの複数が順に表示される。代替枠Ｗ３０は各欄への表示が難しいものが、例えば頁指定とし他頁に表示される。代替枠Ｗ３０の表示は関係者や専門家の検討を経て的確に成されるが、慎重を期する必要があるので一旦インターネットに表示されて各方面の検討に任ねる。代替分類・付番が的確に完全に行われることは合理性が徹底され、処理が省力化・迅速化・効率化されて、技術的な秩序維持と、的確な技術浸透に関連する。  【０１５４】
（ロ）代替合理手段Ｗ２２は実施例１０（養護体１０）の「（ロ）燃焼合理手段Ｕ６２」に於ける記載と略同一なのでここでは割愛する。  【０１５５】
（ハ）代替検討手段Ｗ２３は、近未来以降の大きな打撃・混乱となる可能性が強い石油資源の枯渇・地球温暖化という大きな２つの危機を何とか回避できないか、という趣旨から燃焼以外の方策として代替が徹底的に検討されるべきである。そのために、現在石油資源が使用されている石油製品・石油部品が徹底的に網羅される。石油製品・石油部品は他にはめずらしい優れた物性を備える。物性は、電気絶縁性・耐水性・耐薬品性・耐腐蝕性・可燃性・耐風化性・成型容易性・経済性・肉薄強靱性・等々である。これらの物性が活かされるべく現在の生活の隅々にまで浸透されている。その中には真に優れた物性が活用されているものもあるが、中には単に経済性他の理由のみで過大消費されている石油製品・石油部品が非常に多数を占めている。それらは数え上げれば果しない程多数になる。消費は無計画で図１５の（ｂ）に示すような消費曲線となり約４０数年で枯渇するとされている。石油資源は４０数年以後の近未来以降の人類はこの優れた石油資源の物性をもはや活用することはできないのである。これは２０〜２１世紀の大きな責任であり失策ではないだろうか。石油資源は上記の優れた物性を備え、しかも有限である、ということが判った数十年前から、各国の合意に基く相当の長年月の人類がその恩恵に浴するべく“石油資源長期温存計画と長期消費計画”とが世界的に検討されるべきであった。約２０年前の資料では、「石油消費量は年間約１０億トンを越すようになり、あと４０数年で枯渇する」とされている。探索を重ねた末油田が発見されたことが枯渇を早めてしまう。あくまで石油資源は有限であり、枯渇は目前とされる。油田は丸ごと温存されるべきだ。絶妙の条件下数億年かけて地下で生成された有限資源が人の一生程の短期間に消費し尽くされようとしている。資源も環境も現在のためだけのものではない。石油資源はこのまま放置されれば早晩入手困難・枯渇の時期を迎えるであろう。その時期に至って過去の浪費を後悔しても既に遅過ぎる。また、製品・部品の代替えや事業の転換の急な実行は計画の基かぬ相当の無理があり打撃を受ける。既に消費した大半の資源は二度と再び還ってこない。何事も貴重なものは失って初めてその貴重さが再認識され痛みが骨身に浸みるのである。既に遅過ぎた見通しもあり５０年で半分を浪費した。現在は真に分岐点にある程重要である。  【０１５６】
削減循環手段は石油製品・石油部品等は一般にその価値がある間は保存し管理されるが不要になったら自然に風化しなくても使い捨てして環境汚染の原因になっている。合成樹脂は代表的なものでも数種類もあり、リサイクルマークが付されていてもそれらを分類するのが大変な人手を必要とし、リサイクルする工程自体も相当の経費を必要とする。そこで
ゴミの燃焼用として重油代りに使用すれば二酸化炭素を排出する。石油製品・石油部品は一度成型するとリサイクルが容易でないので、石油資源の枯渇や地球温暖化を考えれば成型量をできるだけ削減する方が良いとされている。なお、短期で使い捨てされるものは生分解性プラスチックが使用されるべきで、生分解性は今後研究開発が期待される。  【０１５７】
表面処理手段は、石油製品・石油部品が使用されていたところに他の材質による代替が行われた場合、その特有の物性の一部も維持しようとして樹脂被覆・樹脂塗装等の表面処理が施される。または外観の重視や耐腐食性のためメッキ処理・塗装が行われる。代替が行われず外観の損傷のない場合は洗浄・消毒・乾燥のみで済むものもあり、表面処理手段は石油資源の有効活用に不可欠である。  【０１５８】
旧品再生手段は、石油資源は今後益々貴重になるから、現在の中から使い捨てを極力回避して、使用済みの石油製品・石油部品を簡略分解し取外して、必要により簡単な表面処理をして再生使用されるべきである。例えば、家電関係や自動車関係や建設関係等では、単純形状で大型である割に損傷・汚れ・使用被労・外観不良・強度不良が少いものは多いので表面処理をして再生使用が可能と考えられる。また再生使用が可能なように企画・設計・製造・組立されるべきだ。特に薄型テレビ等は相当に大型の石油部品である外枠・カバー・支承台で相当の石油資源が投入されているが使用中は全く無理な力はかからず損傷もない筈だ。従って現映像部に寿命がきた場合、さらに薄型の新映像部が出現したと仮定しても、少くとも外枠・カバー・支承台は現存の旧品を引続き使用し、同じサイズの新映像部のみ購入して外枠の中に組込んで使用すれば資源の有効活用になる。石油製品で製作され易い玩具類は使用被労しているものでも下取りし、洗浄・消毒して塗装・樹脂被膜等の表面処理を施せば新製品並みに販売される。小例だが多数個・多年・広域で無視できぬので、枯渇目前の資源として当然のことである。  【０１５９】
金属循環手段は、今まで石油製品・石油部品が使用されていた部分に、その物性（耐久性・耐薬品性・耐腐蝕性・電気絶縁性）を維持するための必要な表面処理（樹脂被膜等）を施せば、他の材質（金属等）で代替することも可能になる。金属は一般に使用後に分解して熱溶融すれば繰返し多数回再生使用が可能である。物品によるが全体製作と被覆処理では数十分の１〜数百分の１の量の差がでる。多数の部品で構成される車等は石油部品が多数使用されているが、よく検討して可能な部分を表面処理済の金属で代替すれば異部品のみ除去し全体を溶融できる。そのような製造体制を構成しておけば枯渇時の打撃を回避でき資源を温存できる。インターネットは部品の全てを列挙し代替の可否を関係者と効率よく検討できる。  【０１６０】
木材古紙手段は、現在石油製品・石油部品を使用している部分に木材を充分使用することが再検討されるべきだ。古来、建設関連では住宅はほとんど木材を使用して建設されていた。使用後でも木材の焼却は環境に問題は無った。約５０数年前頃からずっと石油資源は多くの外装材・内装材・表面材・塗料・接着材等に多用され続けてきた。シックハウスや産業廃棄物は近年問題になり、焼却は多大の二酸化炭素を排出する。価格高騰・入手困難の段階では遅過ぎる。確かに石油資源でなくてはならぬ用法もあるだけに難しいが代替可能部材もある。そこでまず代替枠Ｗ３０に建材関連に使用されている石油資源の用途や部材を全て列挙し分類整備して代替番号Ｗ３３を付し、インターネットに表示して各所に散在されている関係者・専門家・業者と連携し、徹底的に分析・検討して代替の可否を検討し検討結果を残す。集団内で集中検討した上で標準化の必要のある部分があれば全体としての関係者との連携を図る。石油資源は枯渇を目前にしているので、最大限必要不可欠な用法に極力限定すべきでその方が将来永く使用できる。石油資源は魅力ある物性を数多く備えるが有限なのに対し、木材は古来の建材で平凡だが土地・太陽光・降雨に恵れれば無限に近い資源で健康にも良い面がある。また紙類も木材資源から製造されるので無限に近い資源で合成樹脂に代りうる。食品関係では販売店の陳列と購入持ち帰りと食事との数時間のために石油資源で成型の樹脂パックが多用され使い捨てされる。樹脂パックは食品を収容し汚れるのでリサイクルに出せず廃却されるので重油を使って焼却炉で焼却されている。従って樹脂パックと重油との燃焼で石油資源は二重に消費され、相当の二酸化炭素が排出される、という問題があった。小例だが多数個・毎日・多年・広域に及ぶので無視できぬ問題があったので、紙材を主材とし樹脂を少くするべきだ。即ち、紙材で成型されその内表面に極薄の樹脂被膜の処理をした上面開口函状の紙パックと、その紙パックの開口窓を被覆する極薄の樹脂ラップと、で成る包装材であれば石油製品は極薄の樹脂被膜と樹脂ラップのみで焼却しても二酸化炭素の排出は極小である。石油資源が枯渇すれば牛乳パックの製造も不可能になる。なお、紙パックは古紙を成型した古紙パックでよく、透明パックは内容表示用の１パックのみでよい。買物入れ用の肉薄の樹脂小袋も古紙袋と並設し買物客の選択に任ねる。これらは極く小例だが多数個・毎日・多年・広域に及ぶので無視できず、石油資源の消費と二酸化炭素の排出の削減の総合計は相当に大きくなる。  【０１６１】
（ニ）削減検討手段Ｔ６３は、燃料としての消費は大きい。（養護体［ＶＩＩＩ］参照）  （ホ）代替実用手段はＷ２４は、実用計画・新技術開発・技術交渉・技術定着等の各手段はインターネットに依れば、関係者が一所に終結していない状態でも随時連絡して進めることが可能である。また、集団外の専門家とも連携できる。新技術開発や技術交渉の窓口としての作用もメール等の諸機能で可能である。  【０１６２】
（ヘ）化石温存手段Ｗ２５は、化石燃料は他の天体にない地球独特の資源であるから、枯渇してしまった後では、未来に於て宇宙技術が如何に進歩しても入手することはできない。当然のことだが近未来以降にも広く再認識されるようインターネットに掲載される。特に石油資源は現在を中心に前後約５０年の過大消費で枯渇されようとしている。これは明らかに深刻だが、“現状に慣れると人々は現状を当り前と思う”ようになり、益々深刻化すると推定される。現在は「油田・炭田を選定し丸ごと温存を図る」ことが非常に重要になってくる。それには石油・石炭の消費に関連する各国の間で真剣に協議されることだ。そして、合意と協調で結論が出れば協定に至り、その内容はインターネットに遺される。協議もインターネットで成され、地球温暖化の危機も回避される。未来に遺すべき油田・炭田の協定が結ばれたら、各国の当局がインターネットで連携され、「化石温存機関」が設けられ、近未来以降に引継がれる。
【産業上の利用可能性】
【０１６３】
（イ）  養護体［Ｉ］は養護服等が雨具服としても共通使用可能なように防水性の樹脂帯材で製造されるものを主要な実施例として中心に説明した。同上実施例に於ける略自動的・連続的な製造装置は樹脂フイルムに限ることなく、樹脂繊維を１００％使用した樹脂布材を前記同様に表材・裏材を製造基台の上に重ね合わせ伸展して各半材の外形で接合・切離することによって樹脂布製の衣服を製造できると推定される。例えば実例はシャツ・セーター・ジャンパー等の上半材、コート等の長半材、ズボン等の下半材・靴下等の足半材を製造が可能と推定される。接合縁・切離縁は表裏返せば外観に支障は無い。（ロ）  養護体［ＩＩ］・［ＩＩＩ］は電熱箱・新清浄機がウイルスの個別根絶について説明したが、ウイルスに限らず結核菌他の日常生活で殺菌・熱消毒が必要なものに、あらかじめ大きさ・温度範囲を調査して構成すれば適用できる。（ハ）  養護体［Ｖ］は吸気扇が主に家庭での療養者を中心に説明したが感染症の流行期に於ける小〜大病院の待合室・病室、その他一般の集会室の窓から屋外へと目標とする部屋を廊下・部屋を汚染せず浄化する用途にも適用できる。（ニ）  養護体［ＶＩ］は感染網体制が主にウイルスの宿主について説明したが、同様の感染網体制は感染症の全て、例えば４人に１人が陰の保菌者とされる結核等についても、インフルエンザウイルスの宿主の1種である人体についても適用されるように結核菌等保菌者に活用すれば感染拡大の抑制に適用できる。（ホ）  養護体［ＶＩＩＩ］は基地系が地球温暖化の抑制の可能性について説明したが近未来以降に配備不可欠となった場合、その姿勢安定性を活用して、肉薄の太陽光発電板の装備、超高精度の宇宙望遠鏡の装備、月や他惑星への中継基地、近未来以降に新ロケット実用化後本格的防護装置へのデータ集積等に適用できる。（ヘ）  養護体［ＩＸ］・［Ｘ］は燃焼体が中〜大の燃焼炉が主体であるが、木材（木片）の型・大きさの工夫で農業温室用・住宅暖房用の小型にも適用できる。（ト）  養護体［ＸＩＩ］は同乗体が主に運輸関連の営業用を主に説明したが、個人用の漁舟や自動車についても石油資源の高騰・枯渇を目前にして長距離旅行車・帰省車にもインターネットでの同乗者の募集・応募で省力的に適用できる。
【図１】
2010103994.tif 000003
【図２】
2010103994.tif 000004
【図３】
2010103994.tif 000005
【図４】
2010103994.tif 000006
【図５】
2010103994.tif 000007
【図６】
2010103994.tif 000008
【図７】
2010103994.tif 000009
【図８】
2010103994.tif 000010
【図９】
2010103994.tif 000011
【図１０】
2010103994.tif 000012
【図１１】
2010103994.tif 000013
【図１２】
2010103994.tif 000014
【図１３】
2010103994.tif 000015
【図１４】
2010103994.tif 000016
【図１５】
2010103994.tif 000017
【図１６】
2010103994.tif 000018
【図１７】
2010103994.tif 000019
【図１８】
2010103994.tif 000020
【図１９】
2010103994.tif 000021
【図２０】
2010103994.tif 000022
【図２１】
2010103994.tif 000023
【図２２】
2010103994.tif 000024
【図２３】
2010103994.tif 000025
【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
人類の脅威の１つである感染症の威力維持が放置されれば、近未来以降の事後被害・犠牲が超過大になるウイルス等病原体の桁違いの脅威に対して、感染の重要拠点に於いてウイルス等の本質を分析し的確対処して根源的処置を図り、近未来以降が犠牲甚大に至る事前に危機抑制の一手段を図るシステムであって、相互に関連が深い特定手段を組合せ感染症から生体・人体を外部より養護する装置が構成されて、感染の要点・原点に於ける該病原体の個別根絶・集中排出・封じ込め等によって病原体の桁違いの脅威を削減し感染拡大の危機抑制の一手段を図る養護体と、
該病原体の個別根絶の浄化による再生使用や平常使用等の繰返し使用を可能とし養護体等の使用毎使い捨てを削減する繰返し体制で、緊急感染・地球温暖化・化石燃料枯渇の危機抑制の一手段を図る養護体と、を具備したことを特徴とする養護装置。
【請求項２】
感染症の感染拡大の危機抑制の一手段を図る装置であって、強靱・耐久性の高強度の樹脂帯材の表材・裏材が重ね合わされ帯状に伸展されて、人体の略全部を収容すべき養護体（養護服・防護服・雨具服・衣類服）の各半材（上半材・下半材・長半材・足半材）の外形縁に沿う形状や必要な細幅で略自動的・連続的に接合されて、該細幅の接合の跡が残存された接合縁と、  該接合縁に沿う形状でその外側の不要の周囲片が略自動的・連続的に切離されて構成される該半材の外形縁に該切離の跡が残存された切離縁と、該各半材の開口部より略自動的に挿入された端処理機・補強帯による略自動的な接合・切離等によって、上半材・長半材の端縁・顔孔・前開型・後開型の形成・補強、及び下半材・足半材の腰締孔・足締孔の形成・補強等が略自動的に処理され、感染症の感染拡大等の緊急大量供給に備えて全体的に略自動的・連続的な製造も可能に構成されるべき跡が残存された端処理縁と、を具備した請求項１に記載の養護体［Ｉ］を有する養護装置。
【請求項３】
感染症の感染拡大・化石燃料枯渇の危機抑制の一手段を図る装置であって、断熱性を有する一端開口箱状の内箱・カバー等を含んで成る箱材Ｖと、該内箱の中に装備された発熱材の通電による発熱を該内箱の全体に略均一に拡散する散熱材、感染症の病原体が個別に根絶されるに充分な一定幅の高温に維持する温度制御材、汚染物品・汚染ゴミ等を支承する給熱Ｖと、を備えて構成され、一般の住宅に於ても該高温により該病原体の汚染が浄化された汚染物品の再生使用によって資源の浪費や焼却の回避による地球温暖化・化石燃料枯渇の危機抑制の一手段を図り、該汚染ゴミの熱消毒で回収車の圧縮機による該病原体の街路への噴出を回避して感染拡大の危機抑制の一手段を図るよう、該汚染物質・汚染ゴミを収容可能に構成された非常時の電熱箱と、居室・小室等の暖房機も兼ねるべき温度制御材等を装備し、緊急感染に備え平常使用可能に構成された非常時・平常時の電熱箱と、を具備した請求項１に記載の養護体［ＩＩ］を有する養護装置。
【請求項４】
感染症の感染拡大・化石燃料枯渇の危機抑制の一手段を図る装置であって、インフルエンザウイルスを９９％以上濾過する濾過膜を備え、略自動的な製造や熱消毒により複数回の再生使用も可能に構成された新マスクと、該濾過膜と同等材の広濾過膜を装備した本体Ｖの内部のファンの正回転で該ウイルス・微小ゴミを濾過し、発熱材の通電と温度制御材で該本体Ｖを被覆する断熱箱の中を一定幅の高温に維持して該ウイルスを個別根絶し、該断熱箱を取除いて該ファンの逆回転で該ウイルス・微小ゴミを落下させ、かつ養護体［Ｖ］の吸気扇の集中換気によって窓の外に一挙に排出して再生使用を可能にし、前記養護体［ＩＩ］の電熱箱と一般の空気清浄機との双方の機能の兼備を可能に構成された非常時の新清浄機と、居室・小室等の暖房機と空気清浄機との双方を兼ねる温度制御材等を装備し、一般の住宅に於ても使用可能に構成された平常時の新清浄機と、を具備した請求項１に記載の養護体［ＩＩＩ］を有する養護装置。
【請求項５】
感染症の感染拡大・化石燃料枯渇の危機抑制の一手段を図る装置であって、感染症、特にインフルエンザ等の感染者がくしゃみ・咳をする際に鼻や口から噴出される噴出息の大部分をできるだけ略自動的に収容する一端開口筒状の収容袋を備え、１回毎に開口部を閉じてウイルス等が捕獲されるべく構成された捕獲Ｖと、該捕獲Ｖを必要時間仮収納して高温を維持し、該収容袋の中のウイルス等を熱消毒で個別根絶して感染拡大の抑制を図り、該捕獲Ｖの複数回の再生使用を可能にして資源と経済性の養護を図る前記電熱箱・前記新清浄機と、を具備した請求項１に記載の養護体［ＩＶ］を有する養護装置。
【請求項６】
感染症の感染拡大・化石燃料枯渇の危機抑制の一手段を図る装置であって、感染症、特にインフルエンザ・結核等が流行する非常時に於て、感染者が療養する個室の建具の開閉やその隙間から病原体を含む汚染空気が個室外へ流出するのを防止するべき流出防止、該個室や感染者が出入した個室外の集中換気、等の機能を備えるべく小室・廊下等の小窓に装備される感染抑制用の吸気扇、を含み、吸気量が該個室内からでも切換可能に構成された非常時の吸気扇と、該非常時や平常時に於て、掃除機の極小排気ゴミや暖房機の汚染排気等の排出用の集中換気、夏期の居室他の集中換気等に活用される平常時の吸気扇と、を具備した請求項１に記載の養護体［Ｖ］を有する養護装置。
【請求項７】
感染症の感染拡大・化石燃料枯渇の危機抑制の一手段を図る装置であって、感染症、特に生体・人類の脅威である高病原性インフルエンザ・口蹄疫他各種感染症の発生の原点であるウイルスの宿主の徹底管理に必要な事項が掲載され、記入・確認・処理が的確で電子計算機による処理も可能な感染枠がインターネットに表示され、専門家・関係者の迅速・密接な連携が可能な情報の連携の一元化体制を構成しうる感染連携手段と、該宿主の新たな感染の危険順にランク分けして宿主番号が付され、該危険の削減の平常努力で漸次状況が改善されて重点表が組替可能に重点管理され、的確に要点観察されて平常時・発生時からウイルスへの包囲網を縮小して感染原点に於ける感染封じ込めを図り、専門家・関係者の総括体制の漸次強化を含み異変の発生発見を常時監視し待機するべき平常管理手段と、該宿主に異変が発見されたら鋭敏に連携網に表示・報告して迅速・広範な対応体制を構成し、専門家・関係者のネット等による分析・協議で的確な処理を可能にして、異変の度毎に体制を修正・補充し確認・蓄積・向上の機能も含む異変初期手段と、を具備した請求項１に記載の養護体［ＶＩ］を有する養護装置。
【請求項８】
感染症の感染拡大等の危機抑制の一手段を図る各養護体の使用方法であって、前記養護体［ＶＩ］の各手段による病原体の宿主のネット管理によって感染の原点前後で病原体の感染拡大が抑制される発生抑制段階と、前記養護体［ＩＩ］・養護体［ＩＩＩ］で汚染物・汚染ゴミが熱消毒されて各住宅毎に病原体が個別根絶され感染拡大が抑制される個別根絶段階と、前記養護体［ＩＩ］・養護体［ＩＩＩ］・養護体［ＩＶ］で個別根絶されたウイルスを集めて人体内に取り込み、流行型に適合された免疫機能により感染が抑制される根絶免疫段階と、降雨日に養護体［Ｖ］の吸気扇や換気扇によって屋外の雨中の湿気で各室を集中換気し屋内を湿気充満しウイルスを減衰させる換気減衰段階と、再生使用・平常使用・レンタル等によって緊急感染に対応可能な養護体によって感染が抑制される即応抑制段階と、を必要選択的に具備した請求項１〜請求項７に記載の養護装置の使用方法。
【請求項９】
化石燃料の過大な消費・燃焼の現状維持が放置されれば、永久凍土の融解による温室効果１０数倍のメタンガスの洩出を誘発し早晩世界規模の損害が激増する非可逆の地球温暖化の大危機と、地球独特・現在・未来も不可欠で極めて貴重な化石燃料が入手困難・枯渇となり広域に破局・被害増大するとされる大危機と、に対し各危機の重要拠点に於ける本質を分析し的確対処して根源的処置を図り、近未来以降が犠牲甚大に至る事前に危機抑制の一手段を図るシステムであって、相互に関連が深い特定手段の組み合わせ、インターネットや電子計算機のネットワークの活用によって、化石燃料の過大な消費・燃焼の要点・原点に於ける抑制、地球温暖化・南極氷床融解の危機抑制、の一手段を図る養護体と、該特定手段の組合せ、インターネットや電子計算機のネットワークの活用、によって、近未来以降に不可欠な化石燃料の消費削減計画の策定と化石温存計画の策定や組織的連携で化石燃料枯渇の危機抑制の一手段を図る養護体と、
を具備したことを特徴とする養護装置。
【請求項１０】
地球温暖化・化石燃料枯渇の危機抑制の一手段を図る装置であって、地球温暖化を抑制する一手段として現時点で有効的と考えられる抑制手段が全て列挙され類別されて温暖番号を付し、記入・確認・処理が的確にできて電子計算機による処理も可能に構成された温暖枠をインターネットに表示して、地球温暖化の抑制の更なる検討や関係者の居ながらにしての連携が可能になるよう構成される温暖連携手段と、地球温暖化を抑制する各手段と表裏一体の関係にある化石燃料の温存の各手段に関し、各国の当局がインターネットで組織化された化石温存機関等と連携をとり、各国毎の化石燃料の消費・削減状況を管理しつつ長期計画を立てて地球にしかない地球独特の有限資源である化石燃料が、極めて優秀な材料資源としての多くの優れた物性を備え未来も不可欠でありながら良燃焼性という一物性のみで過度に燃焼されて大量の二酸化炭素を排出し、地球温暖化の主要原因になっているからその源泉の化石燃料の消費削減と、油田・炭田を未来に温存すべく温存の具体策・協議協定・情報収集の各手段がインターネットに表示され連携可能に構成され近未来以降に引継がれる化石温存手段と、を具備した請求項９に記載の養護体［ＶＩＩ］を有する養護装置。
【請求項１１】
地球温暖化・南極氷床融解の危機抑制の一手段を図る装置であって、地球と太陽とその他の天体の引力等の力が略均衡する太陽側の均衡公転軌道を地球に対向した姿勢で地球に付随して主に慣性で運行する平面状で肉薄の太陽光発電板も装備可能な基地系を多数個配備し、地球の昼間の不特定地域に走行陰影部を継続して投影する基地系集団で構成される投影装置と、該走行陰影部の投影による温度降下がもたらす地球温暖化の抑制及び南極氷床の融解状況を観測・記録し抑制への影響を計算・記録し、地上各地の化石燃料の燃焼による排煙状況を観測・記録し、必要な小惑星を観測・記録する観測装置と、該観測装置からの計算・観測のデータ・情報を入力し処理し、総合的に計算し各々の該基地系の配備指令や運行指令を出力する電子計算機群を含む地球ネットワーク、該地球ネットワークからの配備指令や運行指令を受信し多数個の基地系の運行や配備や宇宙からの観測のデータ等を入力し処理する多数個の基地計算機群を含む基地ネットワーク、の両ネットワークの連携によって該基地系集団の全体を制御する制御装置と、現在以降地球上で行われる最大限の二酸化炭素の削減努力を推定計算し、なお抑制しきれないで進行する地球温暖化がもたらす近未来以降に於ける総損害、特に最悪の場合南極氷床等融解の続行による臨海地域・都市の水没化の超膨大総損害、及び深刻な危機の膨大さを計算し、それらを各々抑制するのに必要な基地系の個数を計算し、諸工程を自動化してもなお近未来以降が負担せざるを得ない膨大な総費用を計算し、該制御装置に入力する地球管制体の大型電子計算機と、を具備した養護体であって、該基地系は、地球からの打ち上げ用の化学燃料を収容し中央部に装備される径太筒状の正推進筒、その外周に一体化され該化学燃料を収容した複数個の径細筒状の副推進筒、該副推進筒に並べて装備され遮光板を筒状に巻装して収容した２対の遮光筒、該遮光筒の両端近傍に連結された支柱筒、該支柱筒を強固に保持すべき保持材を含む保持筒、等を備えたロケット本体と、該ロケット本体の前方・後方に所定長さ滑動された２対の遮光筒の両端から該ロケット本体に略直角に開かれた各支柱筒を該保持筒・保持材で強固に支承し、それらの間に該遮光筒から略自動的に伸展される２対の遮光板と、を具備した請求項９に記載の養護体［ＶＩＩＩ］を有する養護装置。
【請求項１２】
地球温暖化・化石燃料枯渇の危機抑制の一手段を図る装置であって、燃焼炉に於ける点火や助燃用に化石燃料の投入口（注入口）が形成された化石投入口と、該燃焼炉に於ける大部分の燃焼用に、伐採後に乾燥された間伐材を含む木材（木片）の投入口が形成された木材投入口と、投入された該木材（木片）が効果的に燃焼され易く通気孔や灰落孔等を備え該燃焼炉の底面から必要な高さの空間を設けて形成された支承材と、該燃焼炉や灰貯箱の外周面等で加熱された加熱空気を該支承材の通気孔や灰落孔から噴出し高温度の燃焼を図る給気手段と、を含み、望ましくは主燃用の木材（木片）と点火用・助燃用の化石燃料との投入工程等の燃焼工程全体が電子計算機等によって略自動化された組み合せ型（ハイブリッド型）に構成され、伐採跡地への植林・営林による植物の光合成によって大気中の二酸化炭素を吸収可能に構成された燃焼体、を具備した請求項９に記載の養護体［ＩＸ］を有する養護装置。
【請求項１３】
地球温暖化・化石燃料枯渇の危機抑制の一手段を図る装置であって、化石燃料を点火や助燃用とし大部分の燃焼は乾燥した木材（木片）を主燃料とすべく、全国各所に於ける多数種・多数の燃焼炉の改変設計・改変施行が効率的・合理的に行われるよう必要事項が掲載された改変枠がインターネットに表示されて関係者が連携される燃炉改変手段と、化石燃料に代り大部分の主燃焼用に消費されるよう改変された全国各所の燃焼炉に於ける木材（木片）の需要面と、山林等からの供給面との関連の各項目や要旨等が電子計算機の処理も可能に形成された燃焼枠に掲載されインターネットに表示され電子計算機による需給両面が効率的・合理的・省力的に調整される需給調整手段と、該木材（木片）が化石燃料による点火や助燃を受け、大部分の主燃焼が該木材（木片）で成されるよう燃焼情報等が該燃焼枠に掲載され、インターネットに表示されて関係者が連携される燃焼連携手段と、該木材が伐採された後の伐採跡地等に、長期的・計画的・効率的・合理的に二酸化炭素を吸収すべく植林・営林等の計画等が掲載された燃焼枠がインターネットに表示され関係者が連携される植林営林手段と、を具備した請求項９に記載の養護体［Ｘ］を有する養護装置。
【請求項１４】
地球温暖化・化石燃料枯渇の危機抑制の一手段を図る装置であって、全家庭・全食堂・その他多所から排出される大量の生ゴミと、汚染されて洗浄も難しい汚染ゴミと、非汚染の石油製品・紙類の資源ゴミと、が各別々に分別回収され、水分含有率・地中分解期間・有機肥料化等が大きく異る該生ゴミと該汚染ゴミとが各々農地と空地・草原等に埋没されるべく必要な事項・要旨が掲載された廃棄枠が書面・インターネットに表示されて関係者が居所等に居ながらにして的確な連携が図られるよう構成された廃棄合理手段と、該分別回収・該廃棄枠・該インターネット・建設機械・農業機械等の連携によって、溝穴の形成・覆土・整備等の計画の策定や実行の省力化・効率化が図られ、かつ該埋没地の他所循環・埋没軌道化・等が図られるよう構成された埋没省力手段・長期計画手段と、水分を多く含む生ゴミ、汚染された石油製品・紙類を含む汚染ゴミ、その他の可燃物、等が混合された従来の可燃ゴミが石油製ゴミ袋で回収され、多大の重油を投入して高温焼却され、全体で多大の石油資源が焼却されると共に全体で大量の二酸化炭素が排出されていた従来の焼却体制を脱却して、該生ゴミと該汚染ゴミとの分別回収、該各ゴミの農地と空地・草原への該各機械による埋没、各手段との相乗的な組合せによって、焼却零化体制、石油資源の消費や二酸化炭素の排出の激減体制を図って重要物の養護を図るよう構成された重要養護手段と、を具備した請求項９に記載の養護体［ＸＩ］を有する養護装置。
【請求項１５】
地球温暖化・化石燃料枯渇の危機抑制の一手段を図る装置であって、運輸関連の自動車・船舶・航空機に於ける往路・復路の出発・到着を示す発着欄、該発着の時・場所・数重量・経費・同乗所を示す条件欄、が対照的に掲載された同乗枠がインターネットに表示され、諸条件の合致で同乗契約が成立し運行数の無駄の削減で運輸関連の合理化徹底によって長年月・世界規模の化石燃料の燃焼削減が図られる同乗体と、日常生活に於ける省力化の趣旨が掲載された趣旨欄、該省力化の要旨が類別され箇条書に掲載された要旨欄、該要旨等の説明が掲載された説明欄、等が対照的に装備され望ましくはインターネットの広域的・計画的・効率的な運用によって長期的な省力化徹底が図られる対照体と、資源枯渇・地球温暖化等の世界的課題は、世界の略同一映像が半同時進行で流せる世界共通の情報機器としてインターネットの共通映像がテレビ・携帯等に表示され、世界が一体感をもった活動を可能に構成され長期的・世界的な省力化の徹底が図られる情報体と、を必要選択的に具備した請求項９に記載の養護体［ＸＩＩ］を有する養護装置。
【請求項１６】
地球温暖化・化石燃料枯渇の危機抑制の一手段を図る養護体の使用方法であって、全国に多数種・多数・多場所に散在する燃焼炉を、点火・助燃・制御用の化石燃料と主燃用の木材（木片）との組合型の燃焼炉に改変すべく必要な事項が掲載された改変枠をインターネットに表示し、関係者と連携して燃焼炉の改変が省力的・効率的・計画的に成される燃炉改変段階と、改変された該燃焼炉の主燃材となる該木材の山林選定・選木・伐採・植林営林・木材切断・木片乾燥・木片投入・木片燃焼の各過程、該木材の需給調整、等必要事項が掲載された燃焼枠をインターネットに表示し、関係者と連携して組合型の燃焼が省力的・効率的・計画的に成される燃料需給段階と、生ゴミ等の埋没地の長期計画の策定・埋没契約・廃棄埋没日の設定、等廃棄埋没に関する必要事項が掲載された廃棄枠をインターネットに表示し、関係者と連携して廃棄処理が省力的・効率的・計画的に成される埋没実行段階と、運輸関連の自動車・船舶・航空機の発着や条件欄等、空所への同乗に必要な事項が掲載された同乗枠をインターネットに表示し、同乗の募集・応募・同乗契約等が成され同乗による運行数の削減が図られる同乗省力段階と、地球温暖化・資源枯渇等の世界的課題が、インターネットの共通映像のテレビ・携帯等への表示によって世界の略同一映像を半同時進行で流し、世界が一体感をもった活動も可能に構成される同時情報段階と、を必要選択的に具備した請求項１２〜請求項１５に記載の養護体の使用方法を有する養護装置の使用方法。
【請求項１７】
地球温暖化・化石燃料枯渇の危機抑制の一手段を図る装置であって、約２０数年・４０数年で入手困難・枯渇になる化石燃料で製作される化石製品・化石部品が全て列挙され同一種のものが分類・整理されて代替番号が付され、いずれ早晩必要になる材質の転換・代替に必要な事項が記入・確認・処理が的確で電子計算機による処理も可能な構成の代替枠に掲載されて、インターネットに表示され集団内及び広域での関係者による連携が効率的に成される代替網体制が構成される代替連携手段と、該化石製品・化石部品が従来から使用されている部分に、主に他の材質で置換え得るよう製作され、該化石製品・化石部品がその各々の独特の物性の中必要な物性が保持されるべく各々の代替技術が網羅・整理・開発されて該代替枠に表示され、代替が計画的・広域的・効率的に成されるようインターネットで表示され関係者が連携される代替検討手段と、各集団内及び広域の実用化技術、化石燃料の枯渇を抑制する抑制手段や化石燃料を温存する温存手段が該インターネットに表示されて補充・確認・蓄積・向上が可能となり、近未来以降への技術蓄積等を可能にする化石温存手段と、を具備した請求項９に記載の養護体［ＸＩＩＩ］を有する養護装置。
【請求項１８】
地球温暖化・化石燃料枯渇の危機抑制の一手段を図る装置であって、前記代替連携手段・前記代替検討手段・前記インターネット等によって化石製品・化石部品等がその他の材質に変換された重要製品・重要部品（例えば電力・家電・台所品・水廻品・容器・洗剤・衣料品・輸送車・船舶・航空機・建設・文房具・玩具・包装・スポーツの各関連の製品や部品）や他品（発明の効果の項目に記載された各品）またはそれらの諸部品、及び関連の各製品・各部品と、現在の化石製品・化石部品が使用済で回収されたものを化石燃料の重要性及び焼却による二酸化炭素の排出抑制の必要性によって旧品再生が可能なように必要な処理等をして、新たな製品・部品・またはその一部として設計・製作された諸製品（例えば上記と同様の重要製品・重要部品）またはそれらの諸部品、及び関連の各製品・各部品と、を具備した請求項１７に記載の養護体［ＸＩＩＩ］を有する養護装置。
【国際調査報告】
2010103994.tif 000026
2010103994.tif 000027
2010103994.tif 000028
2010103994.tif 000029
2010103994.tif 000030
2010103994.tif 000031